(57)【要約】  両親媒性溶媒による組織の脱細胞化は、一定の評価を得ているが、より脱細胞化されているものを提供することが好ましい情況も存在することから、そのような情況に対応するための処理方法が求められている。そこで、本発明では、脱細胞化を増進するための方法の提供を課題とする。  本発明において、ミセル化していない状態の両親媒性分子（例えば、１，２−エポキシドポリマー）を含有する溶液に組織を浸すことにくわえ、ラジカル反応（例えば、γ線照射、紫外線照射、フリーラジカル供給源への暴露、超音波暴露、電子線照射およびＸ線照射からなる群より選択される処理）を行うことによって、上記課題は解決される。【特許請求の範囲】
【請求項１】
ラジカル反応を受けたことを特徴とする、脱細胞化組織。
【請求項２】
溶出タンパク質が実質的に存在しないことを特徴とする、請求項１に記載の脱細胞化組織。
【請求項３】
細胞外マトリクス成分が少なくとも一部が共有結合で架橋されていることを特徴とする、請求項１に記載の脱細胞化組織。
【請求項４】
前記細胞外マトリックス成分は、コラーゲン、エラスチン、ラミニン、フィブロネクチン、テネイシン、グリコサミノグンカンおよびプロテオグリカンからなる群より選択される、請求項３に記載の脱細胞化組織。
【請求項５】
前記架橋は、側鎖に遊離アミノ基またはカルボキシル基を有しない２以上のアミノ酸の間に形成されることを特徴とする、請求項３に記載の脱細胞化組織。
【請求項６】
前記架橋は、カルボキシル基、ヒドロキシル基およびアミノ基以外の基において形成されていることを特徴とする、請求項３に記載の脱細胞化組織。
【請求項７】
前記基は、スルフヒドリル基、アルデヒド基、カルボニル基、スルホ基およびニトロ基からなる群より選択される基を含むか、または前記架橋は、炭素−炭素結合、エーテル結合およびエステル結合からなる群より選択される結合により形成される、請求項６に記載の脱細胞化組織。
【請求項８】
前記脱細胞化組織は、
Ａ）該組織の細胞残存率は、生体内において免疫反応を惹起するレベル未満であり、かつ
Ｂ）該組織は、該組織が未処理状態で有する機能を発揮するのに支障があるような損傷を受けていない、請求項１に記載の脱細胞化組織。
【請求項９】
前記ラジカル反応は、フリーラジカルへの暴露を含む、請求項１に記載の脱細胞化組織。
【請求項１０】
組織強度がラジカル反応を受けていない脱細胞化組織と実質的に同一であるが、他方、脱細胞化が有意に進行したことを特徴とする、請求項１に記載の脱細胞化組織。
【請求項１１】
前記ラジカル反応は、γ線照射、紫外線照射、フリーラジカル供給源への暴露、超音波暴露、電子線照射およびＸ線照射からなる群より選択される処理を含む、請求項１に記載の脱細胞化組織。
【請求項１２】
前記ラジカル反応はγ線照射であり、該γ線照射の照射量は、１０〜２５０ｋＧｙである、請求項１に記載の脱細胞化組織。
【請求項１３】
前記ラジカル反応はγ線照射であり、該γ線照射は、真空、酸素中、窒素中、大気中、水中、両親媒性分子溶液中およびそれらの組み合わせからなる群より選択される雰囲気下で行われる、請求項１に記載の脱細胞化組織。
【請求項１４】
前記脱細胞化組織は、ＤＮａｓｅ処理を受けたものである、請求項１に記載の脱細胞化組織。
【請求項１５】
前記組織は、ミセル化していない状態の両親媒性分子を含む溶液で処理されたものである、請求項１に記載の脱細胞化組織。
【請求項１６】
前記ミセル化していない状態の両親媒性分子を含む溶液は、１，２−エポキシドポリマーを含む、請求項１５に記載の脱細胞化組織。
【請求項１７】
前記ミセル化していない状態の両親媒性を含む溶液は、ポリエチレングリコール（ＰＥＧ）を含む、請求項１５に記載の脱細胞化組織。
【請求項１８】
前記ＰＥＧの平均分子量は、２００と２０００との間である、請求項１７に記載の脱細胞化組織。
【請求項１９】
前記ＰＥＧの平均分子量は、約１０００である、請求項１７に記載の脱細胞化組織。
【請求項２０】
前記組織の細胞残存率は、約５％以下である、請求項１に記載の脱細胞化組織。
【請求項２１】
前記組織の細胞残存率は、約４％以下である、請求項１に記載の脱細胞化組織。
【請求項２２】
前記組織の細胞残存率は、約１％以下である、請求項１に記載の脱細胞化組織。
【請求項２３】
前記組織は、実質的に細胞が残存しないことを特徴とする、請求項１に記載の脱細胞化組織。
【請求項２４】
前記組織の組織損傷率は、約３０％以下である、請求項１に記載の脱細胞化組織。
【請求項２５】
前記組織の組織損傷率は、約１５％以下である、請求項１に記載の脱細胞化組織。
【請求項２６】
前記組織の組織損傷率は、約５％以下である、請求項１に記載の脱細胞化組織。
【請求項２７】
前記組織は、臨床適用することができる組織強度を有する、請求項１に記載の脱細胞化組織。
【請求項２８】
前記組織は、該組織が未処理状態の組織強度の８０％以上の組織強度を有する、請求項１に記載の脱細胞化組織。
【請求項２９】
前記組織は、該組織が未処理状態のβ値の８０％以上の組織強度を有する、請求項１に記載の脱細胞化組織。
【請求項３０】
２０以上のβ値の組織強度を有する、請求項１に記載の脱細胞化組織。
【請求項３１】
前記組織は、管状組織である、請求項１に記載の脱細胞化組織。
【請求項３２】
前記組織は、血管、血管様組織、心臓弁、心膜、硬膜、角膜および骨から選択されるものの組織である、請求項１に記載の脱細胞化組織。
【請求項３３】
前記脱細胞化組織中の未変性の細胞外マトリクスが少なくとも約５０％残存することを特徴とする、請求項１に記載の脱細胞化組織。
【請求項３４】
前記細胞外マトリクスの残存率は、実質的に残存することを特徴とする、請求項３３に記載の脱細胞化組織。
【請求項３５】
前記組織は、哺乳動物由来である、請求項１に記載の脱細胞化組織。
【請求項３６】
前記組織は、ヒト由来である、請求項１に記載の脱細胞化組織。
【請求項３７】
前記組織は、ブタ由来である、請求項１に記載の脱細胞化組織。
【請求項３８】
前記組織は、ウイルスが実質的に除去されている、請求項１に記載の脱細胞化組織。
【請求項３９】
前記ウイルスは、レトロウイルスおよびヘルペスウイルスからなる群より選択される、請求項３８に記載の脱細胞化組織。
【請求項４０】
前記ウイルスは、ブタ内在性レトロウイルス（ＰＥＲＶ）を含む、請求項３８に記載の脱細胞化組織。
【請求項４１】
前記ＰＥＲＶは、ヒト細胞への有意な感染が観察されない程度に除去されている、請求項４０に記載の脱細胞化組織。
【請求項４２】
請求項１に記載の脱細胞化組織を含む、組織グラフト。
【請求項４３】
さらに細胞を含む、請求項４２に記載の組織グラフト。
【請求項４４】
前記組織グラフトは、膜状、管状および弁状からなる群より選択される形状を有する、請求項４２に記載の組織グラフト。
【請求項４５】
脱細胞化組織を生産する方法であって、
Ａ）組織を提供する工程；
Ｂ）該組織を、ミセル化していない状態の両親媒性分子を含む溶液に浸す工程；および
Ｃ）該組織にラジカル反応を施す工程、
を包含する、方法。
【請求項４６】
前記ラジカル反応は、フリーラジカルへの暴露を含む、請求項４５に記載の方法。
【請求項４７】
前記組織の組織強度がラジカル反応を受けていない脱細胞化組織と実質的に同一であるが、他方、脱細胞化が有意に進行するように前記ラジカル反応を施すことを特徴とする、請求項４５に記載の方法。
【請求項４８】
前記ラジカル反応は、γ線照射、紫外線照射、フリーラジカル供給源への暴露、超音波およびＸ線からなる群より選択される処理を含む、請求項４５に記載の方法。
【請求項４９】
前記ラジカル反応はγ線照射であり、該γ線照射の照射量は、１０〜２５０ｋＧｙである、請求項４５に記載の方法。
【請求項５０】
前記ラジカル反応はγ線照射であり、該γ線照射の照射量は、４０〜１００ｋＧｙである、請求項４５に記載の方法。
【請求項５１】
前記ラジカル反応はγ線照射であり、該γ線照射は、真空、酸素中、窒素中、大気中、水中、両親媒性分子溶液中およびそれらの組み合わせからなる群より選択される環境下で行われる、請求項４５に記載の方法。
【請求項５２】
前記ラジカル反応は、大気中において行われる、請求項４５に記載の方法。
【請求項５３】
前記組織は、ミセル化していない状態の両親媒性分子を含む溶液で処理されたものである、請求項４５に記載の方法。
【請求項５４】
前記ミセル化していない状態の両親媒性分子を含む溶液は、１，２−エポキシドポリマーを含む、請求項５３に記載の方法。
【請求項５５】
前記ミセル化していない状態の両親媒性を含む溶液は、ポリエチレングリコール（ＰＥＧ）を含む、請求項５３に記載の方法。
【請求項５６】
前記ＰＥＧの平均分子量は、約２００と約２０００との間である、請求項５５に記載の方法。
【請求項５７】
前記ＰＥＧの平均分子量は、約１０００と約２０００との間である、請求項５５に記載の方法。
【請求項５８】
前記ＰＥＧ溶液は、約６０〜約１００％溶液である、請求項５５に記載の方法。
【請求項５９】
前記組織は、管状組織、弁状組織または膜状組織である、請求項４５に記載の方法。
【請求項６０】
前記組織は、血管、血管様組織、心臓弁、心膜、硬膜、角膜および骨から選択されるものの組織である、請求項４５に記載の方法。
【請求項６１】
前記組織は、哺乳動物由来である、請求項４５に記載の方法。
【請求項６２】
前記組織は、ヒトまたはブタ由来である、請求項４５に記載の方法。
【請求項６３】
前記浸す工程は、３０分間〜１０日間行われる、請求項４５に記載の方法。
【請求項６４】
前記浸す工程は、物理的な処理をさらに包含する、請求項４５に記載の方法。
【請求項６５】
さらに、
Ｄ）前記組織を洗浄する工程、
を包含する、請求項４５に記載の方法。
【請求項６６】
前記洗浄する工程は、０．５日間〜５日間行われる、請求項５５に記載の方法。
【請求項６７】
前記両親媒性分子は、生体適合性である、請求項４５に記載の方法。
【請求項６８】
前記浸す工程は、攪拌工程を包含する、請求項４５に記載の方法。
【請求項６９】
前記浸す工程は、攪拌を含み、かつ、１週間以上行われる、請求項４５に記載の方法。
【請求項７０】
前記脱細胞化組織は、ＤＮａｓｅ処理を受けたものである、請求項４５に記載の方法。
【請求項７１】
化学的処理を行う工程をさらに包含する、請求項４５に記載の方法。
【請求項７２】
前記化学的処理は、ＤＮａｓｅによる処理である、請求項６８に記載の方法。
【請求項７３】
前記化学的処理は、ＤＮａｓｅＩによる処理である、請求項６８に記載の方法。
【請求項７４】
前記ＤＮａｓｅによる処理は、２４時間以上行われる、請求項７２に記載の方法。
【請求項７５】
前記ラジカル反応は、γ線照射であり、該γ線照射の照射時間は、総線量が１０〜３００ｋＧｙとなるような時間である、請求項４５に記載の方法。
【請求項７６】
さらに細胞を播種する工程を包含する、請求項４５に記載の方法。
【請求項７７】
請求項４５に記載の方法によって得られる、脱細胞化組織。
【請求項７８】
組織の再生方法であって、
ａ）ラジカル反応を受けた脱細胞化組織を、生体内に提供する工程；および
ｂ）該生体内で組織再生が生じるに十分な時間インキュベートする工程、
を包含する、方法。
【請求項７９】
前記ラジカル反応は、フリーラジカルへの暴露を含む、請求項７８に記載の方法。
【請求項８０】
前記脱細胞化組織に細胞を提供する工程をさらに包含する、請求項７８に記載の方法。
【請求項８１】
前記細胞は、前記生体由来である、請求項８０に記載の方法。
【請求項８２】
前記細胞は、前記生体内に存在する、請求項８０に記載の方法。
【請求項８３】
前記細胞と、前記生体とは、同種異系宿主由来である、請求項８０に記載の方法。
【請求項８４】
前記細胞と、前記生体とは、異種宿主由来である、請求項８０に記載の方法。
【請求項８５】
前記細胞は、前記生体から予め単離したものである、請求項８０に記載の方法。
【請求項８６】
前記細胞は、血管細胞または血管様細胞である、請求項８０に記載の方法。
【請求項８７】
細胞分化を誘導する生理活性物質を前記生体に提供する工程をさらに包含する、請求項７８に記載の方法。
【請求項８８】
前記生理活性物質は、前記生体内由来かまたは生体外由来である、請求項８７に記載の方法。
【請求項８９】
前記生理活性物質は、核酸形態またはポリペプチド形態で提供される、請求項８７に記載の方法。
【請求項９０】
前記生理活性物質は、ＨＧＦ、ＶＥＧＦ、ＦＧＦ、ＩＧＦ、ＰＤＧＦおよびＥＧＦからなる群より選択される、請求項８７に記載の方法。
【請求項９１】
前記組織は、血管、血管様組織、心臓弁、心膜、硬膜、角膜および骨からなる群より選択されるものの組織である、請求項７８に記載の方法。
【請求項９２】
組織グラフトを生産する方法であって、
Ａ）ラジカル反応を受けた脱細胞化組織を生体内に提供する工程；
Ｂ）該脱細胞化組織に該生体の自己細胞を侵入させる工程；および
Ｃ）該細胞の分化が生じるに十分な時間インキュベートする工程、
を包含する、方法。
【請求項９３】
前記ラジカル反応は、フリーラジカルへの暴露を含む、請求項９２に記載の方法。
【請求項９４】
前記細胞は、血管細胞または血管様細胞である、請求項９２に記載の方法。
【請求項９５】
前記組織は、血管、血管様組織、心臓弁、心膜、硬膜、角膜および骨からなる群より選択されるものの組織である、請求項９２に記載の方法。
【請求項９６】
前記脱細胞組織は、細胞をさらに含む、請求項９２に記載の方法。
【請求項９７】
さらに、
Ｄ）前記細胞の分化を誘導する生理活性物質を提供する工程、
を包含する、請求項９２に記載の方法。
【請求項９８】
前記生理活性物質は、造血活性を有するサイトカインである、請求項８７に記載の方法。
【請求項９９】
請求項９２に記載の方法によって生産された、組織グラフト。
【請求項１００】
組織または臓器移植を必要とするかまたは該危険にある被験体の処置または予防の方法であって、
Ａ）ラジカル反応を受けた脱細胞化組織、または該脱細胞化組織を含む組織グラフトを提供する工程；および
Ｂ）該脱細胞化組織または組織グラフトを被験体に移植する工程、
を包含する、方法。
【請求項１０１】
前記ラジカル反応は、フリーラジカルへの暴露を含む、請求項１００に記載の方法。
【請求項１０２】
前記組織は、細胞をさらに含む、請求項１００に記載の方法。
【請求項１０３】
前記組織は、細胞を有しない、請求項１００に記載の方法。
【請求項１０４】
前記組織は、前記被験体由来である、請求項１００に記載の方法。
【請求項１０５】
前記組織は、血管、血管様組織、心臓弁、心膜、硬膜、角膜および骨から選択されるものの組織である、請求項１００に記載の方法。
【請求項１０６】
前記被験体は、哺乳動物である、請求項１００に記載の方法。
【請求項１０７】
前記被験体は、ヒトである、請求項１００に記載の方法。
【請求項１０８】
臓器移植のための医薬であって、
Ａ）ラジカル反応を受けた脱細胞化組織、または該脱細胞化組織を含む組織グラフト、
を含む、医薬。
【請求項１０９】
前記ラジカル反応は、フリーラジカルへの暴露を含む、請求項１０８に記載の方法。
【請求項１１０】
前記組織は、血管、血管様組織、心臓弁、心膜、硬膜、角膜および骨から選択されるものの組織である、請求項１０８に記載の医薬。
【請求項１１１】
前記組織は、哺乳動物由来である、請求項１０８に記載の医薬。
【請求項１１２】
前記組織は、ヒトまたはブタ由来である、請求項１０８に記載の医薬。
【請求項１１３】
前記組織は、前記移植を必要とする被験体由来である、請求項１０８に記載の医薬。
【請求項１１４】
ラジカル反応を受けた脱細胞化組織、または該脱細胞化組織を含む組織グラフトの、臓器移植のための医薬を製造するための使用。
【請求項１１５】
前記ラジカル反応は、フリーラジカルへの暴露を含む、請求項１１４に記載の使用。
【発明の詳細な説明】
【技術分野】
【０００１】
本発明は、組織の脱細胞化を促進するための方法およびシステム、ならびにそのような脱細胞化方法によって調製された組織、組織グラフトなどを利用した医薬および治療方法に関する。
【背景技術】
【０００２】
臓器（例えば、心臓、血管など）の移植に外来性組織を使用する際の主な障害は免疫拒絶反応である。同種異系移植片（または同種移植片、ａｌｌｏｇｒａｆｔ）および異種移植片（ｘｅｎｏｇｒａｆｔ）で起こる変化が最初に記述されたのは９０年以上前のことである（非特許文献１〜２および４〜５）。動脈移植片の拒絶反応は、病理学的には移植片の拡張（破裂に至る）または閉塞のいずれかを招く。前者の場合、細胞外マトリクスの分解により生じ、他方で、後者は血管内細胞の増殖により起こるといわれている（非特許文献６）。【０００３】
従来、これらの物質の拒絶反応の軽減を目指して２つの戦略が採用されてきた。ひとつは、宿主の免疫反応を低下させた（非特許文献７；および非特許文献８）。もうひとつは主に架橋結合により同種移植片または異種移植片の抗原性の低下を図った（非特許文献９；および非特許文献１０）。細胞外マトリクスの架橋結合は移植片の抗原性を低下させるが、生体工学的機能（非特許文献１１；および非特許文献１２）が変化し、無機質化に感受性を示すようになる（非特許文献１３）。【０００４】
細胞外マトリクス中の細胞は、拒絶反応を引き起こし得る組織適合性クラスＩおよびＩＩ抗原を有する。また、その他に宿主の免疫系が特定できる細胞由来の糖化タンパク質があり、拒絶反応が引き起こされる。故に、このような物質を細胞外マトリクスから除去すれば、拒絶反応を防ぐことができる。ただ、全ての抗原を完全に除去するのは非常に困難であり実証が難しい。Maloneら(非特許文献１５)およびLalkaら(非特許文献１６)は、「細胞のない」動脈同種移植片（同種動物への移植片）を移植したマトリクスも免疫応答反応を刺激したが、一方で血管内増殖と内皮細胞の生着も認められたと報告した。つい最近では、O’Brianらが、脱細胞化したブタ組織は心血管移植に応用が可能であり、ヒツジに植込んだ際には超急性拒絶反応を示さなかったと報告した(非特許文献１７)。【０００５】
心血管疾患（冠状動脈および末梢血管の疾患を含む）は、手術による置換療法（により処置されている。心血管疾患の症例は、世界中でこのところ増加している。直径が小さな血管の場合は、置換療法を適用することは困難である。直径が小さい場合、バイパス手術では、自己由来の静脈または動脈の移植片が使用される(非特許文献１８〜２０)。静脈および動脈の移植片が現状ではもっともよい結果が得られているが、複雑な手術を必要とし、ある疾患の患者では適切な血管が得られないといった欠点も存在する。その結果、直径が細い血管に適切な人工血管が必要とされている。自己移植片または同種異系移植片の使用を減少させるために、人工材料の開発に向けた開発がなされた。しかし、人工材料の場合、四肢末梢および冠状動脈のバイパス移植手術に必要な細い直径の動脈（６ｍｍ未満）の構築に適切なものはない。他方、心臓血管の場合、天然の組織移植片もまた臨床応用における生体材料としての可能性が試されている。異種移植片および同種異系移植片の組織の使用は、代表的には、化学的または物理的な処理が必要である（例えば、グルタルアルデヒド固定）。架橋技術は、組織のコラーゲンベースの構造を安定化するのに手順も調べられ、理想的な手順であることが見出された(非特許文献２１)。【０００６】
しかし、移植には、長期的な視点から石灰化という問題がある。グルタルアルデヒド処理の際の石灰化という有害な副作用は、生体人工心臓弁の欠陥の主な原因である(非特許文献２２;および非特許文献２３)。天然の組織移植片の別の方法として、完全に無細胞とした組織マトリクスを生産することが試みられている。この生産は、石灰化を促進し、免疫学的応答を惹起すると考えられる細胞成分を特異的に除去することによる。これらの脱細胞化技術としては、化学的手段、酵素学的手段、および機械的手段での細胞成分の除去が挙げられる。この処理によって、本質的に細胞外マトリクス成分から構成される材料が残る。これらの脱細胞化組織は、天然の機械的特性を保持し、再生を促進する。再生は、宿主による新血管形成および再細胞化のプロセスによって生じる。代表的な細胞抽出方法である界面活性剤処理は、生体材料移植片として使用するために完全に脱細胞化された組織を作製する手段として実施されてきた。なぜなら、処理された組織内に残る細胞成分、脂質および残留界面活性剤は、石灰化のような所望されない効果を促進し得るからである(非特許文献２４;非特許文献２５;非特許文献２６;および非特許文献２７)。クロロホルム／メタノールまたはドデシル硫酸ナトリウム（ＳＤＳ）のいずれかでの処理によるウシ心膜からの脂質除去は、ラットモデルにおいて組織の石灰化を減少させた(非特許文献２８)。最近、Sunjay et al.は、脱細胞化血管移植片が内皮前駆体細胞(EPC)により皮質化(cort)したことを実証した。なぜなら、これらの移植片は、十分に保存された細胞外マトリクスおよび動脈を含む天然の血管に類似する機械的特性を有するからである(非特許文献２９)。この研究者らは、末梢血から内皮前駆体細胞（ＥＰＣ）を単離し、そしてこのＥＰＣを脱細胞化ウシ回腸血管に播種した。このＥＰＣを播種した脱細胞化移植片は、１３０日目までにインビボで新生血管を発達させ、ＮＯ媒介される血管弛緩が生じた。【０００７】
本発明者らは、両親媒性の溶液を用いることによって、予想外に脱細胞効率が上がり、しかも、生体適合性、生体定着性が良いことを見出したが、さらに脱細胞をさせることが望ましい適応もあることから、さらなる脱細胞化の向上が当該分野において求められている。
【特許文献１】特開2002-543950号
【特許文献２】特開2001-78750号
【特許文献３】WO89/05371号
【非特許文献１】Carrel A.,1907,J Exp Med 9:226-8
【非特許文献２】Carrel A.,1912.,J Exp Med 9:389-92
【非特許文献３】新岡俊治、今井康晴、瀬尾和宏ほか;テッシュエンジニアリングによる心血管材料の開発、応用。日心臓血管外会誌2000;29:38
【非特許文献４】Calne RY.,1970,Transplant Proc 2:550
【非特許文献５】Auchincloss 1988,Transplantation 46:1
【非特許文献６】Uretsky BF,Mulari S,Reddy S,et al.,1987,Circulation 76:827-34
【非特許文献７】Schmitz-Rixen T,Megerman J,Colvin RB,Williams AM,Abbot W.,1988,J Vasc Surg 7:82-92
【非特許文献８】Plissonnier D,et al.,1993,Arteriosclerosis Thromb 13:112-9
【非特許文献９】Rosenberg N,et al.,1956,Surg Forum 6:242-6
【非特許文献１０】Dumont C,Pissonnier D,Michel JB.,1993,J Surg Res 54:61-69
【非特許文献１１】Cosgrove DM,Lytle BW,Golding CC,et al.,1983,J Thorac Cardiovasc Surgery 64:172-176
【非特許文献１２】Broom N,Christie GW.,1982,In:Cohn LH,Gallucci V,editors.Cardiac bioprostheses:Proceedings of the Second International Symposium.New York:York Medical Books Pages 476-491
【非特許文献１３】Schoen FJ,Levy RJ,Piehler HR.,Cardiovasc Pathology 1992;1:29-52
【非特許文献１４】J Thorac Cardiovasc Surg 1998;115;536-46
【非特許文献１５】Malone JM,Brendel K,Duhamel RC,Reinert RL.,1984,J Vasc Surg 1:181-91
【非特許文献１６】Lalka SG,Oelker LM,and Malone JM,et al.,1989,Ann Vasc Surg 3:108-17
【非特許文献１７】O’Brien MF,et al.,1999(October),Seminars in Thorac and Cardiovasc Surg;111(4),Suppl 1:194-200
【非特許文献１８】Canver CC.,1995,Chest 1995;108 1150-1155
【非特許文献１９】Barner HB.,1998,Ann Thorac Surg 66(Suppl 5)S2-5;discussion S25-28
【非特許文献２０】Bhan A,Gupta V,Choudhary SK,etal.,1999,Ann Thorac Surg 1999;67 1631-1636)
【非特許文献２１】Hilbert SL,Ferrans VJ,Jone M.,1988,Med Prog Technol 89;14,115-163
【非特許文献２２】Rao KP,Shanthi C.,1999,Biomatrials Appl 13:238-268
【非特許文献２３】Grabenwoger M,Sider J,Fitzal F,et al.,1996,Ann Thorac Surg 62;772-777
【非特許文献２４】Valente M,Bortolotti U,Thiene G,,1985,Am J Pathol 119,12-21
【非特許文献２５】Maranto AR,Shoen FJ,1988,ASAIO Trans 34,827-830
【非特許文献２６】Courtman DW,Pereira CA,Kashef V,McComb D,Lee JM,Wilson GL,1994,J Biomed Mater Res 28:655-666
【非特許文献２７】Levy RJ,Schoen FJ,Anderson HC,et al.,1991,Biomaterials 12:707-714
【非特許文献２８】Jorge-Herrero E,Fernandez P,Gutierrez MP,Castillo-Olivares JL,1991,Biomaterials 12:683-689
【非特許文献２９】Sunjay Kaushal,Gilad E.Amiel,Kristine J.Guleserian,et al.2001,Nature Medicine Vol.9,1035-1040
【発明の開示】
【発明が解決しようとする課題】
【０００８】
両親媒性溶媒による組織の脱細胞化は、一定の評価を得ているが、より脱細胞化されているものを提供することが好ましい情況も存在することから、そのような情況に対応するための処理方法が求められている。そこで、本発明では、脱細胞化を増進し、免疫拒絶反応を*より低減するための方法の提供を課題とする。
【課題を解決するための手段】
【０００９】
（発明の要旨）
本発明では、本発明者らは、脱細胞化技術においてラジカル反応（特に、γ線照射などのラジカルへの暴露処理）が、予想外に脱細胞化を促進することを見出したことによって、上記課題が解決された。したがって、本発明は、従来の両親媒性物質のみの処理では達成できなかったレベルの脱細胞化率を達成するための新たな方法を提供する。この脱細胞化処理によって、両親媒性溶媒では達成できなかったレベルの脱細胞化率を達成することができた。【００１０】
上記課題は、提供された組織をミセル化していない状態の両親媒性分子（例えば、１，２−エポキシドポリマー）を含む溶液に浸し、さらに、ラジカル反応（特に、γ線照射などのラジカルへの暴露処理）を施すことによって達成された。従って、本発明は、生体外または生体内で心血管／血管用生体人工器官構築の足場（ｓｃａｆｆｏｌｄ）として使用するために組織を脱細胞化する新しい方法、組織、組織グラフト、およびそれらを利用する方法に関する。この脱細胞は、細胞（自己または非自己細胞）とともにか、または細胞を伴わずに種々の目的で使用され得る。【００１１】
本発明者らは、両親媒性溶媒を用いた脱細胞化方法において、ラジカル反応を適用した戦略を確立した。まず、ミセル化していない状態の両親媒性分子（例えば、ポリエチレングリコール（ＰＥＧ）のような１，２−エポキシドポリマー）を使用して細胞質ゾルおよび細胞膜の抽出を行う。ポリエチレングリコール（ＰＥＧ）のような１，２−エポキシドポリマーは、細胞の内外を隔てる細胞膜を不安定化する効果があるため、細胞膜成分および細胞質ゾル（水溶性成分）の多くがこの工程により除去される。この工程と併用して、ラジカル反応（例えば、γ線照射、紫外線照射、フリーラジカル供給源への暴露、超音波およびＸ線のようなラジカルへの暴露）を行う。理論に束縛されることを望まないが、このラジカル反応によって、直接細胞が障害を受けるとともに、両親媒性溶媒がスカベンジャーとして作用してラジカルによる細胞障害作用が増進されることが一因として考えられる。これに加えて、抽出されたものから核酸成分を酵素で分解して析出させる工程を行っても良い。【００１２】
従って、本発明は、以下を提供する。
（１）ラジカル反応を受けたことを特徴とする、脱細胞化組織。
（２）溶出タンパク質が実質的に存在しないことを特徴とする、項１に記載の脱細胞化組織。
（３）細胞外マトリクス成分が少なくとも一部が共有結合で架橋されていることを特徴とする、項１に記載の脱細胞化組織。
（４）上記細胞外マトリックス成分は、コラーゲン、エラスチン、ラミニン、フィブロネクチン、テネイシン、グリコサミノグンカンおよびプロテオグリカンからなる群より選択される、項３に記載の脱細胞化組織。
（５）上記架橋は、側鎖に遊離アミノ酸またはカルボキシル基を有しない２以上のアミノ酸の間に形成されることを特徴とする、項３に記載の脱細胞化組織。
（６）上記架橋は、カルボキシル基、ヒドロキシル基およびアミノ基以外の基において形成されていることを特徴とする、項３に記載の脱細胞化組織。
（７）上記基は、スルフヒドリル基、アルデヒド基、カルボニル基、スルホ基およびニトロ基からなる群より選択される基を含むか、または前記架橋は、炭素−炭素結合、エーテル結合およびエステル結合からなる群より選択される結合により形成されるを含む、項６に記載の脱細胞化組織。
（８）上記脱細胞化組織は、
Ａ）上記組織の細胞残存率は、生体内において免疫反応を惹起するレベル未満であり、かつ
Ｂ）上記組織は、上記組織が未処理状態で有する機能を発揮するのに支障があるような損傷を受けていない、項１に記載の脱細胞化組織。
（９）上記ラジカル反応は、フリーラジカルへの暴露を含む、項１に記載の脱細胞化組織。
（１０）組織強度がラジカル反応を受けていない脱細胞化組織と実質的に同一であるが、他方、脱細胞化が有意に進行したことを特徴とする、項１に記載の脱細胞化組織。
（１１）上記ラジカル反応は、γ線照射、紫外線照射、フリーラジカル供給源への暴露、超音波暴露、電子線照射およびＸ線照射からなる群より選択される処理を含む、項１に記載の脱細胞化組織。
（１２）上記ラジカル反応はγ線照射であり、上記γ線照射の照射量は、１０〜２５０ｋＧｙである、項１に記載の脱細胞化組織。
（１３）上記ラジカル反応はγ線照射であり、上記γ線照射は、真空、酸素中、窒素中、大気中、水中、両親媒性分子溶液中およびそれらの組み合わせからなる群より選択される雰囲気下で行われる、項１に記載の脱細胞化組織。
（１４）上記脱細胞化組織は、ＤＮａｓｅ処理を受けたものである、項１に記載の脱細胞化組織。
（１５）上記組織は、ミセル化していない状態の両親媒性分子を含む溶液で処理されたものである、項１に記載の脱細胞化組織。
（１６）上記ミセル化していない状態の両親媒性分子を含む溶液は、１，２−エポキシドポリマーを含む、項１５に記載の脱細胞化組織。
（１７）上記ミセル化していない状態の両親媒性を含む溶液は、ポリエチレングリコール（ＰＥＧ）を含む、項１５に記載の脱細胞化組織。
（１８）上記ＰＥＧの平均分子量は、２００と２０００との間である、項１７に記載の脱細胞化組織。
（１９）上記ＰＥＧの平均分子量は、約１０００である、項１７に記載の脱細胞化組織。
（２０）上記組織の細胞残存率は、約５％以下である、項１に記載の脱細胞化組織。
（２１）上記組織の細胞残存率は、約４％以下である、項１に記載の脱細胞化組織。
（２２）上記組織の細胞残存率は、約１％以下である、項１に記載の脱細胞化組織。
（２３）上記組織は、実質的に細胞が残存しないことを特徴とする、項１に記載の脱細胞化組織。
（２４）上記組織の組織損傷率は、約３０％以下である、項１に記載の脱細胞化組織。
（２５）上記組織の組織損傷率は、約１５％以下である、項１に記載の脱細胞化組織。
（２６）上記組織の組織損傷率は、約５％以下である、項１に記載の脱細胞化組織。
（２７）上記組織は、臨床適用することができる組織強度を有する、項１に記載の脱細胞化組織。
（２８）上記組織は、上記組織が未処理状態の組織強度の８０％以上の組織強度を有する、項１に記載の脱細胞化組織。
（２９）上記組織は、上記組織が未処理状態のβ値の８０％以上の組織強度を有する、項１に記載の脱細胞化組織。
（３０）２０以上のβ値の組織強度を有する、項１に記載の脱細胞化組織。
（３１）上記組織は、管状組織である、項１に記載の脱細胞化組織。
（３２）上記組織は、血管、血管様組織、心臓弁、心膜、硬膜、角膜および骨から選択されるものの組織である、項１に記載の脱細胞化組織。
（３３）上記脱細胞化組織中の未変性の細胞外マトリクスが少なくとも約５０％残存することを特徴とする、項１に記載の脱細胞化組織。
（３４）上記細胞外マトリクスの残存率は、実質的に残存することを特徴とする、項３３に記載の脱細胞化組織。
（３５）上記組織は、哺乳動物由来である、項１に記載の脱細胞化組織。
（３６）上記組織は、ヒト由来である、項１に記載の脱細胞化組織。
（３７）上記組織は、ブタ由来である、項１に記載の脱細胞化組織。
（３８）上記組織は、ウイルスが実質的に除去されている、項１に記載の脱細胞化組織。
（３９）上記ウイルスは、レトロウイルスおよびヘルペスウイルスからなる群より選択される、項３８に記載の脱細胞化組織。
（４０）上記ウイルスは、ブタ内在性レトロウイルス（ＰＥＲＶ）を含む、項３８に記載の脱細胞化組織。
（４１）上記ＰＥＲＶは、ヒト細胞への有意な感染が観察されない程度に除去されている、項４０に記載の脱細胞化組織。
（４２）項１に記載の脱細胞化組織を含む、組織グラフト。
（４３）さらに細胞を含む、項４２に記載の組織グラフト。
（４４）上記組織グラフトは、膜状、管状および弁状からなる群より選択される形状を有する、項４２に記載の組織グラフト。
（４５）脱細胞化組織を生産する方法であって、
Ａ）組織を提供する工程；
Ｂ）上記組織を、ミセル化していない状態の両親媒性分子を含む溶液に浸す工程；および
Ｃ）上記組織にラジカル反応を施す工程、
を包含する、方法。
（４６）上記ラジカル反応は、フリーラジカルへの暴露を含む、項４５に記載の方法。
（４７）上記組織の組織強度がラジカル反応を受けていない脱細胞化組織と実質的に同一であるが、他方、脱細胞化が有意に進行するように上記ラジカル反応を施すことを特徴とする、項４５に記載の方法。
（４８）上記ラジカル反応は、γ線照射、紫外線照射、フリーラジカル供給源への暴露、超音波およびＸ線からなる群より選択される処理を含む、項４５に記載の方法。
（４９）上記ラジカル反応はγ線照射であり、上記γ線照射の照射量は、１０〜２５０ｋＧｙである、項４５に記載の方法。
（５０）上記ラジカル反応はγ線照射であり、上記γ線照射の照射量は、４０〜１００ｋＧｙである、項４５に記載の方法。
（５１）上記ラジカル反応はγ線照射であり、上記γ線照射は、真空、酸素中、窒素中、大気中、水中、両親媒性分子溶液中およびそれらの組み合わせからなる群より選択される環境下で行われる、項４５に記載の方法。
（５２）上記ラジカル反応は、大気中において行われる、項４５に記載の方法。
（５３）上記組織は、ミセル化していない状態の両親媒性分子を含む溶液で処理されたものである、項４５に記載の方法。
（５４）上記ミセル化していない状態の両親媒性分子を含む溶液は、１，２−エポキシドポリマーを含む、項５３に記載の方法。
（５５）上記ミセル化していない状態の両親媒性を含む溶液は、ポリエチレングリコール（ＰＥＧ）を含む、項５３に記載の方法。
（５６）上記ＰＥＧの平均分子量は、約２００と約２０００との間である、項５５に記載の方法。
（５７）上記ＰＥＧの平均分子量は、約１０００と約２０００との間である、項５５に記載の方法。
（５８）上記ＰＥＧ溶液は、約６０〜約１００％溶液である、項５５に記載の方法。
（５９）上記組織は、管状組織、弁状組織または膜状組織である、項４５に記載の方法。
（６０）上記組織は、血管、血管様組織、心臓弁、心膜、硬膜、角膜および骨から選択されるものの組織である、項４５に記載の方法。
（６１）上記組織は、哺乳動物由来である、項４５に記載の方法。
（６２）上記組織は、ヒトまたはブタ由来である、項４５に記載の方法。
（６３）上記浸す工程は、３０分間〜１０日間行われる、項４５に記載の方法。
（６４）上記浸す工程は、物理的な処理をさらに包含する、項４５に記載の方法。
（６５）さらに、
Ｄ）上記組織を洗浄する工程、
を包含する、項４５に記載の方法。
（６６）上記洗浄する工程は、０．５日間〜５日間行われる、項５５に記載の方法。
（６７）上記両親媒性分子は、生体適合性である、項４５に記載の方法。
（６８）上記浸す工程は、攪拌工程を包含する、項４５に記載の方法。
（６９）上記浸す工程は、攪拌を含み、かつ、１週間以上行われる、項４５に記載の方法。
（７０）上記脱細胞化組織は、ＤＮａｓｅ処理を受けたものである、項４５に記載の方法。
（７１）化学的処理を行う工程をさらに包含する、項４５に記載の方法。
（７２）上記化学的処理は、ＤＮａｓｅによる処理である、項６８に記載の方法。
（７３）上記化学的処理は、ＤＮａｓｅＩによる処理である、項６８に記載の方法。
（７４）上記ＤＮａｓｅによる処理は、２４時間以上行われる、項７２に記載の方法。
（７５）上記ラジカル反応は、γ線照射であり、上記γ線照射の照射時間は、総線量が１０〜３００ｋＧｙとなるような時間である、項４５に記載の方法。
（７６）さらに細胞を播種する工程を包含する、項４５に記載の方法。
（７７）項４５に記載の方法によって得られる、脱細胞化組織。
（７８）組織の再生方法であって、
ａ）ラジカル反応を受けた脱細胞化組織を、生体内に提供する工程；および
ｂ）上記生体内で組織再生が生じるに十分な時間インキュベートする工程、
を包含する、方法。
（７９）上記ラジカル反応は、フリーラジカルへの暴露を含む、項７８に記載の方法。
（８０）上記脱細胞化組織に細胞を提供する工程をさらに包含する、項７８に記載の方法。
（８１）上記細胞は、上記生体由来である、項８０に記載の方法。
（８２）上記細胞は、上記生体内に存在する、項８０に記載の方法。
（８３）上記細胞と、上記生体とは、同種異系宿主由来である、項８０に記載の方法。
（８４）上記細胞と、上記生体とは、異種宿主由来である、項８０に記載の方法。
（８５）上記細胞は、上記生体から予め単離したものである、項８０に記載の方法。
（８６）上記細胞は、血管細胞または血管様細胞である、項８０に記載の方法。
（８７）細胞分化を誘導する生理活性物質を上記生体に提供する工程をさらに包含する、項７８に記載の方法。
（８８）上記生理活性物質は、上記生体内由来かまたは生体外由来である、項８７に記載の方法。
（８９）上記生理活性物質は、核酸形態またはポリペプチド形態で提供される、項８７に記載の方法。
（９０）上記生理活性物質は、ＨＧＦ、ＶＥＧＦ、ＦＧＦ、ＩＧＦ、ＰＤＧＦおよびＥＧＦからなる群より選択される、項８７に記載の方法。
（９１）上記組織は、血管、血管様組織、心臓弁、心膜、硬膜、角膜および骨からなる群より選択されるものの組織である、項７８に記載の方法。
（９２）組織グラフトを生産する方法であって、
Ａ）ラジカル反応を受けた脱細胞化組織を生体内に提供する工程；
Ｂ）上記脱細胞化組織に上記生体の自己細胞を侵入させる工程；および
Ｃ）上記細胞の分化が生じるに十分な時間インキュベートする工程、
を包含する、方法。
（９３）上記ラジカル反応は、フリーラジカルへの暴露を含む、項９２に記載の方法。
（９４）上記細胞は、血管細胞または血管様細胞である、項９２に記載の方法。
（９５）上記組織は、血管、血管様組織、心臓弁、心膜、硬膜、角膜および骨からなる群より選択されるものの組織である、項９２に記載の方法。
（９６）上記脱細胞組織は、細胞をさらに含む、項９２に記載の方法。
（９７）さらに、
Ｄ）上記細胞の分化を誘導する生理活性物質を提供する工程、
を包含する、項９２に記載の方法。
（９８）上記生理活性物質は、造血活性を有するサイトカインである、項８７に記載の方法。
（９９）項９２に記載の方法によって生産された、組織グラフト。
（１００）組織または臓器移植を必要とするかまたは上記危険にある被験体の処置または予防の方法であって、
Ａ）ラジカル反応を受けた脱細胞化組織、または上記脱細胞化組織を含む組織グラフトを提供する工程；および
Ｂ）上記脱細胞化組織または組織グラフトを被験体に移植する工程、
を包含する、方法。
（１０１）上記ラジカル反応は、フリーラジカルへの暴露を含む、項１００に記載の方法。
（１０２）上記組織は、細胞をさらに含む、項１００に記載の方法。
（１０３）上記組織は、細胞を有しない、項１００に記載の方法。
（１０４）上記組織は、上記被験体由来である、項１００に記載の方法。
（１０５）上記組織は、血管、血管様組織、心臓弁、心膜、硬膜、角膜および骨から選択されるものの組織である、項１００に記載の方法。
（１０６）上記被験体は、哺乳動物である、項１００に記載の方法。
（１０７）上記被験体は、ヒトである、項１００に記載の方法。
（１０８）臓器移植のための医薬であって、
Ａ）ラジカル反応を受けた脱細胞化組織、または上記脱細胞化組織を含む組織グラフト、
を含む、医薬。
（１０９）上記ラジカル反応は、フリーラジカルへの暴露を含む、項１０８に記載の方法。
（１１０）上記組織は、血管、血管様組織、心臓弁、心膜、硬膜、角膜および骨から選択されるものの組織である、項１０８に記載の医薬。
（１１１）上記組織は、哺乳動物由来である、項１０８に記載の医薬。
（１１２）上記組織は、ヒトまたはブタ由来である、項１０８に記載の医薬。
（１１３）上記組織は、上記移植を必要とする被験体由来である、項１０８に記載の医薬。
（１１４）ラジカル反応を受けた脱細胞化組織、または上記脱細胞化組織を含む組織グラフトの、臓器移植のための医薬を製造するための使用。
（１１５）上記ラジカル反応は、フリーラジカルへの暴露を含む、項１１４に記載の使用。【００１３】
従って、本発明のこれらおよび他の利点は、添付の図面を参照して、以下の詳細な説明を読みかつ理解すれば、当業者には明白になることが理解される。
【発明の効果】
【００１４】
本発明は、従来の脱細胞化方法とは、化学的処理に加えてラジカル反応（特に、ラジカル暴露）を加えるという点で根本的に異なる。特に、ミセル化していない状態の分子を使用することにより、細胞成分の抽出に似た機構により脱細胞化する技術において、脱細胞化効率をさらに予想外に向上させることができたという点は注目すべきである。【００１５】
このようにして作られた脱細胞化組織は、細胞外マトリクスに対する損傷を最小化されている。本発明の脱細胞化組織は、永久に使える人工血管として使用することが可能である。本発明の脱細胞化組織は、本発明の脱細胞化組織を使用した場合であっても、細胞なしでそのまま本発明の脱細胞化組織を使用した場合であっても移植体として用いることができ、本発明の脱細胞化組織の有用性は広汎にわたるといえる。特に、脱細胞化の効率が、従来にない程度（細胞残存率が５％未満、好ましくは１％未満）に改善しており、実質的に細胞のない脱細胞化組織が提供されることから、本発明の脱細胞化組織は、石灰化、免疫拒絶反応などの有害反応を最低限に抑えることができるという格別の効果を奏する。本発明はまた、免疫拒絶反応において問題となっているα−Ｇａｌエピトープの除去を達成した。また、本発明は、免疫拒絶反応においておよび感染において問題となっている、ブタ内在性レトロウイルス（Ｐｏｒｃｉｎｅ  ｅｎｄｏｇｅｎｏｕｓ  ｒｅｔｒｏｖｉｒｕｓ：  ＰＥＲＶ）などの感染可能性のあるウイルスも除去することができた。従って、本発明は、従来の脱細胞化組織、人工組織で問題となっていた問題点を解決することができた。【００１６】
本発明の脱細胞化組織および組織グラフトは、宿主への移植の後に、その組織および組織グラフトにおいて宿主由来の細胞による細胞置換の土台を提供し得る。したがって、本発明の脱細胞化組織および組織グラフトは、永久に使用することができるものであるといえる。脱細胞化の効率がさらに上昇し、実質的に細胞がないという脱細胞化組織を提供することができたことによって、移植医学において格別の進歩をもたらすといえ、その意義は筆舌に尽くしがたい。
【図面の簡単な説明】
【００１７】
【図１】図１は、種々のＰＥＧ（平均分子量２００、６００、１０００，２０００）を用いた脱細胞化の検討結果を示す。
【図２】図２は、攪拌の有無での脱細胞化の検討結果を示す。
【図３】図３は、超音波併用での脱細胞化の結果例を示す。
【図４】図４は、ＤＮａｓｅの有無での脱細胞化の結果例を示す。ＰＥＧは平均分子量２０００を用いた。
【図５】実施例１において行ったコントロールの脱細胞化の一例を示す。
【図６】実施例１において行った本発明の脱細胞化の一例を示す。
【図７】実施例１において行った本発明の脱細胞化の一例を示す。
【図８】実施例１において行った本発明の脱細胞化の一例を示す。
【図９】実施例１において行った本発明の脱細胞化の一例を示す。
【図１０】実施例１において行った本発明の脱細胞化の一例を示す。
【図１１】実施例１において行った本発明の脱細胞化の一例を示す。
【図１２】実施例１において行った本発明の脱細胞化の一例を示す。
【図１３】実施例１において行った本発明の脱細胞化の一例を示す。
【図１４】実施例１において行った本発明の脱細胞化の一例を示す。
【図１５】実施例１において行った本発明の脱細胞化の一例を示す。
【図１６】実施例１において行った本発明の脱細胞化の一例を示す。
【図１７】実施例１において行った本発明の脱細胞化の一例を示す。
【図１８】実施例１において行った本発明の脱細胞化の一例を示す。
【図１９】実施例１において行った本発明の脱細胞化の一例を示す。
【図２０】実施例１において行った本発明の脱細胞化の一例を示す。
【図２１】実施例１において行った本発明の脱細胞化の一例を示す。
【図２２】実施例１において行った本発明の脱細胞化の一例を示す。
【図２３】実施例１において行った本発明の脱細胞化の一例を示す。
【図２４】実施例１において行った本発明の脱細胞化の一例を示す。
【図２５】実施例１において行った本発明の脱細胞化の一例を示す。
【図２６】実施例１において行った本発明の脱細胞化の一例を示す。
【図２７】実施例１において行った本発明の脱細胞化の一例を示す。
【図２８】実施例１において行った本発明の脱細胞化の一例を示す。
【図２９】実施例１において行った本発明の脱細胞化の一例を示す。
【図３０Ａ】実施例１において行った本発明の脱細胞化の一例（弁）を示す。
【図３０Ｂ】実施例１において行った本発明の脱細胞化の一例（弁尖）を示す。
【図３１】本発明のＰＥＧ弁の引っ張り試験結果を示す。
【図３２】ネイティブイヌ大動脈の引っ張り試験結果を示す。
【図３３】SDSによる脱細胞方法の三による従来の人工弁の引っ張り試験結果を示す。
【図３４】本発明の脱細胞化組織の皮下移植の結果を示す。
【図３５】図３５には、処理法：ＰＥＧ＋γ線（１００ｋＧｙ）、移植対象：ＨＢＤ（ＨＢ犬）（２０ｋｇ）（下行大動脈）での、１１日後の結果（ＨＥ染色）が示されている。細胞質をＨＥ染色により染色したところ、細胞を認めず、繊維走行の異常認めず、拒絶反応認めなかった。
【図３６】図３６には、処理法：ＰＥＧ＋γ線（１００ｋＧｙ）、移植対象：ＨＢＤ（ＨＢ犬）（２０ｋｇ）（下行大動脈）での、１１日後の結果（ｖＷＦ抗体染色）が示されている。ｖＷＦ抗体染色により血管内皮細胞を染色したところ、血管内皮細胞が一層認められた。
【図３７】図３７には、別の被検体での、処理法：ＰＥＧ＋γ線（１００ｋＧｙ）、移植対象：ＨＢＤ（ＨＢ犬）（２０ｋｇ）（下行大動脈）での、８日後の結果（ＨＥ染色）が示されている。
【図３８】図３８には、別の被検体での、処理法：ＰＥＧ＋γ線（１００ｋＧｙ）、移植対象：ＨＢＤ（ＨＢ犬）（２０ｋｇ）（下行大動脈）での、９日後の結果（ＨＥ染色）が示されている。
【図３９】図３９には、別の被検体での、処理法：ＰＥＧ＋γ線（１００ｋＧｙ）、移植対象：ＨＢＤ（ＨＢ犬）（２０ｋｇ）（下行大動脈）での、３０日後の結果（ＨＥ染色）が示されている。細胞質をＨＥ染色により染色したところ、細胞を認めず、繊維走行の異常認めず、拒絶反応認めなかった。
【図４０】図４０は、別の被検体での、処理法：ＰＥＧ＋γ線（１００ｋＧｙ）、移植対象：ＨＢＤ（ＨＢ犬）（２０ｋｇ）（下行大動脈）での、３０日後の結果（ｖＷＦ抗体染色）が示されている。均一な内皮細胞が一層認められた。
【図４１】別の被検体での、処理法：ＰＥＧ＋γ線（１００ｋＧｙ）、移植対象：ＨＢＤ（ＨＢ犬）（２０ｋｇ）（下行大動脈）での、３０日後の結果（筋肉特異的アクチン抗体の反応性）が示されている。
【図４２】別の被検体での、処理法：ＰＥＧ＋γ線（１００ｋＧｙ）、移植対象：ＨＢＤ（ＨＢ犬）（２０ｋｇ）（下行大動脈）での、３０日後の結果（ビメンチン染色）が示されている。数字は拡大倍数である。
【図４３】実施例８などで、回転に使用したシェーカーである。
【図４４】図４４は、実施例８において使用した本発明の脱細胞化組織の、残存細胞のチェック結果である。図４４は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図４５Ａ】図４５Ａに、実施例８において使用した本発明の脱細胞化組織の、残存ＤＮＡのチェックの結果を示す。図４５Ａは、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図４５Ｂ】図４５Ｂに、実施例８において使用した本発明の脱細胞化組織の、残存ＤＮＡのチェックの結果を示す。図４５Ｂは、左から、ネイティブ（処理無し）、γ線照射についでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。γ線＋ＤＮａｓｅ処理を行ったものではＤＮＡが残存しているが、ＰＥＧ＋ＤＮａｓｅ＋γ線処理を行ったものでは残存ＤＮＡの大幅な減少が認められる。
【図４６】図４６に、実施例８において使用した本発明の脱細胞化組織の、残存タンパク質のチェックの結果を示す。図４６は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図４７】図４７に、実施例８において使用した本発明の脱細胞化組織の、ＴＥＭ（透過電子顕微鏡）によるチェックを行った結果を示す。図４７は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。上段は、×３０００倍を示し、下段は、×３万倍を示す。
【図４８】図４８は、実施例８において使用した本発明の脱細胞化組織の、強度の試験を、引っ張り強さを測定することによって行った結果を示す。図４８は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図４９】図４９に、実施例８において使用した本発明の脱細胞化組織の、免疫拒絶反応のチェックを行った結果を示す。γ線照射１５ｋＧｙのものについて、移植後１週間でのＨＥ染色により確認した。図４９は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図５０】図５０は、実施例８において使用した本発明の脱細胞化組織の、長期移植での免疫拒絶反応のチェックを行った結果を示す。γ線照射１５ｋＧｙのものについて、移植後2ヶ月でのＨＥ染色により確認した。図５０は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図５１】図５１には、実施例８において使用した本発明の脱細胞化組織の、石灰化反応の試験結果を示す。フォンコッサ染色を、１５ｋGy照射したサンプルの移植後2ヶ月に行った結果を示す。図５１は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図５２】図５２には、実施例８において使用した本発明の脱細胞化組織の、石灰化反応についてカルシウム含量測定により評価した結果を示す。１５ｋＧｙ照射したサンプルの移植後２ヶ月に行った結果（カルシウム/サンプル (mg/mg), ）を示す。図５２は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。
【図５３】図５３は、γ線照射によりα−Ｇａｌエピトープが除去されているかどうかを調べた結果を示す。PＥＧ＋ＤＮａｓｅ処理に加えてγ線照射（１００ｋＧｙ）を行うと、α−ｇａｌエピトープが除去されていた。比較対照として、アカゲサルの例を示す。検出は、GS1B4（α１，３Gal)エピトープを、レクチンを用いて検出した。
【図５４】図５４は、γ線照射によりα−Ｇａｌエピトープが除去されているかどうかを調べた結果を示す。PＥＧ＋ＤＮａｓｅ処理に加えてγ線照射（２５ｋＧｙ）を行うと、α−ｇａｌエピトープが除去されていた。この実験では、γ線照射の順序を入れ替えて観察したが、いずれの場合でも顕著にα−Galエピトープが除去されていることが示されている。
【図５５】図５５は、未処理のブタ弁を５例、ＰＥＲＶに関するＲＴ−ＰＣＲ解析にかけた結果を示す。示されるように、未処理ブタ弁においてはＰＥＲＶが検出された。
【図５６】γ線照射処理のブタ弁を５例、およびポジティブコントロールをＰＥＲＶに関するＲＴ−ＰＣＲ解析にかけた結果を示す。示されるように、脱細胞化ブタ弁においてはＰＥＲＶが検出されなかった。
【図５７】図５７は、γ線照射処理のブタ弁について移植後３０日目（３）および５６日目（４）、およびポジティブコントロール（１；未処理ブタ弁）をＰＥＲＶに関するＲＴ−ＰＣＲ解析にかけた結果を示す。示されるように、移植後３０日目及び５６日目に摘出した脱細胞化ブタ弁においてはＰＥＲＶが検出されなかった。
【配列表フリーテキスト】
【００１８】
（配列の説明）
配列番号１は、ＰＥＲＶ検出用フォワードプライマーの配列である。【００１９】
配列番号２は、ＰＥＲＶ検出用リバースプライマーの配列である。【００２０】
配列番号３は、コントロールｐｉｇＧＡＰＤＨ検出用フォワードプライマーの配列である。【００２１】
配列番号４は、コントロールｐｉｇＧＡＰＤＨ検出用リバースプライマーの配列である。【００２２】
配列番号５は、コントロールｄｏｇＧＡＰＤＨ検出用フォワードプライマーの配列である。【００２３】
配列番号６は、コントロールｄｏｇＧＡＰＤＨ検出用リバースプライマーの配列である。
【発明を実施するための最良の形態】
【００２４】
以下、本発明に関し、発明の実施の形態を説明する。本明細書の全体にわたり、単数形の表現（例えば、英語の場合は「ａ」、「ａｎ」、「ｔｈｅ」など、独語の場合の「ｅｉｎ」、「ｄｅｒ」、「ｄａｓ」、「ｄｉｅ」などおよびその格変化形、仏語の場合の「ｕｎ」、「ｕｎｅ」、「ｌｅ」、「ｌａ」など、スペイン語における「ｕｎ」、「ｕｎａ」、「ｅｌ」、「ｌａ」など、他の言語における対応する冠詞、形容詞など）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。【００２５】
（用語の定義）
以下に本明細書において特に使用される用語の定義を列挙する。【００２６】
（再生医療）
本明細書において使用される「再生」（ｒｅｇｅｎｅｒａｔｉｏｎ）とは，個体の組織の一部が失われた際に残った組織が増殖して復元される現象をいう。動物種間または同一個体における組織種に応じて、再生のその程度および様式は変動する。ヒト組織の多くはその再生能が限られており、大きく失われると完全再生は望めない。大きな傷害では、失われた組織とは異なる増殖力の強い組織が増殖し，不完全に組織が再生され機能が回復できない状態で終わる不完全再生が起こり得る。この場合には，生体内吸収性材料からなる構造物を用いて、組織欠損部への増殖力の強い組織の侵入を阻止することで本来の組織が増殖できる空間を確保し，さらに細胞増殖因子を補充することで本来の組織の再生能力を高める再生医療が行われている。この例として、軟骨、骨および末梢神経の再生医療がある。神経細胞および心筋は再生能力がないかまたは著しく低いとこれまでは考えられてきた。近年、自己組織に由来する組織片を用いた再生医療が注目されている。【００２７】
本明細書において使用される「細胞」は、当該分野において用いられる最も広義の意味と同様に定義され、多細胞生物の組織の構成単位であって、外界を隔離する膜構造に包まれ、内部に自己再生能を備え、遺伝情報およびその発現機構を有する生命体をいう。本発明の方法においては、どのような細胞でも対象とされ得る。本発明で使用される「細胞」の数は、光学顕微鏡を通じて計数することができる。光学顕微鏡を通じて計数する場合は、核の数を数えることにより計数を行う。当該組織を組織切片スライスとし、ヘマトキシリン−エオシン（ＨＥ）染色を行うことにより細胞外マトリクス（例えば、エラスチンまたはコラーゲン）および細胞に由来する核を色素によって染め分ける。この組織切片を光学顕微鏡にて検鏡し、特定の面積（例えば、２００μｍ×２００μｍ）あたりの核の数を細胞数と見積って計数することができる。【００２８】
細胞は、石灰化および免疫反応惹起の原因となり得る。従って、組織または臓器の移植のためには、自己由来以外の細胞はできるだけ除去されるべきであり、自己由来の細胞の場合も、通常は免疫拒絶の問題もないことから脱細胞化の必要はないが、脱細胞化が好ましい場面もあることから、できるだけ除去されるべきであり、そのような脱細胞化された組織の提供が渇望されていた。【００２９】
本明細書において「細胞の置換」とは、脱細胞化された組織内で、もとあった細胞に代わり、別の細胞が侵入し置き換わることをいい、「細胞の浸潤」ともいう。好ましくは、本発明では、細胞の置換は、移植された宿主の細胞によって行われる。【００３０】
本明細書において「組織」（ｔｉｓｓｕｅ）とは、細胞生物において、同一の機能・形態をもつ細胞集団をいう。多細胞生物では、通常それを構成する細胞が分化し、機能が専能化し、分業化がおこる。従って、組織とは、細胞の単なる集合体であり得ず、ある機能と構造を備えた有機的細胞集団，社会的細胞集団としての組織が構成されることになる。組織としては、外皮組織、結合組織、筋組織、血管組織、心臓組織、神経組織などが挙げられるがそれらに限定されない。本発明が対象とする組織は、生物のどの臓器または器官由来の組織でもよい。本発明の好ましい実施形態では、本発明が対象とする組織としては、血管、血管様組織、心臓弁、心膜、硬膜、角膜および骨の組織が挙げられるがそれらに限定されない。本発明で用いられるミセル化していない状態の両親媒性分子は、細胞成分の抽出に類似する機構で作用することから、原理的にはどの器官由来の組織でも本発明の方法によって処理され得る。【００３１】
本明細書において「膜状組織」とは、「平面状組織」ともいい、膜状の組織をいう。膜状組織には、心膜、硬膜、角膜などの器官の組織が挙げられる。【００３２】
本明細書において「臓器」または「器官」（ｏｒｇａｎ）とは、互換的に用いられ、生物個体のある機能が個体内の特定の部分に局在して営まれ，かつその部分が形態的に独立性をもっている構造体をいう。一般に多細胞生物（例えば、動物、植物）では器官は特定の空間的配置をもついくつかの組織からなり、組織は多数の細胞からなる。そのような臓器または器官としては、血管系に関連する臓器または器官が挙げられる。１つの実施形態では、本発明が対象とする器官は、虚血性の器官（心筋梗塞を起こした心臓、虚血を起こした骨格筋など）が挙げられる。１つの好ましい実施形態では、本発明が対象とする器官は、血管、血管様組織、心臓弁、心膜、硬膜、角膜および骨である。別の好ましい実施形態では、本発明が対象とする器官は、心臓弁、心膜および血管である。【００３３】
移植するための適切な移植片を調製するためには、必要に応じて器官培養をすることが望ましくあり得る。器官培養とは、生体から摘出した胚器官あるいは成熟器官の一部あるいは全体を，その構造、機能および分化能を保持したまま、インビトロで培養することをいう。これに対し、一般の組織培養では、細胞増殖を主たる目的とするために、むしろ脱分化を起こしやすい。器官培養としては、時計皿法、ブロックシャーレ法、支持台法、スポンジ基質法、Ｔｒｏｗｅｌｌ法などがあるがこれらに限定されない。蛋白質・核酸・酵素  ４５、２１８８−２２００（２０００）に記載されるような大量細胞培養（例えば、ホロファイバー法、固定床型、スピンフィルター、沈降槽型、灌流培養、循環式器官培養法（ｃｉｒｃｕｌａｔｉｏｎ  ｔｙｐｅ  ｏｒｇａｎ  ｃｕｌｔｕｒｅ）など）も用いられ得る。本発明の脱細胞化方法によって調製された器官または組織を培養培地にいれ、その器官培養培地に種々の物質を加えることによって、構造、機能および発育分化への調整、ならびに器官対器官の相互作用などの調節を行うことができる。【００３４】
本明細書において「脱細胞（化）」および「脱細胞（化）する」とは、組織または器官から細胞を除去することをいう。好ましくは、脱細胞化はもとの組織または器官の構造および機能を損傷することなく行われ得る。脱細胞化が行われた組織からは、細胞質成分、細胞質ゾル成分、細胞骨格および細胞膜成分は除去されているが、細胞外マトリクス（ＥＣＭ）成分（例えば、エラスチン、コラーゲン（Ｉ型、ＩＶ型など）、ラミニンなど）、組織の構造を保持するために必要な細胞の成分は未変性のまま保持されている。したがって、脱細胞化された組織または器官は、組織または器官の形状、力学的強度、弾性、柔軟性などの諸性質は未処理の組織または器官と実質的に同等であることが好ましい。また、移植後には細胞外マトリクスが未変性であるために、レシピエント側の細胞の侵入、接着、増殖、分化形質の発現、維持に好適な環境を提供し、自己細胞により構成される組織に置き換わることが好ましい。脱細胞化の程度は、細胞残存率を指標に測定することができる。【００３５】
脱細胞化された組織は、ＭＨＣクラスＩおよびＩＩタンパク質が除去されていることが好ましい。このようなＭＨＣクラスＩおよびＩＩタンパク質は、ＳＤＳ  ＰＡＧＥおよび／またはウェスタンブロット分析により確認することができる。他の細胞外マトリクスタンパク質もまた、ＳＤＳ  ＰＡＧＥおよび／またはウェスタンブロット分析により確認することができる。細胞中の構造タンパク質（コラーゲン、エラスチンなど）はアミノ酸分析（例えば、エドマン分解法など、あるいはＡｐｐｌｉｅｄ  Ｂｉｏｓｙｓｔｅｍｓなどから入手可能なペプチド分析機器による自動分析など）により評価することができる。その結果により、脱細胞化プロセスのＥＣＭへの影響を判断することができる。細胞膜および細胞中に含まれる脂質およびリン脂質は、薄層クロマトグラフィーおよびＨＰＬＣを用いて分析することができる。糖鎖（例えば、グリコサミノグリカンなど）は、アガロースゲル電気泳動などにより分析することができる。この分析により、細胞外マトリクスのグリコサミノグリカン組成のほか、α−Ｇａｌなどの存在も分析することができる。【００３６】
本明細書において「細胞残存率」とは、本発明の方法により組織の脱細胞化を行った後に残る生存細胞の、その組織にもともと存在していた細胞に対する比率をいう。本明細書において細胞残存率を測定する方法は、ヘマトキシリンおよびエオシン染色（Ｈ＆Ｅ染色）による顕微鏡による計数法が代表的に用いられ、この方法は、ＨＥ染色により染め分けた核を光学顕微鏡により検鏡により計数することを利用する。従って、この方法は例えば、以下の工程を包含する：サンプルをＨＥ染色により染め分ける工程；このサンプルにおいて１００μｍ×１００μｍの面積に存在する核の数（＝細胞数）を計数する工程；必要に応じて計数を複数（例えば、８回）行い、その平均を取る工程；コントロール（例えば、未処理の組織を１００％とする）に対する割合を算出する工程を包含する。コントロールに対する割合は、例えば、未処理組織に対する残存核の割合を細胞残存率とすることができる。従って、この場合、細胞残存率（％）＝（処理組織中の核の数）／（未処理組織中の核の数）×１００で算出することができる。細胞残存率はまた、残存するＤＮＡ量を測定することによっても測定することができる。細胞が有するＤＮＡの量の組織における総量は、一般に組織における細胞数に比例することが知られているからである。ＤＮＡを測定する方法は、当該分野において公知であり、例えば、Ｍｏｌｅｃｕｌａｒ  Ｐｒｏｂｅｓ社のＨｏｅｃｈｓｔ  ３３２５８などの蛍光試薬を用いて組織より抽出したＤＮＡ量を定量することができる。具体的には、組織を破砕超音波処理などでゾル化し、緩衝液中ＤＮＡ成分に特異的に結合し、かつ蛍光能を発生させるＨｏｅｃｈｓｔ  ３３２５８（Ｅｘ（励起波長）３５６、ＥＭ（発光波長）４９２）を反応させ、抽出上清中のＤＮＡ量を蛍光強度として測定し、定量することができる。ある組織の細胞残存率が「生体内において免疫反応を惹起するレベル未満」であるとは、その組織を生体内に移入したときに、一定期間（例えば、数ヶ月〜数年、好ましくは、寿命の間永久に）免疫反応が惹起しないことをいう。【００３７】
本明細書において「免疫反応」とは、移植片と宿主との間の免疫寛容の失調による反応をいい、例えば、超急性拒絶反応（移植後数分以内）（β−Ｇａｌなどの抗体による免疫反応）、急性拒絶反応（移植後約７〜２１日の細胞性免疫による反応）、慢性拒絶反応（３カ月以降の細胞性免疫による拒絶反応）などが挙げられる。【００３８】
本明細書において免疫反応を惹起するかどうかは、ＨＥ染色などを含む染色、免疫染色、組織切片の検鏡によって、移植組織中への細胞（免疫系）浸潤について、その種、数などの病理組織学的検討を行うことにより判定することができる。【００３９】
本明細書において「石灰化」とは、生物体で石灰質が沈着することをいう。【００４０】
本明細書において生体内で「石灰化する」かどうかは、カルシウム濃度を測定することによって判定することができ、移植組織を取り出し、酸処理などにより組織切片を溶解させ、その溶液を原子吸光度などの微量元素定量装置により測定し、定量することができる。【００４１】
本明細書において「生体内」または「インビボ」（ｉｎ  ｖｉｖｏ）とは、生体の内部をいう。特定の文脈において、「生体内」は、目的とする組織または器官が配置されるべき位置をいう。【００４２】
本明細書において「インビトロ」（ｉｎ  ｖｉｔｒｏ）とは、種々の研究目的のために生体の一部分が「生体外に」（例えば、試験管内に）摘出または遊離されている状態をいう。インビボと対照をなす用語である。【００４３】
本明細書において「エキソビボ」とは、遺伝子導入を行うための標的細胞を被験体より抽出し、インビトロで治療遺伝子を導入した後に、再び同一被験体に戻す場合、一連の動作をエキソビボという。【００４４】
本明細書においてある組織の「未処理状態で有する機能」とは、その組織が正常状態で生体内で有する機能をいう。従って、例えば、心臓弁の場合、通常心室から心房または肺動脈および大動脈から心房へ血液の逆流を防ぐ機能を有することから、心臓弁が未処理状態で有する機能とは、心室から心房または肺動脈および大動脈から心房へ血液の逆流を防ぐ機能をいう。【００４５】
本明細書において「細胞外マトリクス」（ＥＣＭ）とは「細胞外基質」とも呼ばれ、上皮細胞、非上皮細胞を問わず体細胞（ｓｏｍａｔｉｃ  ｃｅｌｌ）の間に存在する物質をいう。細胞外マトリクスは、組織の支持だけでなく、すべての体細胞の生存に必要な内部環境の構成に関与する。細胞外マトリクスは一般に、結合組織細胞から産生されるが、一部は上皮細胞や内皮細胞のような基底膜を保有する細胞自身からも分泌される。線維成分とその間を満たす基質とに大別され、線維成分としては膠原線維および弾性線維がある。基質の基本構成成分はグリコサミノグリカン（酸性ムコ多糖）であり、その大部分は非コラーゲン性タンパクと結合してプロテオグリカン（酸性ムコ多糖−タンパク複合体）の高分子を形成する。このほかに、基底膜のラミニン、弾性線維周囲のミクロフィブリル（ｍｉｃｒｏｆｉｂｒｉｌ）、線維、細胞表面のフィブロネクチンなどの糖タンパクも基質に含まれる。特殊に分化した組織でも基本構造は同一で、例えば硝子軟骨では軟骨芽細胞によって特徴的に大量のプロテオグリカンを含む軟骨基質が産生され、骨では骨芽細胞によって石灰沈着が起こる骨基質が産生される。本発明の１つの実施形態では、細胞外マトリクス（たとえば、エラスチン、コラーゲン（例えば、Ｉ型、ＩＶ型など）、ラミニンなど）は本発明の脱細胞化処理をする前の状態からは実質的に変化していないことが特徴であり得る。【００４６】
本明細書において「組織損傷率」とは、組織または器官の機能を示すパラメータをいい、処理後の組織または器官がどの程度損なわれ傷ついているかの指標であり、その組織または器官の本来の機能を発揮することができるかどうかの指標である。本明細書において組織損傷率を測定する方法は、当該分野において公知であり、例えば、エラスチン断裂部位を計数することによって判定することができる。本明細書において用いられる方法では、一視野を１００μｍ×１００μｍごとのユニットに区切り、ユニットを単位としてエラスチン断裂部位がある場合にカウントして算出した。一視野あたり２４ユニットが存在した。ＨＥ染色により組織切片における細胞外マトリクスの検鏡により計数し、未処理組織を０％となるように規定し、損傷率＝ｘ／２４で算出する。この場合未処理をｘ＝０として規定する。【００４７】
本明細書において「組織強度」とは、組織または器官の機能を示すパラメータをいい、その組織または器官の物理的強度であり、一般に、引っ張り強さを測定することにより判定することができる。そのような一般的な引っ張り試験は周知である。【００４８】
本明細書では、（１）検体を５×３０mmの短冊状に切る。（基本的に大動脈基部のwallの部分を長軸方向に長くなるように切る。）；（２）引っ張り試験器の固定部分に検体の両端約５mmを固定する。（ORIENTEC社製TENSILON万能試験機RTC-1150Aを使用）；および（３）引っ張り開始し破断点まで１cm/minの速度で引っ張る。という作業を行うことによって、破断点における負荷を強度をして採用する。ここでは、破断点負荷および弾性率を測定する。【００４９】
本発明の脱細胞化組織が有する強度は、通常、最大点荷重が、少なくとも約８Ｎ以上、より好ましくは、約１０Ｎ以上、さらに好ましくは約１１Ｎ以上であり得る。従来の脱細胞化組織あるいは天然の組織（例えば、動脈）では、７Ｎ程度であることが多かったこと、および脱細胞化処理では、組織強度を増強する効果はないかあってもほとんどないことを考慮すれば、本発明の組織強度強化能力は予想外といえる。【００５０】
好ましい実施形態では、弾性率でみると、本発明の脱細胞化組織は、通常少なくとも１.２ＭＰａ以上の弾性率を有し、好ましくは少なくとも約２ＭＰａの弾性率を有するが、本発明の脱細胞化組織は、使用に耐え得る限り、天然物よりも劣る弾性率（例えば、少なくとも０．８、０．８〜１．０ＭＰａなど）を有していてもよい。【００５１】
伸びの測定は、強度測定で使用した引張試験機（ＴＥＮＳＩＬＬＯＮ  ＯＲＩＥＮＴＥＣ）で行うことができる。具体的には、幅５ｍｍ長さ３０ｍｍの短冊状素材を短軸方向に１０ｍｍ／分の速度で荷重負荷し、破断点負荷および弾性率を測定することができる。具体的には、伸びの測定は、引張り刺激の前後での各方向の長さを測定し、引張り後の長さを引張り前の長さで割り１００を乗ずることによって得ることができる。通常、伸びは、縦方向と横方向とを両方測定する。この両方の伸びにばらつきがないほうが好ましいがそれに限定されない。用途に応じて、伸びに関する特性は、例えば、少なくとも１２０％、好ましくは１５０％であることが好ましいが、それに限定されない。伸びに関する特性についても、本発明の脱細胞化組織は、使用に耐え得る限り、天然物よりも劣る伸び（例えば、少なくとも５０％など）を有していてもよい。【００５２】
一般的な引っ張り試験によって得られたデータの解析により、破断強度、剛性率、ヤング率などの種々のデータを得ることができ、そのような値もまた、本明細書において組織強度の指標として用いることができる。本明細書において管状組織の場合、組織強度は、剛性パラメータ（β値）で表現することができる。β値は、Ｐ−Ｄ（圧力−直径）関係を作成した後、
Ｌｎ（Ｐ／Ｐｓ）＝β（Ｄ／Ｄｓ−１）      （１）
で算出することができる。ＰｓおよびＤｓは、１００ｍｍＨｇでの標準値を示す。ＰおよびＤ各々のＰ（圧力）における直径（Ｄ）の値を示す。【００５３】
血管などの管状組織の両端をパイプ状のユニットに固定し、生理食塩水中に内室および外室を満たす。この状態から、内室へ圧力を外武装置より加えていくと同時に、その加圧時の外径をモニタリングする。その測定によって得られる圧力と、外径との関係を上記（１）の式に導入して、β値を算出する（Ｓｏｎｏｄａ  Ｈ，Ｔａｋａｍｉｚａｗａ  Ｋ．，ｅｔ  ａｌ．Ｊ．Ｂｉｏｍｅｄ．Ｍａｔｒ．Ｒｅｓ．２００１：２６６−２７６）。【００５４】
本明細書において「両親媒性分子」とは、親水基（カルボキシ基、硫酸基、第４アンモニウム基、ヒドロキシ基など）および疎水基（親油基ともいう。長鎖の炭化水素基など）の両方を有する分子をいう。極性溶媒および無極性溶媒のいずれにもなじむ。この性質を両親媒性（ａｍｐｈｉｐｈｉｌｉｃ）という。【００５５】
本明細書において「界面活性剤」とは、液体に溶けて表面張力を著しく低下させる作用を有する物質をいう。分子内に親水性部分と疎水性部分とが分れて存在することから、界面に吸着しやすく、また一定の濃度（臨界ミセル濃度）以上ではミセルとよばれる分子集合体を形成する。従って本明細書において界面活性剤と両親媒性分子とはその対象が一部重複する。本明細書において「ミセル」とは、界面活性剤など両親媒性分子を水に溶かすと、ある濃度以上で親水基を外に親油基を内に向けて会合したものをいう。ミセルの形成はある濃度で突然におこり、この濃度を「臨界ミセル濃度」といい、この濃度を境として水溶液の性質は顕著に変化する。このミセル形成によって、界面活性剤の親水親油バランスにより二相界面に分子が強く吸着し、界面の自由エネルギーを顕著に下げることによってタンパク質、脂質などの細胞成分を可溶化する作用を奏する。脱細胞化に使用される界面活性剤は、一般に臨界ミセル濃度以上の濃度で使用され（例えば、１％）、したがって、自由エネルギーの下降による機構によって脱細胞化処理が達成されている。臨界ミセル濃度は、物質によって決まっており、周知であるか、あるいは、水溶液を調製することによって容易に測定することができる。【００５６】
本明細書において「ミセル化しない」とは、所定の濃度で上述のミセルを形成しない、両親媒性分子の性質をいう。好ましくは、ミセル化しない性質は、どの濃度でも保有され得る。本発明において用いられる物質（例えば、ポリエチレングリコール単体）は、臨界ミセル濃度を水溶液中において有することはないことが望ましい。【００５７】
本明細書において「ミセル化しない両親媒性分子」とは、所定の濃度でミセルを形成しない両親媒性分子をいう。好ましくは、そのような分子は水溶液として存在し得る濃度において臨界ミセル濃度を有せず、したがってすべての濃度にわたってミセル化しない。ミセル化しない両親媒性分子を使用する場合、脱細胞化処理は、化学的に抽出するという技法を利用する細胞成分の抽出に類似した機構で行われ得る。したがって、ミセル化しない両親媒性分子溶液による脱細胞化処理は、従来の界面活性剤による脱細胞化処理とは、異なる。その結果、組織の損傷度合いに顕著な相違が生じる。本明細書において、脱細胞化処理は、ミセル化しない両親媒性分子であればどのような分子を使用してもよいが、好ましくは、１，２−エポキシドポリマーが使用され、特にポリエチレングリコールが用いられる。【００５８】
本明細書において「ミセル化していない状態」とは、両親媒性分子について言及するとき、ミセルを形成していない状態をいう。そのようなミセルを形成していない状態は、臨界ミセル濃度未満の濃度の両親媒性分子またはミセルを形成しない両親媒性分子によって達成され得る。従って、このようなミセル化していない状態は、１，２−エポキシドポリマー（特にポリエチレングリコール）によって達成され得るが、ＳＤＳ、Ｔｒｉｔｏｎ  Ｘ−１００（登録商標）などの界面活性剤でも、臨界ミセル濃度未満で存在する場合には、達成され得、本発明において使用可能である。【００５９】
本明細書において「１，２−エポキシドポリマー」とは、モノマーとしての１，２−エポキシドが重合して形成されるポリマーをいう。１，２−エポキシドポリマーとしては、エチレンオキシドポリマーまたはそのコポリマー（共重合体）、プロピレンオキシドまたはそのコポリマー（共重合体）、およびそれを超える高級１，２−エポキシドポリマーまたはそのコポリマーが挙げられるがそれらに限定されない。１，２−エポキシドとは、分子内ですでに結合している２つの炭素原子に酸素原子が結合する構造をもつ化合物であって、１位と２位とに酸素原子が結合しているものをいう。１，２−エポキシドの例としては、エチレンオキシド、プロピレンオキシド、ブチレンオキシド、エピクロロヒドリンなど挙げられるそれらに限定されない。１，２−エポキシドポリマーとしては、エチレンオキシドポリマー、プロピレンオキシドポリマー、それらのコポリマー、ポリプロピレングリコール、ポリエチレングリコールなどが挙げられるがそれらに限定されない。好ましくは、１，２−エポキシドポリマーは、ポリエチレングリコール、ポリプロピレングリコールなどがあるがそれらに限定されない。もっとも好ましくは、１，２−エポキシドポリマーは、ポリエチレングリコールである。好ましくは、１，２−エポキシドポリマーは、両親媒性を有する。【００６０】
本明細書において「ポリエチレングリコール（ＰＥＧ）」とは、エチレングリコールのポリマーをいい、ポリエチレンオキシド（ｐｏｌｙ（ｅｔｈｙｌｅｎｅ  ｏｘｉｄｅ））ともいわれ、ＨＯ−（ＣＨ２ＣＨ２Ｏ）ｎ−Ｈで表される。ポリエチレングリコールは、種々の企業から市販されており、例えば、Ｕｎｉｏｎ  Ｃａｒｂｉｄｅ（Ｃａｒｂｏｗａｘ）、Ｄｏｗ（Ｐｏｌｙｇｌｙｃｏｌ  Ｅ）、Ｔｅｘａｃｏ  Ｃｈｅｍｉｃａｌ）Ｊｅｆｆｏｘ）、Ｏｌｉｎ（ＰｏｌｙＧ）、ＢＡＳＦ  Ｗｙａｎｄｏｔｔｅ（Ｐｌｕｒａｃｏｌ  Ｅ）、Ｈｏｄａｇ、ＩＣＩ  Ａｍｅｒｉｃａｓ（ＡＴＥＧ）、Ｎａｃａｌａｉ  ｔｅｓｑｕｅ、日本油脂などから市販されている。通常、ＰＥＧは、平均分子量が２００と６０００との間である。そのようなＰＥＧとしては、Ｎａｃａｌａｉ  ｔｅｓｑｕｅのｐｏｌｙｅｔｈｙｌｅｎｅ  ｇｌｙｃｏｌ（Ｈ（ＯＣＨ２ＣＨ２）ｎＯＨ）＃分子量（例えば、２００、６００、１０００、２０００、６０００）のような製品が挙げられる。通常、ＰＥＧとしては、平均分子量が２００と２０００との間のものが用いられる。好ましくはＰＥＧは、平均分子量が１０００と２０００との間である。別の好ましい実施形態では、ＰＥＧは、平均分子量が１０００以下であり得る。より好ましくはＰＥＧは、平均分子量が１５００と２０００との間であり得る。このようにＰＥＧは市販されているが、所望の特性を達成するために、適宜合成することもできる。そのような合成方法は当該分野において周知である。なお、本明細書において平均分子量および分子量は、ダルトン（Ｄａｌｔｏｎ）であらわす。本発明において使用されるＰＥＧは、分子が均質であることが好ましいが、そのことは必須ではなく、平均分子量が一定範囲にあれば通常使用することができる。本発明において脱細胞化を調製するために、ＰＥＧ以外の化学物質（例えば、酵素（例えばＤＮａｓｅＩのようなＤＮａｓｅなどのヌクレアーゼなど）、酵素阻害剤などを含むがそれらに限定されない）を加えることができる。ＰＥＧ以外の化学物質を加えると、加えるべきＰＥＧの量または濃度は、その化学物質の存在量に応じて変動し得る。好ましくは、細胞融合などで用いられる濃度がよく、例えば、１ｇ／ｍｌ以上（１００ｗ／ｗ以上）の濃度が好ましいが、それに限定されない。【００６１】
本明細書において「浸す」とは、ある物体をある流体（例えば、液体）の中に入れることをいう。本発明においては、処理すべき組織を、処理のための本発明のミセル化していない状態の両親媒性分子（例えば、ポリエチレングリコールのような１，２−エポキシドポリマー）含有溶液に入れることを「浸す」という。従って、浸す工程は、好ましくは、処理すべき組織が処理のための溶液中に完全に浸透するように行われる。また、浸す工程においては、好ましくは、除去すべき成分の除去を効率的に行うために、物理的な処理（例えば、ガラス棒でしごく）を行ってもよい。【００６２】
本明細書において「洗浄する」工程は、本発明のミセル化していない状態の両親媒性分子（例えば、１，２−エポキシドポリマー）を含む溶液に浸す工程によって処理された組織からその溶液を取り除くことをいう。従って、好ましくは、洗浄する工程は、液体を用いて行われる。本発明においては、処理された組織は、生体での使用が企図されることから、生理的に受容可能な液体で洗浄されることが好ましい。１つの好ましい実施形態では、洗浄する工程は、ＰＢＳ（リン酸緩衝化生理食塩水）を用いて行われ得る。洗浄液には、必要に応じて他の薬剤（例えば、プロテアーゼ阻害剤）が含まれていてもよいが、そのような他の薬剤は、毒性を示さず生体適合性であることが好ましい。【００６３】
本明細書において「化学的処理」とは、広義には、ある物体を化学物質で処理（例えば、浸すことによる）することをいう。ただし、本明細書において使用される場合、化学的処理は、主要な工程としての１，２−エポキシドポリマー（例えば、ポリエチレングリコール）を含む溶液に浸す工程以外の他の工程を指す。従って、本発明の方法において、例えば、平均分子量が１０００〜２０００のポリエチレングリコール含有溶液に浸す工程の他に化学的処理が施される場合、化学的処理は、平均分子量が１０００〜２０００のポリエチレングリコール含有溶液以外の溶液（例えば、ＤＮａｓｅＩ溶液での処理、グルタルアルデヒド溶液、他の平均分子量を有するポリエチレングリコール溶液、他の１，２−エポキシドポリマー溶液などを含むがそれらに限定されない）に浸す工程を包含する。【００６４】
本明細書において「ラジカル反応」とは、離基反応ともいい、反応の過程に遊離基が関与する化学反応をいう。【００６５】
ラジカル反応としては、例えば、以下が挙げられる：
１）安定な分子の結合が切れて遊離基ができる反応
たとえば    Ｃ３Ｈ８→ＣＨ３・＋Ｃ２Ｈ５・
２）遊離基と安定な分子とが反応して他の分子と遊離基とができる反応
たとえば    ＣＨ３・＋ＣＨ３ＣＯＣＨ３→ＣＨ４＋ＣＨ３ＣＯＣＨ３・
３）遊離基に安定な分子が反応して大きい遊離基をつくる反応
たとえば    ＣＨ３・＋Ｃ２Ｈ４→Ｃ３Ｈ７・
４）遊離基が分解して小さい遊離基と分子とができる反応
たとえば    ｎ−Ｃ３Ｈ７・→Ｃ２Ｈ４＋ＣＨ３・
５）遊離基どうしの反応
再結合反応    ＣＨ３・＋ＣＨ３・→Ｃ２Ｈ６
不均化反応    Ｃ２Ｈ５・＋Ｃ２Ｈ５・→Ｃ２Ｈ４＋Ｃ２Ｈ６。【００６６】
本明細書において「ラジカル」は、フリーラジカルとも呼ばれ、不対電子をもつ化学種をいう。不対電子２個をもつものは、ビラジカルという。ラジカルとしては、例えば、オゾン、過酸化水素、ならびに２，２−ジフェニル−１−ピクリルヒドラジル（ＤＰＰＨ）、ジ−ｔ−ブチルアミノキシルなどの安定で、通常の物質と同じように取り扱えるラジカル；トリフェニルメチル遊離基などの溶液中でだけ存在し得るラジカルが挙げられるがそれらに限定されない。【００６７】
本明細書において「ラジカル反応」を受けたかどうかは、引っ張り試験に於ける破断強度の減少など機械的な強度がして脆くなると言う力学的な変化の他、血管や弁に見られるエラスチン、コラーゲン等の細胞外基質を多く含む弾性板の層状構造、これらを構成する繊維束構造の乱れという分子構造上の特徴を顕微鏡などで観察することによって、確認することができる。【００６８】
本明細書において「フリーラジカル供給源」とは、ラジカルを供給することができる因子をいい、上述のようなラジカル状態にある物質、またはラジカルを供給することができる装置（例えば、Ｘ線照射装置、紫外線照射装置、電子線照射装置、γ線照射装置など）などが挙げられるがそれらに限定されない。【００６９】
一般に、このような遊離基は、Ｘ線照射、紫外線照射、電子線照射、γ線照射、分子の熱分解、光分解、放射線分解、電子授受などによって化学結合が切断されて生じる。そのようにして生じた遊離基は、例えば、メチル遊離基・ＣＨ３、メチレン遊離基：ＣＨ２などのように、きわめて化学的活性に富み、速やかに遊離基同士または安定分子との反応（ラジカル反応）によって変化する。このような遊離基は、本明細書において使用されるフリーラジカル供給源の一例である。【００７０】
これらの生成物の検索から、そこにどのような遊離基が生成しかつ反応したかを知ることができる。ラジカルは、化学的方法および電子スペクトル、常磁性共鳴吸収などの測定法の進歩によって確認することができる。きわめて寿命の短いラジカル（例えば、・ＯＨ）についても閃光光分解法、剛体溶媒法、マトリクス単離法などによって存在を確認することができる。ただし、遷移金属錯体の金属原子が１個または複数個の不対電子をもつ場合は、通常遊離基とはよばない。【００７１】
本明細書において「γ線」とは、波長が 0.001 nm よりも短い電磁波をいう。エネルギーで表わせば数 100 keV 以上の光量子であることになる。通常、原子核のエネルギー準位間の遷移の際にγ線が放出される。γ線の放出源としては、例えば、任意の放射線源が挙げられるが、60Co（コバルト６０）、137Cs（セシウム１３７）の線源が好ましい。脱細胞化組織の処理に好ましいからである。【００７２】
γ線の照射量は、ｋＧｙ単位で表示することが多く、照射量は、照射量は、吸収線量の測定により測定することができる。そのような測定には空洞電離箱、熱量計、フィルム線量計、PMMA線量計、等の測定装置が用いられる。【００７３】
本明細書において「紫外線」とは、可視光線の短波長端約360〜400nmを上限とし，下限は約1nmまでの波長範囲の電磁波をいう。下限はあまり明確でなく，数十nm以下は軟X線と重なることから、本明細書では、Ｘ線と重複する範囲をさすことが理解される。光源にとしては、例えば、石英水銀灯、炭素アーク灯、火花放電、水素または希ガスの放電、シンクロトロン放射などが用いられ得るがそれらに限定されない。【００７４】
本明細書において「Ｘ線」とは、レントゲン線とも呼ばれ、波長が0.001nm以上、好ましくは0.01nm〜数十nm程度の範囲の電磁波をいう。短波長側は透過力が大きく、γ線に移行し、長波長側は透過力が弱く、紫外線に移行する。したがって、γ線とＸ線との波長は一部重複する。Ｘ線管の熱陰極から出る電子を高圧で加速し、水冷した対陰極(陽極)に衝突させて発生するＸ線には対陰極物質に関係なく、制動放射で生じる連続スペクトルの連続X線と，対陰極物質に固有な線スペクトルを有する特性X線とがあるが、本発明ではどのようなＸ線であっても用いることができる。Ｘ線の照射源としては、通常、Ｘ線管が用いられ、熱電子X線管(クーリッジ管)、ガスＸ線管などが挙げられるがそれらに限定されない。熱陰極から出た電子線は_ウェーネルト電極で集束されて陽極面に焦点を結び，X線を発生させる．X線をとり出す窓にはベリリウム板などがよく使われる．陽極物質としては連続X線でよい場合はタングステンが用いられ、特性Ｘ線特にKα線を得たい場合は鉄、銅、モリブデン、銀などが多く用いられる。加速電圧はふつう30〜100kVの範囲であるが、それに限定されず、透過能の大きいＸ線を得たいときはより高い電圧が使われ得る。本明細書では、どのような加速電圧であっても用いられ得ることが理解される。【００７５】
本明細書において「ラジカルスカベンジャー」とは、化学系または生化学系中のフリーラジカルと結合してラジカルの化学活性を低下させる分子をいう。理論に束縛されることを望まないが、本発明において使用される両親媒性分子は、ラジカルスカベンジャーとしても作用することが予想される。【００７６】
本明細書では、ラジカル反応は、通常、フリーラジカルへの暴露によって達成されるがそれらに限定されない。ラジカル反応は、例えば、γ線照射、紫外線照射、フリーラジカル供給源への暴露、超音波およびＸ線などによって施すことができる。フリーラジカル供給源としては、例えば、上述のような安定なラジカル、溶液中に存在するラジカルなどが挙げられるがそれらに限定されない。照射によるラジカル反応の方が好ましい。組織全体にラジカル反応効果をいきわたらせることができるからである。【００７７】
本明細書において「電子線」とは、実質的に一定の運動エネルギーを有する電子のビームをいう。ド・ブロイ波で表わされる波動性をもつ。通常、熱電子を真空中で加速して作ることができる。電子線供給源としては、例えば、電子線管、電子銃などが挙げられるがそれらに限定されない。電子銃は、電子を放出する陰極と加速陽極を備え、特定方向に電子ビームを射出する装置である。通常、熱陰極を用い、陽極との間に中心に孔のあいた数枚の円板あるいは円筒状電極を同軸上において、目的に応ずる太さと平行度をもつビームをつくる．冷陰極放出や気体放電を利用する。【００７８】
上述の紫外線照射には光量計による測定、超音波暴露には熱量計による測定または投入電力量による表示、または過酸化水素生成量、電子線については、電流量測定またはγ線と同様の測定、Ｘ線についてはγ線と同様の空洞電離箱、熱量計、フィルム線量計、PMMA線量計、等の測定装置が用いられる。【００７９】
本明細書において「真空」とは、1×10−１Pa以下の圧力をいう。本明細書において「減圧」下とは、1×10−１Pa〜1×10５Paの範囲の圧力をいう。【００８０】
本明細書において「大気」とは、通常用いられる意味で用いられ、通常、組成として窒素78％，酸素21％，アルゴン1％，二酸化炭素0.03％，水蒸気約0.3％となっているものが使用される。【００８１】
本明細書において「酸素中」とは、大気よりも酸素濃度が高い環境をさす。好ましくは、酸素中は、実質的に１００％の酸素の存在をいう。【００８２】
本明細書において「水中」とは、実質的にＨ２Ｏのみからなる媒体中における反応をいう。水としては、水道水の他、蒸留水、イオン交換水などが用いられるがそれらに限定されない。【００８３】
本明細書においてラジカル反応が行われる「両親媒性分子溶液」としては、脱細胞化を行うものと実質的に同じ両親媒性分子溶液が用いられ得るが、異なるものが用いられてもよい。【００８４】
本明細書において「生理活性物質」（physiologically active substance）とは、細胞または組織に作用する物質をいう。生理活性物質には、サイトカインおよび増殖因子が含まれる。生理活性物質は、天然に存在するものであっても、合成されたものでもよい。好ましくは、生理活性物質は、細胞が産生するものまたはそれと同様の作用を有するものである。本明細書では、生理活性物質はタンパク質形態または核酸形態あるいは他の形態であり得るが、実際に作用する時点においては、サイトカインは通常はタンパク質形態を意味する。【００８５】
本明細書において使用される「サイトカイン」は、当該分野において用いられる最も広義の意味と同様に定義され、細胞から産生され同じまたは異なる細胞に作用する生理活性物質をいう。サイトカインは、一般にタンパク質またはポリペプチドであり、免疫応答の制禦作用、内分泌系の調節、神経系の調節、抗腫瘍作用、抗ウイルス作用、細胞増殖の調節作用、細胞分化の調節作用などを有する。本明細書では、サイトカインはタンパク質形態または核酸形態あるいは他の形態であり得るが、実際に作用する時点においては、サイトカインは通常はタンパク質形態を意味する。【００８６】
本明細書において用いられる「増殖因子」または「細胞増殖因子」とは、本明細書では互換的に用いられ、細胞の増殖を促進または制御する物質をいう。増殖因子は、成長因子または発育因子ともいわれる。増殖因子は、細胞培養または組織培養において、培地に添加されて血清高分子物質の作用を代替し得る。多くの増殖因子は、細胞の増殖以外に、分化状態の制御因子としても機能することが判明している。【００８７】
サイトカインには、代表的には、インターロイキン類、ケモカイン類、コロニー刺激因子のような造血因子、腫瘍壊死因子、インターフェロン類が含まれる。増殖因子としては、代表的には、血小板由来増殖因子（ＰＤＧＦ）、上皮増殖因子（ＥＧＦ）、線維芽細胞増殖因子（ＦＧＦ）、肝実質細胞増殖因子（ＨＧＦ）、血管内皮増殖因子（ＶＥＧＦ）のような増殖活性を有するものが挙げられる。【００８８】
サイトカインおよび増殖因子などの生理活性物質は一般に、機能重複現象（ｒｅｄｕｎｄａｎｃｙ）があることから、他の名称および機能で知られるサイトカインまたは増殖因子であっても、本発明に使用される生理活性物質の活性を有する限り、本発明において使用され得る。また、サイトカインまたは増殖因子は、本明細書における好ましい活性を有してさえいれば、本発明の治療法または医薬の好ましい実施形態において使用することができる。【００８９】
本明細書において「分化」とは、細胞、組織または器官のような生物の部分の状態の発達過程であって、特徴のある組織または器官を形成する過程をいう。「分化」は、主に発生学（embryology）、発生生物学（developmental  biology）などにおいて使用されている。１個の細胞からなる受精卵が分裂を行い成体になるまで、生物は種々の組織および器官を形成する。分裂前または分裂が十分でない場合のような生物の発生初期は、一つ一つの細胞や細胞群が何ら形態的または機能的特徴を示さず区別することが困難である。このような状態を「未分化」であるという。「分化」は、器官のレベルでも生じ、器官を構成する細胞がいろいろの違った特徴的な細胞または細胞群へと発達する。これも器官形成における器官内での分化という。従って、本発明における再生では、細胞の分化とは、その細胞が処理前には持っていなかった何らかの形態的または機能的な特徴を有するようになることをいう。そのような例としては、心臓弁の場合、細胞として幹細胞（例えば、胚性幹細胞または組織幹細胞）を提供したとき、心臓弁に存在する細胞または組織と少なくとも部分的に同様の形態または機能をその細胞が有するようになることが挙げられる。【００９０】
本明細書において「移植片」、「グラフト」および「組織グラフト」は、交換可能に用いられ、身体の特定部位に挿入されるべき同種または異種の組織または細胞群であって、身体への挿入後その一部となるものをいう。移植片としては、例えば、臓器または臓器の一部、血管、血管様組織、皮片、心臓弁、心膜、硬膜、角膜骨片、歯などが挙げられるがそれらに限定されない。従って、移植片には、ある部分の欠損部に差し込んで欠損を補うために用いられるものすべてが包含される。移植片としては、そのドナー（donor）の種類によって、自己（自家）移植片（autograft）、同種移植片（同種異系移植片）（allograft）、異種移植片が挙げられるがそれらに限定されない。【００９１】
本明細書において自己移植片または自家移植片とは、ある個体についていうとき、その個体に由来する移植片をいう。本明細書において自己移植片というときは、広義には遺伝的に同じ他個体（例えば一卵性双生児）からの移植片をも含み得る。【００９２】
本明細書において同種移植片（同種異系移植片）とは、同種であっても遺伝的には異なる他個体から移植される移植片をいう。遺伝的に異なることから、同種異系移植片は、移植された個体（レシピエント）において免疫反応を惹起し得る。そのような移植片の例としては、親由来の移植片などが挙げられるがそれらに限定されない。【００９３】
本明細書において異種移植片とは、異種個体から移植される移植片をいう。従って、例えば、ヒトがレシピエントである場合、ブタからの移植片は異種移植片という。【００９４】
本明細書において「レシピエント」（受容者）とは、移植片または移植体を受け取る個体といい、「宿主」とも呼ばれる。これに対し、移植片または移植体を提供する個体は、「ドナー」（供与者）という。【００９５】
本発明の脱細胞化技術を用いれば、どのような移植片も使用することができる。なぜなら、本発明の方法により脱細胞化された移植片（例えば、組織、器官など）は、治療目的に損傷のない程度の組織損傷率を保持しつつ（すなわち、低く保ちながら）、免疫反応惹起、石灰化などの副作用が顕著に抑えられているからである。従って、従来自己移植片にしか用いることができなかった状況においても、同種異系移植片または異種移植片を用いることが可能になったことは、従来技術では達成することができなかった本発明の格別の効果の一つといえる。【００９６】
本明細書において「被験体」とは、本発明の処置が適用される生物をいい、「患者」ともいわれる。患者または被験体は好ましくは、ヒトであり得る。【００９７】
本発明の方法または組織グラフトで必要に応じて使用される細胞は、同系由来（自己（自家）由来）でも、同種異系由来（他個体（他家）由来）でも、異種由来でもよい。拒絶反応が考えられることから、自己由来の細胞が好ましいが、拒絶反応が問題でない場合同種異系由来であってもよい。また、拒絶反応を起こすものも必要に応じて拒絶反応を解消する処置を行うことにより利用することができる。拒絶反応を回避する手順は当該分野において公知であり、例えば、新外科学体系、心臓移植・肺移植  技術的，倫理的整備から実施に向けて（改訂第３版）に記載されている。そのような方法としては、例えば、免疫抑制剤、ステロイド剤の使用などの方法が挙げられる。拒絶反応を予防する免疫抑制剤は、現在、「シクロスポリン」（サンディミュン／ネオーラル）、「タクロリムス」（プログラフ）、「アザチオプリン」（イムラン）、「ステロイドホルモン」（プレドニン、メチルプレドニン）、「Ｔ細胞抗体」（ＯＫＴ３、ＡＴＧなど）があり、予防的免疫抑制療法として世界の多くの施設で行われている方法は、「シクロスポリン、アザチオプリン、ステロイドホルモン」の３剤併用である。免疫抑制剤は、本発明の医薬と同時期に投与されることが望ましいが、必ずしも必要ではない。従って、必要に応じて、免疫抑制効果が達成される限り免疫抑制剤は本発明の再生・治療方法の前または後にも投与され得る。【００９８】
本発明で細胞が用いられる場合、細胞は、どの生物（例えば、脊椎動物、無脊椎動物）由来の細胞でもよい。好ましくは、脊椎動物由来の細胞が用いられ、より好ましくは、哺乳動物（例えば、霊長類、齧歯類など）由来の細胞が用いられる。さらに好ましくは、霊長類由来の細胞が用いられる。最も好ましくはヒト由来の細胞（特に、自己由来）が用いられる。【００９９】
本発明が対象とする被験体と、脱細胞化された組織との組合せとしては、例えば、心疾患（例えば、虚血性心疾患）を起こした心臓への移植、心膜パッチ、脳外科手術時の硬膜移植、心筋梗塞、下肢、上肢などへの血管移植、骨折、骨欠損を有する患者への骨の移植、損傷した角膜を有する患者に本発明の角膜を移植することなどが挙げられるがそられに限定されない。【０１００】
本発明が対象とする組織は、生物のどの臓器または器官でもよく、また、本発明が対象とする組織は、どのような種類の生物由来であり得る。本発明が対象とする生物としては、脊椎動物または無脊椎動物が挙げられる。好ましくは、本発明が対象とする生物は、哺乳動物（例えば、霊長類、偶蹄類、奇蹄類、齧歯類など）である。より好ましくは、本発明が対象とする生物は、霊長類である。最も好ましくは、本発明はヒトを対象とする。【０１０１】
自己細胞を用いた血管再生療法が注目されており、組織を移植する方法自体は当該分野において周知のとおり実施することができる。心臓血管外科領域では多種の人工弁または人工血管などが用いられているが、その耐久性または抗凝固療法の必要性とそれに付随する出血傾向、易感染性など多くの問題が挙げられており、再生医工学に期待が寄せられている。新岡らは肺動脈欠損症患者に対して、患者の足の静脈より得られた血管平滑筋細胞を生体内吸収性高ポリマー上に培養して再生血管を作製し、再生血管移植を行った（新岡俊治、今井康晴、瀬尾和宏ほか；テッシュエンジニアリングによる心血管材料の開発、応用。日心臓血管外会誌２０００；２９：３８）。心血管系における組織工学（tissue engineering）では、移植された細胞、構造物が血管内の血液に直接接触が可能で、移植直後から酸素、栄養物の供給が得られ有利な条件であると考えられている。特に、自己細胞化（細胞置換）することの利点は以下のように多岐にわたる。【０１０２】
１．拒絶反応の可能性を除去。【０１０３】
２．ドナーを考慮する必要がない。【０１０４】
３．生きた組織のため長い耐久性が期待できる。【０１０５】
４．細胞が細胞外間質を完成させた時点で足場としてのポリマーが完全に生分解され移植後長期的に異物が全く残存しない。【０１０６】
５．最終的内皮で覆われるため抗血栓性にもすぐれており、移植後、抗凝固療法を必要としない。【０１０７】
６．自己組織のため成長が期待できる、などが考えられる。【０１０８】
現段階では主に肺動脈圧程度の血圧範囲内で右心系において用いられているが、大動脈圧内での使用、または弁組織、ＡＣバイパス用動脈グラフト、腱索組織などへの応用も当業者が適宜おこなうことができる（循環器疾患の最新治療２００２−２００３；南江堂ｐ２９、２００２年発行）。【０１０９】
人工弁の一般的使用は当該分野において周知であり、本発明もまたこの周知事項に基づいて実施することができる。例えば、ステントレス異種生体弁について知られている。異種生体弁では、ステントの存在で有効な弁口面積が小さくなり、また弁葉の石灰化や変性が問題であった。最近、ブタ大動脈基部の形態を生かし、ステントを用いないステントレス異種生体弁が大動脈弁位の人工弁として注目されている（Gross C et al, Ann Thorac Surg 68:919,1999）。ステントがないことで、小さいサイズの弁を使用せざるを得ない場合でも弁を介した圧較差が少なく、術後の左心室肥大に対しても有効であると考えられている。また大動脈の基部の弾性が維持され、弁尖にかかるストレスが少なくステント付き生体弁に比較して耐久性の向上も期待できる。さらに、感染による心内膜炎、人工弁感染時にも使用が可能である。現在欧米でのステントレス異種生体弁の中期術後成績は十分に満足できる報告がなされており、長期成績にも期待できる（Gross C et al, Ann Thorac Surg 68:919,1999）。【０１１０】
（発明を実施するための最良の形態）
以下に本発明の最良の形態を説明する。以下に提供される実施形態は、本発明のよりよい理解のために提供されるものであり、本発明の範囲は以下の記載に限定されるべきでないことが理解される。従って、当業者は、本明細書中の記載を参酌して、本発明の範囲内で適宜改変を行うことができることは明らかである。【０１１１】
１つの局面において、本発明は、ラジカル反応を受けた脱細胞化組織を提供する。この脱細胞化組織は、脱細胞化が促進されているが、組織強度がラジカル反応を受けていない脱細胞化組織と実質的に同一であるという特徴を有する。これまで、脱細胞化を促進する場合は、組織強度が著しく低下していた（すなわち、組織が「ぼろぼろ」になる状態）。本発明は、そのような中、ラジカル反応（例えば、γ線照射）によって、予想外に組織強度が保持される状態を保ちつつ、脱細胞化を促進することが達成された。従来、脱細胞化は、組織強度を十分に保持しながら細胞残存率を３０％未満にすること、特に５％未満にすることは困難であったが、本発明により、予想外にそのような高度の脱細胞化を達成した。【０１１２】
ラジカル反応を受けたかどうかは、一つの実施形態において、溶出タンパク質が実質的に存在しないことにより確認することができる。従って、本発明は、この実施形態において、溶出タンパク質が実質的に存在しないことを特徴とする、脱細胞化組織を提供する。本明細書において「溶出タンパク質が実質的に存在しない」とは、既知の方法で脱細胞組織からタンパク質抽出液を調整し、Ｂｉｏ−ＲａｄＰｒｏｔｅｉｎａｓｓｓａｙ等の一般的な定量法でタンパク質を検出した場合、検量線から計算される理論値（タンパク質重量／脱細胞組織
重量）が０．５ｍｇ／ｍｇ以下であり、より好ましくは０．２ｍｇ／ｍｇ以下であり、さらに好ましくは０．１ｍｇ／ｍｇ以下であることをいう。【０１１３】
別の実施形態において、ラジカル反応を受けたかどうかは、細胞外マトリクス成分が少なくとも一部、好ましくは実質的に全部が共有結合で架橋されていること確認することによって確認することができる。従って、本発明は、この実施形態において、細胞外マトリクス成分が少なくとも一部が共有結合で架橋されていることを特徴とする、脱細胞化組織を提供する。好ましくは、この細胞外マトリックス成分としては、コラーゲン、エラスチン、ラミニン、フィブロネクチン、テネイシン、グリコサミノグンカンおよびプロテオグリカンを挙げることができるがそれらに限定されない。さらに好ましくは、この架橋は、側鎖に遊離アミノ基またはカルボキシル基を有しない２以上のアミノ酸の間に形成される。この場合、好ましくは、架橋は、カルボキシル基、ヒドロキシル基およびアミノ基以外の基（例えば、スルフヒドリル基）において形成されていることを特徴とする。【０１１４】
コラーゲン、エラスチン、ラミニン、フィブロネクチンおよびテネイシン等の細胞外マトリックス由来タンパク質、ならびにグリコサミノグリカン（ヒアルロン酸、コンドロイチン硫酸及ぴヘパラン硫酸等）およびプロテオグリカン等の細胞外マトリックス由来多糖／糖タンパク質に対してγ線照射を行うと、架橋反応と分解反応とが混合して起こり得ることが知られている。【０１１５】
本発明において、細胞外マトリックス由来タンパク質にγ線照射を行う実験を行ったところ、酸素と水が存覆する条件では、架橋反応が起こりやすいようであった。また照射した試料はポリアクリルアミドゲル電気泳動（ＳＤＳ−ＰＡＧＥ）に供しても、照射前と異なりポリアクリルアミドゲルの中に入らなくなった。従って、溶出タンパク質は実質的に存在していないことが明らかになった。【０１１６】
また、γ線照射によるタンパク質の架橋においてどのアミノ酸残基が架橋に関与するかについては、いくつかの報告がある。そしてそれは化学架橋の場合に較べて特異性が低いようである。【０１１７】
化学架橋の場合、たとえば、グルタルアルデヒド架橋では側鎖に遊離のアミノ基（一ＮＨ２）を持ったアミノ酸同士が架橋するので、必然的にリジン，アルギニン等が架橋点となり得る。その他化学架橋の中には主にカルボキシル基をターゲットとするものもある。よく知られている化学架橋の種類としては幾つかのものがある。例えばＮｉｍｎｉ  ＭＥ  ｅｔ  ａ１．，Ｊ．Ｂｉｏｍｅｄ．Ｍａｔｒ．Ｒｅｓ．２１，７４１−７７１（１９８７）に報告があるコラーゲンの数種の架橋パターンの他、多くの架橋パターンの存在が知られている。【０１１８】
いっぽうγ線照射において引き起こされる架橋は上記と同様の反応に加えて、多様な反応が起こっていることが知られている。また上記よりも多くの種類のアミノ酸が架橋点になるようである。Ｊ．Ｈ．Ｂｏｗｅｓｅｔａ１．，Ｒａｄｉａｔｉｏｎ  Ｒｅｓｅａｒｃｈ  １６，２１１−２２３（１９６２）は、ウシの真皮から水溶性の成分を洗浄除去した試料について、酸素、窒素の存在下で、乾燥状態と湿潤状態でそれぞれγ線照射を行い、酸で全蛋白質を分解後のアミノ酸の変化を定量したデータを報告している。その結果によると、グリシンやバリンなど、ほとんど減少しないアミノ酸もあるものの、それ以外のアミノ酸は少しずつ減少しており、その減少の程度は様々であった。このことは、γ線による蛋白質問の架橋が比較的ランダムに様々なアミノ酸において起きていることを示唆しているといえる。【０１１９】
すなわち、細胞外マトリックス由来タンパク質に限って害えぱ、γ線照射において引き起こされる架橋と化学架橋とは、側鎖に遊離のアミノ基若しくはカルボキシル基を持たない二以上のアミノ酸の間において起こっているか否かによって峻別される。すなわち、側鎖に遊離のアミノ基若しくはカルボキシル基を有する二以上のアミノ酸の間においてのみ起こっていればそれは化学架橋によるものであり、それ以外のアミノ酸同士でも起こっていれば、それはγ線照射において引き起きされた架橋であると言える。【０１２０】
また多糖については、種々の化学架橋（ビスエポキシドおよびジビニルスルフォン架橋、分子内エステル化、グルタルアルデヒド架橋、カルボジイミド架橋ならびにヒドラジド架橋等）がカルボキシル基、ヒドロキシル基若しくはアミノ基をターゲットとすることから（Ｌａｕｒｅｎｔ，Ｔ．Ｃ．ｅｔ  ａｌ，，Ａｃｔａ  Ｃｈｅｍ．Ｓｃａｎｄ，１８，２７４−２７５，（１９６４）；Ｋｕｏ，ＪＷ．ｅｔ  ａ１．，Ｂｉｏｃｏｎｊｕｇ  Ｃｈｅｍ．（４）：２３２−４Ｌ（１９９１）；Ｌｕｏ  Ｙ．ｅｔ  ａｌ．，Ｊ  Ｃｏｎｔｒｏｌ  Ｒｅｌｅａｓｅ，６９（１）；１６９−８４．（２０００））、カルボキシル基、ハイドロキシル基若しくはアミノ基を除く基（例えば、前記基は、スルフヒドリル基、アルデヒド基、カルボニル基、スルホ基およびニトロ基からなる群より選択される基を含む）の間で起こっているか、または前記架橋は、炭素−炭素結合、エーテル結合およびエステル結合からなる群より選択される結合により形成されるか否かによって峻別される。特に、骨格を形成している炭素間結合、エステル結合などの結合が開裂して新たな結合によって架橋が形成されていることが特徴であり得る。【０１２１】
（基の例）
−ＳＨ  スルフヒドリル基  
−ＣＨＯ  アルデヒド基  
Ｃ＝Ｏ  カルボニル基  
−ＳＯ３Ｈ  スルホ基  
−ＮＯ２  ニトロ基。【０１２２】
（結合の例示）
−Ｃ−Ｃ−  ＣＣ結合（炭素−炭素結合）  
−Ｏ−  エーテル結合  
−（Ｃ＝Ｏ）Ｏ−  エステル結合。【０１２３】
さらに上記議論はγ線照射にのみに限定されず、ラジカル反応全般に拡張することもできる。【０１２４】
好ましい実施形態において、本発明の脱細胞化組織は、Ａ）その組織の細胞残存率は、生体内において免疫反応を惹起するレベル以下であり；かつＢ）その組織は、その組織が未処理状態で有する機能を発揮するのに支障があるような損傷は受けていない。組織内に残存する細胞は、石灰化の原因となり、しかも、自己由来以外の組織を移植する場合は、残存する細胞が所望されない免疫反応を惹起する可能性があることから、本発明の脱細胞化組織では、生体内において免疫反応を惹起するレベルより低くある必要がある。また、細胞はできる限り除去されることが好ましい。本発明のラジカル反応による処理により、脱細胞化率が顕著に増進された。ラジカル反応を行った場合、せいぜい５％程度までしか細胞残存率が減少しなかったのに対して、ラジカル反応を行った場合、５％未満、好ましくは、４％未満、さらに好ましくは１％未満、最も好ましくは実質的に無細胞にまで細胞残存率を減少させることができた。細胞残存率が減少したにもかかわらず、組織強度、生体適合性などには有意な有害な効果は見られなかった。このような効果は、従来の技術からは予測不可能であったことである。【０１２５】
本発明の脱細胞化組織は、移植治療で使用されることから、その組織または器官が処理（脱細胞化）の前に有していた機能を発揮するのに支障があるような損傷を受けていないことが好ましい。この効果は、本発明のラジカル反応によっても実質的に損傷を受けなかった。そのような支障があるかどうかは、その組織の細胞外マトリクスは実質的に変性を受けていないことを確認することにより判定することができる。従って、本発明の組織は、細胞外マトリクスが実質的に残存することによって特徴付けられ得る。細胞外マトリクスの存在の確認は、特異的マーカーによる染色などによって行うことができる。上述のように力学的強度、耐圧特性などに優れ、また、レシピエントによる再細胞化（あるいは細胞置換）のための足場として好ましい。従来、組織の細胞残存率を下げる方法は存在した（Koide A., Hayashi T.eds(2000); ”Basic and Clinical Studies of Extracellular Matrix(ECM); Aichi Shuppan Co.Ltd.Tokyo,Japan CAN:133.333-569）が、従来の方法で細胞残存率を３０％以下、特に５％未満にすると、臓器移植に耐え得ないほどに損傷を受けざるを得なかった。従って、その組織または器官が処理（脱細胞化）前に有していた正常な機能を発揮するのに支障があるような損傷を受けずに、細胞残存率を顕著に下げるという格別の効果が本発明によって達成された。本発明はまた、細胞とともにまたは細胞を伴わないで実施することができる。【０１２６】
上述のような有害作用を回避するために、ある実施形態において、本発明の脱細胞化組織の細胞残存率は、通常約３０％以下であり、代表的には約２０％以下であり、好ましくは約１５％以下であり、より好ましくは約１０％以下であり、さらに好ましくは約５％以下であり、なおさらに好ましくは約４％以下であり、もっと好ましくは約３％以下であり、最も好ましくは約１％以下であり得、実質的に細胞が残存しないことがさらに好ましい。本発明の脱細胞化組織は、細胞残存率がこの程度に低くても、その組織損傷率が、臨床適用可能な程度に低いことが特徴である。細胞残存率が、いくら低くても、組織がもともと有していた（未処理状態での）機能（特に、臓器保持機能）を発揮していなければ臨床適用することができない。従って、上述の細胞残存率を保持し、かつその組織の組織損傷率が、より少ないほど好都合である。すなわち、その組織は、臨床適用可能な程度に低い組織損傷率を保持することが必要である。【０１２７】
臨床可能な程度に低い組織損傷率は、より少ないほど好都合であるが、通常約５０％以下であり、代表的には約４０％以下であり、好ましくは約３０％以下であり、より好ましくは約２５％以下であり、さらに好ましくは約２０％以下であり、なおさらに好ましくは約１５％以下であり、もっと好ましくは約１０％以下であり、最も好ましくは約５％以下であり得る。細胞残存率が上述のように下がったとしても、組織または臓器がもともともっていた機能を発揮できない程度に損傷を受けたものは使用することができない。従って、本発明の目的を達成するために、本発明の組織は、その組織が有していた機能を発揮するのに支障があるような損傷を受けていないことが好ましい。組織がもともと有していた機能を発揮することができるかどうかは、組織損傷率によって評価することができる。組織損傷率の評価方法は、本明細書において上述した方法を用いて行うことができる。【０１２８】
あるいは、本発明の脱細胞化組織は、細胞外マトリクスの残存率を測定することによっても評価することができる。そのような細胞外マトリクスの残存率は、例えば、約５０％以上であり得、好ましくは約７０％以上、または約８０％以上であり、より好ましくは約９０％以上であり得る。最も好ましくは、本発明の脱細胞化組織中の細胞外マトリクスの残存率は、実質的に残存することが特に有利である。【０１２９】
１つの実施形態において、本発明の脱細胞化組織の作製に用いられるラジカル反応は、フリーラジカルへの暴露を含む。フリーラジカルへの暴露は、物理的手段（例えば、γ線照射、紫外線照射、超音波暴露、電子線照射およびＸ線照射など）、または化学的手段（フリーラジカル供給源（例えば、過酸化水素、オゾンなどの活性酸素種など）への暴露）あるいはその両方を使用することができる。フリーラジカルへの暴露によって、ラジカル反応が促進されるからである。そのようなラジカル反応は、細胞外マトリクスが変性しない程度で行われることが好ましい。【０１３０】
１つの実施形態において、本発明において使用されるラジカル反応は、γ線照射であることが好ましい。理論に束縛されることを望まないが、γ線照射は、物体または物質に対する透過性に優れているため、組織強度を保ちつつ、深部まで効率よく脱細胞化を促進するのに適切であるからである。【０１３１】
１つの実施形態において、本発明において使用されるγ線照射の照射量は、通常１０〜２５０ｋＧｙである。理論に束縛されることを望まないが、２５０ｋＧｙを超えると、残留すべき細胞外マトリクスなどの変性が生じ得るからであるが、細胞外マトリクスなどの組織強度の維持に必要な成分の実質的な変性を生じないような照射量であれば、この上限を超えるような照射量であっても使用することができる。理論に束縛されることを望まないが、γ線照射量としては、１０ｋＧｙ以下の量であっても使用することができる。照射時間が著しく長くなることが考えられることが、脱細胞化の促進が有意に認められる限り、１０ｋＧｙ以下の照射量もまた使用されることができ、これらは本発明の範囲内にあることが当業者に理解される。【０１３２】
好ましくは、γ線などの照射量は１００ｋＧｙ以下であることが有利である。理論に束縛されることを望まないが、１００ｋＧｙ以下の範囲では、著しい組織強度の低下がほとんど見られなかったからである。好ましくは下限としては、４０ｋＧｙ以上の照射量を用いることが有利である。【０１３３】
より好ましくは、照射量としては、５０〜８０ｋＧｙの照射量が有利に用いられる。理論に束縛されることを望まないが、γ線照射による遺伝子DNA等の生体分子の切断とPEGによる抽出操作の組み合わせにより脱細胞化が促進されるものの、組織の機械強度を保つべき細胞外基質蛋白質には著しい損傷を与えないという理由があるからである。【０１３４】
１つの実施形態において、本発明で用いられるγ線の照射時間は、総照射量に依存して変動するが、通常、０．５時間〜１０日程度であり、好ましくは１時間〜２日程度であることが有利である。より好ましくは、３〜８時間であることが有利である。理論に束縛されることを望まないが、より長い照射時間にすると、脱細胞化が促進されるが、従来は弾性に富んだ性質を有するコラーゲン、エラスチンなどの細胞外基質蛋白質が切断もしくは架橋され、折り曲げや引っ張りなどの力学的変形に対して脆くなるので移植用組織としての性質が劣化するであるという背景があるからである。したがって、脱細胞化は、総照射量に一部依存することから、強いγ線源を用いて数時間程度で反応させることができる。【０１３５】
好ましい実施形態において、本発明において使用されるラジカル反応（例えば、γ線照射）は、真空、酸素中、窒素中、大気中、水中、両親媒性分子溶液中およびそれらの組み合わせからなる群より選択される雰囲気下で行われる。【０１３６】
本発明の１つの好ましい実施形態では、この脱細胞化組織では、１）その組織の細胞残存率は、約３０％以下であり；かつ２）その組織の組織損傷率は、約３０％以下である。【０１３７】
より好ましい実施形態では、この脱細胞化組織では、その組織の細胞残存率は、約５％未満である。好ましい実施形態では、その組織の組織損傷率は、約１５％未満である。さらに好ましい実施形態では、この脱細胞化組織では、その組織の細胞残存率は、約４％未満であり、最も好ましい実施形態では、その組織の細胞残存率は、約１％未満である。【０１３８】
別の好ましい実施形態では、本発明の組織の組織損傷率は、約１５％以下である。さらに好ましくは、本発明の脱細胞化組織の組織損傷率は、約５％以下である。これらの好ましい実施形態は、本発明の例示的実施形態であり、本発明の範囲を限定するものではない。したがって、本発明の脱細胞化組織は、臨床適用することができる組織強度を有する限り、どのような組織であっても本発明の範囲内に包含されることが理解される。【０１３９】
１つの実施形態において、本発明の脱細胞化組織は、臨床適用することができるような組織強度を有する。十分に強い組織強度は、特に、膜状の組織を臨床適用するとき重要な特性である。組織強度は一般に、引っ張り強さ（例えば、破断強度、剛性率、ヤング率など）を測定することによって判定することができる。ある実施形態において、本発明の脱細胞化組織は、処理前の組織が有していた組織強度の少なくとも約７５％以上、好ましくは約８０％以上、より好ましくは約８５％以上、さらに好ましくは約９０％以上であり得、あるいは実質的に同じ組織強度を有していてもよく、未処理状態での（もともと有していた）組織強度以上の値（例えば、１１０％以上、１２０％以上、１５０％以上、２００％以上）を有していてもよい。ここで、組織が未処理状態での組織強度とは、その組織の処理（例えば、本発明のＰＥＧなどの１，２−エポキシドポリマーおよびラジカル反応での処理）の前（例えば、天然での状態）で有していた組織強度をいう。十分に強い組織強度は、膜状以外の組織（例えば、管状組織）を適用する場合にも有することが好ましい特性である。【０１４０】
管状組織の場合、組織強度は、β値で表すことができる。β値の算出方法は、本明細書の別の場所において詳述した。ある実施形態において、本発明の脱細胞化組織は、約１５以上のβ値の組織強度を有し、好ましくは、約１８以上のβ値の組織強度を有し、より好ましくは約２０以上のβ値の組織強度を有し、さらに好ましくは約２２以上のβ値の組織強度を有する。別の実施形態において、本発明の脱細胞化組織は、処理前の組織が有していたβ値の少なくとも約７５％以上、好ましくは約８０％以上、より好ましくは約８５％以上、さらに好ましくは約９０％以上であり得、未処理状態での（もともと有していた）β値以上の値を有していてもよい。ここで、組織が未処理状態での特性（例えば、β値）とは、その組織の処理（例えば、本発明の１，２−エポキシドポリマーおよびラジカル反応での処理）の前（例えば、天然での状態）で有していた特性をいう。【０１４１】
本発明の脱細胞化組織は、臨床適用が意図される組織であれば、身体のどのような組織（例えば、弁状組織、管状組織、膜状組織など）であってもよい。ある実施形態では、本発明の脱細胞化組織は、組織の物理的構造が必要とされる組織であり得る。物理的構造を保持するためには、細胞の骨格などの構造のみが必要であり、細胞質成分などの細胞内の成分は必ずしも必要ないからである。また、必要に応じて、必要とされる細胞は、別途その脱細胞化組織に提供され得るか、または移植された宿主から内的に供給され得る。ある実施形態では、本発明の脱細胞化組織は、血管、血管様組織、心臓弁、心膜、硬膜、角膜および骨から選択される器官に由来する組織であり得る。別の実施形態では、本発明の脱細胞化組織は、心臓血管系の組織であり得、例えば、血管、血管様組織、心臓弁および心膜から選択される器官に由来し得る。【０１４２】
本発明の脱細胞化組織は、意図される臨床適用に適合していれば、どのような生物由来の組織であってもよい。従って、本発明の組織は、どの生物（例えば、脊椎動物、無脊椎動物）由来の組織でもあってもよい。ヒトへの適用が意図される場合、好ましくは、脊椎動物由来の組織が用いられ、より好ましくは、哺乳動物（例えば、霊長類、偶蹄類、奇蹄類、齧歯類など）由来の組織が用いられる。ヒトへの適用が意図される場合、さらに好ましくは、霊長類由来の組織が用いられる。ヒトへの適用が意図される場合、さらに好ましくは、ブタ由来の組織が用いられる。大きさがヒトに類似しているからである。ヒトへの適用が意図される場合、最も好ましくはヒト由来の組織が用いられる。本発明の脱細胞化組織または組織グラフトのサイズは、ヒト以外のものを使用する場合、ヒトのものに近いものであることが好ましく、その物理的特性がヒトのものに近いものであることが好ましい（例えば、ブタ）。【０１４３】
好ましい実施形態において、本発明の脱細胞化組織は、ウイルスが実質的に除去されている。ここで、除去されるウイルスとしては、例えば、レトロウイルスおよびヘルペスウイルスなどを挙げることができる。好ましくは、除去されるウイルスは、ブタ内在性レトロウイルス（ＰＥＲＶ）を含む。より好ましくは、ＰＥＲＶは、ヒト細胞への有意な感染が観察されない程度に除去されている。特にＰＥＲＶは、ヒトへの感染が懸念されていたことから、ブタ由来の移植片では除去されることが望ましかった。しかし、従来技術では、除去することが困難であったことから、本発明は、ウイルスを除去することができるという点でも、従来技術では提供され得なかった脱細胞化組織を提供するといえる。【０１４４】
本発明において、本発明の脱細胞化組織が適用される部位は、身体中のどのような部位であってもよい。従って、脱細胞化組織が由来する身体の部分に再度適用されてもよく、あるいは、他の部分に適用されてもよい。実施例などで示されているように、「元に戻す」かどうかに拘わりなく、いずれの部分に脱細胞化組織を適用しても、本発明は所望の効果（例えば、再生、自己組織化）を達成することが証明された。従って、本発明は、原理的にはどのような移植手術、再生手術にも使用することができるという多大なる有用性を有する。本発明の脱細胞化組織が適用され得る部位としては、例えば、皮膚、血管、角膜、腎臓、心臓、肝臓、臍帯、腸、神経、肺、胎盤、膵臓、脳、四肢末梢、網膜、弁、上皮組織、結合組織、筋肉組織、神経組織などが挙げられるがそれらに限定されない。【０１４５】
別の局面において、本発明は、本発明の脱細胞化組織を含む組織グラフトを提供する。この組織グラフトにおいて、上記脱細胞化組織には、レシピエント由来の細胞が播種され、培養されて、所望の組織の構造が形成されていることが特徴である。本発明の組織グラフトは、臨床適用が意図される組織の組織グラフトであれば、身体のどのような組織への移植を目的としてもよい。ある実施形態では、本発明の組織グラフトは、組織の物理的構造が必要とされる組織であり得る。物理的構造を保持するために、レシピエント由来の細胞が上述の脱細胞化組織に移植前に提供され得る。レシピエント由来の細胞は、宿主から内的に供給されていてもよい。ある実施形態では、本発明の組織グラフトは、血管、血管様組織、心臓弁、心膜、硬膜、角膜および骨から選択される器官に由来する組織の組織グラフトであり得る。別の実施形態では、本発明の組織グラフトは、心臓血管系の組織の組織グラフトであり得、例えば、血管、血管様組織、心臓弁および心膜から選択される器官に由来する組織グラフトであり得る。【０１４６】
本発明の組織グラフトは、意図される臨床適用に適合していれば、どのような生物由来の組織を含んでいてもよい。従って、本発明の組織グラフトは、どの生物（例えば、脊椎動物、無脊椎動物）由来の組織でもあってもよい。ヒトへの適用が意図される場合、好ましくは、脊椎動物由来の組織が用いられ、より好ましくは、哺乳動物（例えば、霊長類、齧歯類など）由来の組織が本発明の組織グラフトに用いられる。ヒトへの適用が意図される場合、さらに好ましくは、霊長類由来の組織が本発明の組織グラフトに用いられる。ヒトへの適用が意図される場合、さらに好ましくは、ブタ由来の組織が本発明の組織グラフトに用いられる。大きさがヒトに類似しているからである。ヒトへの適用が意図される場合、最も好ましくはヒト由来の組織が本発明の組織グラフトに用いられる。【０１４７】
本発明の組織グラフトに用いられるレシピエントの細胞は、臨床適用に適切であれば、どのような細胞であってもよい。従って、この細胞としては、血管内皮細胞、平滑筋細胞、線維芽細胞、血球ならびにこれらに分化する前駆細胞および体性幹細胞などが挙げられるがそれらに限定されない。好ましくは、この細胞は、移植される部位において所望の機能を発揮することができる細胞であり得る。【０１４８】
本発明において、本発明の組織グラフトが適用される部位は、身体中のどのような部位であってもよい。従って、組織グラフトが由来する身体の部分に再度適用されてもよく、あるいは、他の部分に適用されてもよい。実施例などで示されているように、「元に戻す」かどうかに拘わりなく、いずれの部分に組織グラフトを適用しても、本発明は所望の効果（例えば、再生、自己組織化）を達成することが証明された。従って、本発明は、原理的にはどのような移植手術、再生手術にも使用することができるという多大なる有用性を有する。本発明の組織グラフトが適用され得る部位としては、例えば、皮膚、血管、角膜、腎臓、心臓、肝臓、臍帯、腸、神経、肺、胎盤、膵臓、脳、四肢末梢、網膜、弁、上皮組織、結合組織、筋肉組織、神経組織などが挙げられるがそれらに限定されない。【０１４９】
別の局面において、本発明は膜状組織グラフト、弁状組織グラフト、管状組織グラフトなどを提供する。この組織グラフトは、Ａ）本発明の脱細胞化組織を含む。ここで、この脱細胞化組織には、レシピエント由来の細胞が播種され、培養されて、所望の組織の構造が形成されていてもよいが、細胞はなくてもよい。好ましくは細胞がないことが有利である。免疫拒絶反応を惹起しないからである。【０１５０】
他の局面において、本発明は、脱細胞化組織を生産する方法を提供する。この方法は、Ａ）組織を提供する工程；Ｂ）この組織をミセル化していない状態の両親媒性分子（例えば、１，２−エポキシドポリマー）を含む溶液に浸す工程；およびＣ）この組織にラジカル反応を施す工程を包含する。両親媒性分子は、ミセル化していない状態のものであればどのようなものも用いることができ、細胞質成分を除去することができるものであれば、どのようなポリマーを用いることができる。好ましくは、本発明において用いられるミセル化していない状態の両親媒性分子は、１，２−エポキシドポリマーであり、より好ましくは、ポリエチレングリコール（ＰＥＧ）であるが、ミセル化していない状態のものであれば、どのような分子でも使用することができるので、従来界面活性剤と呼ばれているものであっても使用することができる。このような場合、両親媒性分子を含む溶液を使用する前に、ミセル化していない状態であるかどうかを確認することが好ましい。そのようなミセル化状態の確認は、当該分野において周知の技術を用いて行うことができ、例えば、目視、吸光度測定などが挙げられるがそれらに限定されない。【０１５１】
ラジカル反応は、本明細書において上記したような任意の条件に基づいて施すができる。ラジカル反応は、両親媒性分子を含む溶液に浸す工程と同時に行ってもよく、後に行ってもよい。後の方がよいようである。理論に束縛されることは望まないが、いったん脱細胞化を行い、大気中などの脱細胞化条件以外でラジカル反応を施すことが、脱細胞化の効率を上昇させおよび／または組織強度を保持させるようであるからである。ラジカル反応は、脱細胞化組織の組織強度がラジカル反応を受けていない脱細胞化組織と実質的に同一であるが、他方、脱細胞化が有意に進行するように施すことが好ましい。そのような条件は、当業者であれば、本明細書の記載に基づいて適宜選択することができる。【０１５２】
ラジカル反応は、大気中で行うことが好ましい。理論に束縛されることは望まないが、いったん脱細胞化を行い、大気中でラジカル反応を施すことが、脱細胞化の効率を上昇させおよび／または組織強度を保持させるようであるからである。【０１５３】
本発明はまた、ミセル化していない状態の両親媒性分子を含む溶液での処理以外の脱細胞化処理（例えば、ＳＤＳ処理など）を受けた脱細胞化組織の処理も提供する。そのような場合、本発明の脱細胞化組織強化方法は、脱細胞化組織を提供する工程、およびラジカル反応をその組織に施す工程を包含する。【０１５４】
本発明のラジカル反応は、どのような分子量のＰＥＧを用いてもその脱細胞化強化の効果を達成することができるが、１つの実施形態では、ＰＥＧの平均分子量は、２００と６０００との間であり、好ましくはＰＥＧの平均分子量は、２００と２０００との間である。本発明において用いられるＰＥＧは、このように種々の平均分子量を持ち得、平均分子量に応じて処理時間（浸す時間）を変更して所望の効果（例えば、脱細胞化）を達成することができる。１つの好ましい実施形態では、本発明において用いられるＰＥＧの平均分子量は、１０００と２０００との間である。別の好ましい実施形態では、本発明において用いられるＰＥＧの平均分子量は、１５００と２０００との間である。別の実施形態では、本発明において用いられるＰＥＧの平均分子量は、１０００以下である。あるいは、１つの好ましい実施形態では、１０００の平均分子量を有するＰＥＧを用いることが好ましい。【０１５５】
理論に束縛されることを望まないが、一般に、用いられるＰＥＧの平均分子量が高くなるほど、処理時間は短いようであるが、それに限定されない。用いられるＰＥＧの平均分子量が高いほど、細胞内の成分を抽出する効果が高くなるからである。従って、１つの実施形態において、本発明の方法における、組織を１，２−エポキシドポリマーを含む溶液に浸す工程は、通常３０分以上〜数時間、より一般的には３０分間〜６０分間行われ得る。浸す工程において最低限必要な時間は、使用される１，２−エポキシドポリマー（例えば、ＰＥＧ）のような両親媒性分子に応じて変動し、当業者に過度の実験を要することなく、決定することができる。従って、組織を１，２−エポキシドポリマーのような両親媒性分子を含む溶液に浸す工程は、３０分より短い間行われてもよい。また、１，２−エポキシドポリマーのような両親媒性分子を含む溶液に浸す工程は、数時間（あるいは６０分）を超えてを超えて行われてもよい。最低限の時間は、参照実験において適宜処理時間を設定し、各々の時間点において処理された組織の状態を本明細書において記載される方法を用いて組織損傷率、細胞残存率などを計測することによって適切な特性を有するか否かを判定することによって、算出することができる。本発明の方法において、上記溶液の組織を浸す工程は、どのような条件で行われてもよいが、通常０℃と４２℃との間で行われ得、室温（約１５℃と約２５℃との間）で行われてもよく、３７℃で行われてもよい。この工程は、３７℃を超える温度で行われてもよい。【０１５６】
本発明の方法において、１，２−エポキシドポリマー（例えば、ＰＥＧ）は、溶液中にどのような濃度で存在してもよいが、好ましくは、１ｇ／ｍｌ以上の濃度で存在することが有利である。ラジカル反応（特にγ線などの物理的ラジカル供給源）のラジカルスカベンジャーとしての機能が期待されるからである。あるいは、ラジカル反応の効率を考慮した場合、ＰＥＧ溶液の濃度は、どのような濃度のものであってもよいが、約６０％〜約１００％であることが好ましく、例えば、約８０％のものが使用されるがそれらに限定されない。【０１５７】
ただし、原料試薬としてＰＥＧ（例えば、分子量１０００）を使用する場合、常温で固体であることから、水溶液とすることが好ましくあり得る。本発明の方法において、１，２−エポキシドポリマー（例えば、ＰＥＧ）は、どのような溶媒に溶解していてもよいが、好ましくは、水性媒体に溶解され、より好ましくは、生理食塩水、ＰＢＳ、または他の塩類などが含有される水溶液などに溶解され得る。このような溶液は、本発明において使用される両親媒性分子が、その溶液において通常使用される濃度でミセル化していない状態であればどのようなものでも使用することができる。ミセル化していない状態の両親媒性分子（例えば、１，２−エポキシドポリマー）の溶液は、滅菌されていることが好ましい。本発明において用いられるミセル化していない状態の両親媒性分子（例えば、１，２−エポキシドポリマー）は、生体適合性であることが好ましい。そのような生体適合性のミセル化していない状態の両親媒性分子（例えば、１，２−エポキシドポリマー）としては、生体適合性を有すると同時に医薬品グレードに用いることが可能なポリマーが挙げられ、例えば、ＰＥＧ、セグメント化ポリウレタン、シリコン、ＭＭＡ（αメチルメタクリレート（コンタクトレンズ材）など）、ＰＴＦＥ（ポリテトラフルオロエチレン）（例えば、テフロン（登録商標）またはＤａｃｒｏｎなど）が挙げられるがそれらに限定されない。そのような生体適合性１，２−エポキシドポリマーは、例えば、日本薬局方（あるいは、対応する他の国における薬局方）に掲載されているか、または厚生労働省（あるいは、対応する他の国における監督官庁）が認可したポリマーであり得る。【０１５８】
好ましくは、本発明の方法では、上述の１，２−エポキシドポリマーを含む溶液へ浸す工程は、ＤＮａｓｅ（例えば、ＤＮａｓｅＩ）のようなヌクレアーゼへの処理とともに行われ得るか、またはＤＮａｓｅ（例えば、ＤＮａｓｅＩ）のようなヌクレアーゼの処理が引き続いて行われ得る。【０１５９】
好ましくは、本発明の方法は、溶液に浸された組織を洗浄する工程、をさらに包含する。この洗浄工程は、生理的に適合する液体（例えば、生理食塩水、ＰＢＳ（リン酸緩衝化生理食塩水）など）であれば、どのような液体を用いても行うことができる。好ましい実施形態では、本発明の上記洗浄は、ＰＢＳで行われる。洗浄溶液は、滅菌されていることが好ましい。さらに好ましくは、洗浄溶液は、抗生物質（例えば、ペニシリン、セファロスポリン、ストレプトマイシン、テトラサイクリン、エリスロマイシン、バンコマイシン、シプロフロキサシン、リネズリドなど）を含む。洗浄は、どのような条件で行われてもよいが、通常０℃と４２℃との間で行われ得、室温（約１５℃と約２５℃との間）で行われてもよく、３７℃で行われてもよい。洗浄は、３７℃を超える温度で行われてもよい。本発明の方法において、洗浄する工程は、１，２−エポキシドポリマーなどの両親媒性分子の溶液が十分に除去されれば、どのような期間で行われてもよいが、通常０．５日間〜５日間行われ得る。好ましくは、洗浄する工程において、洗浄溶液（例えば、ＰＢＳ）は、数回交換されてもよい。【０１６０】
本発明の方法において使用される組織は、意図される臨床適用に適合していれば、どのような生物由来の組織であってもよい。従って、本発明の方法において用いられる組織は、どの生物（例えば、脊椎動物、無脊椎動物）由来の組織でもあってもよい。ヒトへの適用が意図される場合、本発明の方法において用いられる組織としては、好ましくは、脊椎動物由来の組織が用いられ、より好ましくは、哺乳動物（例えば、霊長類、齧歯類など）由来の組織が用いられる。ヒトへの適用が意図される場合、本発明の方法において用いられる組織としては、さらに好ましくは、霊長類由来の組織が用いられる。ヒトへの適用が意図される場合、さらに好ましくは、ブタ由来の組織が用いられる。大きさがヒトに類似しているからである。ヒトへの適用が意図される場合、最も好ましくはヒト由来の組織が用いられる。【０１６１】
本発明の方法において用いられる組織は、臨床適用が意図される組織であれば、身体のどのような組織であってもよい。ある実施形態では、本発明の方法において用いられる組織は、組織の物理的構造または物性が必要とされる組織であり得る。物理的構造または物性を保持するためには、細胞外マトリクスなどの構造のみが必要であり、細胞質成分または細胞膜成分などの細胞内の成分は必ずしも必要ないからである。また、必要に応じて、必要とされる細胞は、別途その脱細胞化組織に提供され得るか、または移植された宿主から内的に供給され得る。ある実施形態では、本発明の方法において用いられる組織は、血管、血管様組織、心臓弁、心膜、硬膜、角膜および骨から選択される器官に由来する組織であり得る。別の実施形態では、本発明の方法において用いられる組織は、心臓血管系の組織であり得、例えば、血管、血管様組織、心臓弁および心膜から選択される器官に由来し得る。【０１６２】
好ましい実施形態において、本発明の方法は、化学的処理を行う工程、をさらに包含し得る。ここで、この化学的処理は、本発明の方法における本発明のミセル化していない状態の両親媒性分子（例えば、ポリエチレングリコールのような１，２−エポキシドポリマー）を含む溶液に浸す工程以外の他の工程であり得る。あるいは、この化学的処理は、本発明の方法における本発明のミセル化していない状態の両親媒性分子（例えば、ポリエチレングリコールのような１，２〜エポキシドポリマー）を含む溶液に浸す工程と同じ（すなわち、反復すること）であってもよい。従って、本発明の方法において、例えば、平均分子量が１０００〜２０００のポリエチレングリコール含有溶液に浸す工程の他に化学的処理が施される場合、化学的処理は、平均分子量が１０００〜２０００のポリエチレングリコール含有溶液以外の溶液（例えば、ＤＮａｓｅ（例えば、ＤＮａｓｅＩ）のようなヌクレアーゼ溶液、グルタルアルデヒド溶液、他の平均分子量を有するポリエチレングリコール溶液、他の本発明のミセル化していない状態の両親媒性分子（例えば、１，２−エポキシドポリマー）溶液などを含むがそれらに限定されない）に浸す工程を包含する。あるいは、例えば、平均分子量が１０００〜２０００のポリエチレングリコール含有溶液に浸す工程の他に化学的処理が施される場合、化学的処理は、平均分子量が１０００〜２０００のポリエチレングリコール含有溶液の溶液に浸す工程を反復する工程を包含し得る。【０１６３】
１つの実施形態において、上述の化学的処理は、二官能性分子架橋剤（例えば、グルタルアルデヒドまたはその誘導体）による処理であり得る。二官能性分子架橋剤による処理は、ＥＣＭもしくは組織中の細胞を含むタンパク質成分などを化学的に架橋することにより物理的強度を増加させることを目的とする。従って、この目的に使用するのであれば、二官能性分子架橋剤である限りどのようなものでも使用することができる。そのような二官能性分子架橋剤ののなかで実際に組織の固定（弁グラフト）に使用されているものは、例えば、シアンイミド（ｃｙａｎｉｍｉｄｅ）、１−エチル−３−（３−ジメチルアミノプロピル）カルボジイミドヒドロクロリド（ＥＤＣ）、エポキシ（ポリ（グリシジルエーテル））または光架橋剤ＰｈｏｔｏＭｉｘＴＭ（Ｓｕｌｚｅｒ  Ｃａｒｂｏｍｅｄｉｃｓ  Ｃｏ．Ｌｔｄ．）が挙げられるがそれらに限定されない（参考として、Ｂｉｏｍａｔｅｒｉａｌｓ（２０００）２１：２２１５−２２３１を参照のこと）。【０１６４】
別の実施形態において、この化学的処理は、ＤＮａｓｅＩのようなＤＮａｓｅなどのヌクレアーゼでの処理を包含し得る。そのようなＤＮａｓｅでの処理により、移植に好ましくないＤＮＡ成分をさらに除去することができることから、このＤＮａｓｅでの処理は、好ましい。そのようなＤＮａｓｅはどのようなＤＮａｓｅでもよいが、好ましくはＤＮａｓｅＩであり得る。ＤＮａｓｅ処理により荷電性高分子物質であるＤＮＡを除去することができる。ＤＮＡは免疫反応を誘起する可能性があることから、ＤＮＡをさらに除去することによってさらなる利点を提供することができる。【０１６５】
ヌクレアーゼ（例えば、ＤＮａｓｅ）での処理は、どのような条件で行ってもよいが、加圧条件、攪拌条件などを組み合わせてもよい。濃度としては、例えば、１Ｕ／ｍｌ〜１００Ｕ／ｍｌなどが意図され、例示としては、例えば５０〜７５Ｕ／ｍｌが挙げられるがそれらに限定されない。ヌクレアーゼ処理は、例えば、０．５日〜５日程度行うことができ、このうち、最初の数時間（例えば、１〜２４時間）は、加圧条件（例えば、１００〜１０００ｋＰａ（例示として５００ｋＰａ））で行うことが考えられる。その後、攪拌（例えば、１００〜５００ＲＰＭ、好ましくは１００〜１５０ＲＰＭ）条件で行うこともできる。ヌクレアーゼ処理の前後は、上述の洗浄溶液を用いて保存することが好ましい。【０１６６】
別の好ましい実施形態において、本発明の脱細胞化組織の製造法では、細胞を播種する工程をさらに包含していてもよいが、これに限定されない。播種する細胞については、本明細書において上述されるように、情況に応じて当業者が適宜選択することができる。【０１６７】
本発明はまた、本発明の脱細胞化方法によって得られる脱細胞化組織を提供する。この脱細胞化組織は、好ましくは、上述の細胞残存率および／または組織損傷率および／または組織強度を有し得る。本発明のラジカル反応を用いた脱細胞化方法が提供される前は、上述の細胞残存率および／または組織損傷率および／または組織強度を有する脱細胞化組織を提供することはできなかったことから、本発明の脱細胞化方法は、従来の方法では提供することができなかった特性を有する脱細胞化組織を提供するという全く新規の物質を提供するものであり、予想外の利点を提供する。【０１６８】
別の局面において、本発明は、組織の再生方法を提供する。この方法は、Ａ）本発明のラジカル反応を受けた脱細胞化組織を提供する工程；およびＢ）この細胞の分化が生じるに十分な時間インキュベートする工程、を包含する。必要に応じて、この細胞の分化を誘導する生理活性物質を提供する工程および／またはこの脱細胞化組織に細胞を提供する工程を含んでいてもよく、脱細胞化組織に細胞を提供しなくてもよい。好ましくは、生理活性物質は、目的の組織の維持または分化に必要なものが使用される。生理活性物質は、生体内に由来するものであっても、生体外に由来するものであってもよい。生体内に由来するものの場合は、実質的には何ら操作をすることなく、単に移植後一定時間が経過することによって、適切な生理活性物質への暴露がなされることが理解される。生理活性物質としては、例えば、ＨＧＦ、ＶＥＧＦ、ＦＧＦ、ＩＧＦ、ＰＤＧＦおよびＥＧＦが挙げられるがそれらに限定されない。【０１６９】
好ましくは、この細胞は、血管細胞または血管様細胞であり得る。より好ましくは、この細胞は、レシピエント由来であり得る。あるいは、好ましくは、この組織は、血管、血管様組織、心臓弁、心膜、硬膜、角膜および骨からなる群より選択されるものの組織であり得る。好ましい実施形態では、この組織とこの細胞とは、同じ宿主由来であり得る。別の実施形態では、この組織とこの細胞とは、同種異系宿主由来であり得る。別の実施形態では、この組織とこの細胞とは、異種宿主由来であり得る。レシピエントと細胞とが同種異系由来または異種由来である場合、拒絶反応が考えられることから、レシピエントと細胞とは同じ宿主由来であることが好ましいが、拒絶反応が問題でない場合同種異系由来または異種由来であってもよい。また、拒絶反応を起こすものも必要に応じて拒絶反応を解消する処置を行うことにより利用することができる。拒絶反応を回避する手順は当該分野において公知であり、例えば、新外科学体系、心臓移植・肺移植  技術的，倫理的整備から実施に向けて（改訂第３版）に記載されている。そのような方法としては、例えば、免疫抑制剤、ステロイド剤の使用などの方法が挙げられる。拒絶反応を予防する免疫抑制剤は、現在、「シクロスポリン」（サンディミュン／ネオーラル）、「タクロリムス」（プログラフ）、「アザチオプリン」（イムラン）、「ステロイドホルモン」（プレドニン、メチルプレドニン）、「Ｔ細胞抗体」（ＯＫＴ３、ＡＴＧなど）があり、予防的免疫抑制療法として世界の多くの施設で行われている方法は、「シクロスポリン、アザチオプリンおよびステロイドホルモン」の３剤併用である。免疫抑制剤は、本発明の医薬と同時期に投与されることが望ましいが、必ずしも必要ではない。従って、免疫抑制効果が達成される限り免疫抑制剤は再生方法を行う前または後にも投与され得る。【０１７０】
別の局面では、本発明は、組織グラフトを生産する方法を提供する。この方法は、Ａ）本発明のラジカル反応を受けた脱細胞化組織を生体内に提供する工程；Ｂ）この脱細胞化組織にその生体の自己細胞を侵入させる工程；およびＣ）その自己細胞の分化が生じるに十分な時間インキュベートする工程、を包含する。この場合、本発明の脱細胞化組織は、細胞をさらに有していても、有していなくてもよい。そのような細胞は、自己由来、同種由来、同種異系由来、異種由来のものであり得る。好ましくは、この細胞は、血管細胞または血管様細胞であり得る。より好ましくは、この細胞は、レシピエント由来であり得る。好ましくは、この組織は、血管、血管様組織、心臓弁、心膜、硬膜、角膜および骨からなる群より選択されるものの組織であり得る。好ましい実施形態では、この組織とこの細胞とは、同じ宿主由来であり得る。別の実施形態では、この組織とこの細胞とは、同種異系宿主由来であり得る。別の実施形態では、この組織とこの細胞とは、異種宿主由来であり得る。レシピエントと細胞とが同種異系由来または異種由来である場合、拒絶反応が考えられることから、レシピエントと細胞とは同じ宿主由来であることが好ましいが、拒絶反応が問題でない場合同種異系由来または異種由来であってもよい。また、拒絶反応を起こすものも必要に応じて拒絶反応を解消する処置を行うことにより利用することができる。拒絶反応を解消する処置は、本明細書において詳述されている。【０１７１】
好ましい実施形態において、本発明の組織グラフトを生産する方法は、Ｄ）上記細胞の分化を誘導する生理活性物質を提供する工程、をさらに包含し得る。好ましくは、この生理活性物質は、造血活性を有するサイトカインであり得る。組織グラフトを製造する場合、このサイトカインは、ＨＧＦ、ＶＥＧＦ、ＦＧＦなどであり得る。生理活性物質は、自己由来であっても、外来由来であってもよい。生理活性物質が自己由来の場合は、単に移植後一定時間時間を経過させることによって目的が達成されることに留意すべきである。【０１７２】
別の局面において、本発明は、本発明の方法によって生産された、組織グラフトを提供する。このような組織グラフトは、組織強度および脱細胞化率の点で従来存在しなかった特徴を有する。【０１７３】
他の局面において、本発明は、組織または臓器移植を必要とするかまたはその危険にある被験体の処置または予防の方法を提供する。この方法は、Ａ）本発明のラジカル反応を受けた脱細胞化組織または組織グラフトを提供する工程；およびＢ）その脱細胞化組織を被験体に移植する工程、を包含する。この脱細胞化組織は、必要に応じてさらに細胞を含む。この細胞は、自己由来であっても、同種異系由来であってもよい。好ましくは、この組織は、血管、血管様組織、心臓弁、心膜、硬膜、角膜および骨からなる群より選択されるものの組織であり得る。好ましい実施形態では、この組織は、被験体由来であり得る。別の実施形態では、この組織は、被験体と同種異系の宿主由来であり得る。別の実施形態では、この組織は、被験体とは異種の宿主由来であり得る。本発明のこの治療／予防方法では、移植に耐え得る程度の組織損傷率に抑えられ、かつ、脱細胞化が十分に行われた脱細胞化組織が使用されることから、拒絶反応は生じない。ただし、かりに拒絶反応が生じた場合、またはレシピエント由来以外の細胞が用いられた場合、拒絶反応を起こしたときに、必要に応じて拒絶反応を解消する処置を行うことができる。拒絶反応を解消する処置は、本明細書において詳述されている。１つの実施形態では、本発明の処置または予防する方法において使用される組織は、被験体由来であってもよい。別の実施形態では、本発明の処置または予防する方法において使用される組織は、どの生物（例えば、脊椎動物、無脊椎動物）由来の組織でもよい。好ましくは、ヒトが処置または予防される場合、脊椎動物由来の組織が用いられ、ヒトが処置または予防される場合、より好ましくは、哺乳動物（例えば、霊長類、齧歯類など）由来の組織が用いられる。ヒトが処置または予防される場合、さらに好ましくは、霊長類由来の組織が用いられる。ヒトが処置または予防される場合、別の好ましい実施形態では、ブタ由来の組織が用いられる。ブタが好ましいのは、ヒトに類似した大きさを有するからである。ヒトが処置または予防される場合、最も好ましくはヒト由来の組織が用いられ得る。【０１７４】
別の局面において、本発明は、臓器移植のための医薬を提供する。この医薬は、本発明のラジカル反応を受けた脱細胞化組織または本発明の組織グラフトを含む。ある実施形態では、本発明の医薬は、血管、血管様組織、心臓弁、心膜、硬膜、角膜および骨から選択される器官に由来する組織を含む。別の実施形態では、本発明の医薬は、心臓血管系の組織を含み得、例えば、血管、血管様組織、心臓弁および心膜から選択される器官に由来するものを含み得る。【０１７５】
本発明の医薬は、意図される臨床適用に適合していれば、どのような生物由来の組織を含んでいてもよい。好ましくは、適用される国の監督官庁が認可した材料を含み得る。従って、本発明の医薬は、どの生物（例えば、脊椎動物、無脊椎動物）由来の組織を含んでいてもよい。本発明の医薬においてヒトへの適用が意図される場合、好ましくは、脊椎動物由来の組織が用いられ、より好ましくは、哺乳動物（例えば、霊長類、齧歯類など）由来の組織が用いられる。本発明の医薬においてヒトへの適用が意図される場合、さらに好ましくは、霊長類由来の組織が用いられる。本発明の医薬においてヒトへの適用が意図される場合、さらに好ましくは、ブタ由来の組織が用いられる。大きさがヒトに類似しているからである。本発明の医薬においてヒトへの適用が意図される場合、最も好ましくはヒト由来の組織が用いられる。ただし、ヒト由来の組織を使用する場合は、倫理規定・問題をクリアしていることが必要とされ得る。【０１７６】
本発明の医薬、組織グラフトおよび脱細胞化組織はまた、さらに生体親和性材料を含み得る。この生体親和性材料は、例えば、シリコーン、コラーゲン、ゼラチン、グリコール酸・乳酸の共重合体、エチレンビニル酢酸共重合体、ポリウレタン、ポリエチレン、ポリテトラフルオロエチレン、ポリプロピレン、ポリアクリレート、ポリメタクリレートからなる群より選択される少なくとも１つを含み得る。成型が容易であることからシリコーンが好ましい。生分解性高分子の例としては、コラーゲン、ゼラチン、α−ヒロドキシカルボン酸類（例えば、グリコール酸、乳酸、ヒドロキシ酪酸など）、ヒドロキシジカルボン酸類（例えば、リンゴ酸など）およびヒドロキシトリカルボン酸（例えば、クエン酸など）からなる群より選択される１種以上から無触媒脱水重縮合により合成された重合体、共重合体またはこれらの混合物、ポリ−α−シアノアクリル酸エステル、ポリアミノ酸（例えば、ポリ−γ−ベンジル−Ｌ−グルタミン酸など）、無水マレイン酸系共重合体（例えば、スチレン−マレイン酸共重合体など）のポリ酸無水物などが挙げられる。重合の形式は、ランダム、ブロック、グラフトのいずれでもよく、α−ヒドロキシカルボン酸類、ヒドロキシジカルボン酸類、ヒドロキシトリカルボン酸類が分子内に光学活性中心を有する場合、Ｄ−体、Ｌ−体、ＤＬ−体のいずれでも用いることが可能である。ある実施形態では、グリコール酸・乳酸の共重合体が使用され得る。【０１７７】
本発明の医薬、組織グラフトおよび脱細胞化組織は、さらに他の薬剤を含み得る。そのような薬剤は、薬学分野において公知の任意の薬剤であり得る。当然、本発明の医薬、組織グラフトおよび脱細胞化組織は、２種類以上の他の薬剤を含んでいてもよい。そのような薬剤としては、例えば、日本薬局方、米国薬局方、他の国の薬局方などの最新版において掲載されているものなどが挙げられる。そのような薬剤は、好ましくは、生物の器官に対して効果を有するものであり得る。そのような薬剤としては、例えば、血栓溶解剤、血管拡張剤、組織賦活化剤が挙げられる。本発明の医薬、組織グラフトおよび脱細胞化組織において含まれる生理活性物質、他の薬剤および細胞などの量は、使用目的、対象疾患（種類、重篤度など）、患者の年齢、体重、性別、既往歴などを考慮して、当業者が容易に決定することができる。【０１７８】
別の局面において、本発明は、臓器移植のための医薬を製造するための、本発明の脱細胞化組織または本発明の組織グラフトの、使用に関する。ある実施形態では、本発明の使用において、血管、血管様組織、心臓弁、心膜、硬膜、角膜および骨から選択される器官に由来する組織が使用され得る。別の実施形態では、本発明の使用において、心臓血管系の組織が使用され得、例えば、血管、血管様組織、心臓弁および心膜から選択される器官に由来するものを使用され得る。【０１７９】
本発明の使用において、意図される臨床適用に適合していれば、どのような生物由来の組織でも使用することができる。好ましくは、適用される国の監督官庁が認可した材料が使用され得る。従って、本発明の使用において、どの生物（例えば、脊椎動物、無脊椎動物）由来の組織が使用されてもよい。本発明の使用においてヒトへの適用が意図される場合、好ましくは、脊椎動物由来の組織が用いられ、より好ましくは、哺乳動物（例えば、霊長類、齧歯類など）由来の組織が用いられる。本発明の使用においてヒトへの適用が意図される場合、さらに好ましくは、霊長類由来の組織が用いられる。本発明の医薬においてヒトへの適用が意図される場合、さらに好ましくは、ブタ由来の組織が用いられる。大きさがヒトに類似しているからである。本発明の使用においてヒトへの適用が意図される場合、最も好ましくはヒト由来の組織が用いられる。ただし、ヒト由来の組織を使用する場合は、倫理規定・問題をクリアしていることが必要とされ得る。【０１８０】
ブタ由来の組織は、α−Ｇａｌエピトープを有することで問題がある。ヒトに存在する自然抗体、抗α−ｇａｌ抗体（ａｎｔｉ−Ｇａｌ  ａｎｔｉｂｏｄｙ）とブタ移植片細胞表面に大量に発現するα−ｇａｌ抗原（α−ｇａｌエピトープ）とが認識、反応することが異種移植片生着の大きな障壁になっていることがわかってきた。このα−ｇａｌエピトープはブタおよびその他の哺乳類では発現しているが、ヒトでは発現していない。なぜなら、このエピトープを生合成するα１，３ガラクトース転移酵素遺伝子が霊長類では進化過程において不活化されているからである（Ｔｒｅｎｄｓ  ｉｎ  Ｇｌｙｃｏｓｃｉｅｎｃｅ  ａｎｄ  Ｇｌｙｃｏｔｅｃｈｎｏｌｏｇｙ  Ｖｏｌ．１１  Ｎｏ．６２  （Ｎｏｖ．１９９９）  ｐｐ．３１７−３２７）。本発明の脱細胞化組織は、このα−Ｇａｌエピトープが免疫拒絶反応を惹起しない程度にまで低減されているという効果を奏する。このようなエピトープが免疫拒絶反応が生じない程度にまで低減した脱細胞化組織はこれまでに報告がなく、従って、本発明は、免疫拒絶反応がヒトで特に減少した新規脱細胞化組織を提供する。【０１８１】
また、ブタ組織は、ブタ内在性レトロウイルス（Ｐｏｒｃｉｎｅ  ｅｎｄｏｇｅｎｏｕｓ  ｒｅｔｒｏｖｉｒｕｓ：ＰＥＲＶ）を含み、このウイルスがヒトの細胞に感染する可能性があり、このことがブタ由来生体材料をヒトに移植する際の障害の一つとされている。【０１８２】
ブタ内在性レトロウイルス（Ｐｏｒｃｉｎｅ  ｅｎｄｏｇｅｎｏｕｓ  ｒｅｔｒｏｖｉｒｕｓ：ＰＥＲＶ）は、ブタ内在性レトロウイルスはおそらく数百万年前にブタの染色体に組み込まれているが、中には完全なウイルス遺伝子を保有していて感染性ウイルスを放出するものがある。そのようなブタ内在性レトロウイルスとしてこれまでに７株が分離されており、エンベロープ遺伝子の構造から３つのタイプに分けられている。【０１８３】
ＰＥＲＶは、これまでに見出されたＰＥＲＶのうちのあるものは、効率は低いがヒトの培養細胞に感染することが明らかにされている。ブタの腎がん細胞株と、ヒトの肺・腎等の細胞との共培養で、細胞にＰＥＲＶを産生したという報告がある（Ｐａｔｉｅｎｃｅ  Ｃ  ｅｔ  ａｌ．、Ｎａｔｕｒｅ  Ｍｅｄｉｃｉｎｅ  １９９７  Ｍａｒ；３（３）：２７５−６）。また、ブタの膵臓のランゲルハンス島細胞をヒトの腎上皮細胞由来の株と共培養したところ、ＰＥＲＶが産生されたという報告もある（ｖａｎ  ｄｅｒ  Ｌａａｎ  ＬＪ,ｅｔ  ａｌ．  Ｎａｔｕｒｅ．  ２０００  Ｓｅｐ  ７；４０７（６８００）：２７，  ２９−３０）。従って、ブタ由来の移植組織は、感染の危険性が常にある状態であった。【０１８４】
本発明の脱細胞化組織は、驚くべきことに、このＰＥＲＶなどの種々のウイルスをも、感染しない程度にまで減少させることに成功した。このようなＰＥＲＶ除去技術は、これまでに知られておらず、従って、本発明は、ＰＥＲＶが実質的に除去された脱細胞化組織を提供するという顕著な効果を奏する。また、このような技術は、他の感染性ウイルスの除去においても、同様に利用可能であることが、当業者には理解できることから、本発明はまた、任意の感染性ウイルスが除去された、脱細胞化組織およびその調製方法を提供する。【０１８５】
本発明の脱細胞化組織、グラフトおよび医薬の使用は、通常は医師の監督のもとで行われるが、その国の監督官庁および法律が許容する場合は、医師の監督なしに使用することができる。【０１８６】
本発明の処置または予防方法において使用される脱細胞化組織、グラフトおよび医薬の量は、使用目的、対象疾患（種類、重篤度など）、被験体の年齢、体重、性別、既往歴、生理活性物質の形態または種類、組織の形態または種類などを考慮して、当業者が容易に決定することができる。【０１８７】
本発明の方法を被験体（または患者）に対して施す頻度もまた、１回あたりの脱細胞化組織、グラフトおよび医薬の使用量、使用目的、対象疾患（種類、重篤度など）、患者の年齢、体重、性別、既往歴、および治療経過などを考慮して、当業者が容易に決定することができる。頻度としては、例えば、毎日〜数ヶ月に１回（例えば、１週間に１回−１ヶ月に１回）の投与が挙げられる。１週間〜１ヶ月に１回の投与を、経過を見ながら施すことが好ましい。【０１８８】
本明細書では、必要に応じて当該分野で周知の分子生物学的手法、生化学的手法、微生物学的手法が用いられる。そのような方法は、例えば、Ausubel F.A.ら編(1988)、Current Protocols in Molecular Biology、Wiley、New York、NY;Sambrook Jら(1987)Molecular Cloning:A Laboratory Manual,2nd Ed.,Cold Spring Harbor Laboratory Press,Cold Spring Harbor,NY、別冊実験医学「遺伝子導入＆発現解析実験法」羊土社、1997などに記載される。【０１８９】
別の局面において、本発明の脱細胞化組織、グラフトおよび／または医薬は、この脱細胞化組織、グラフトおよび／または医薬を投与する指針を与える指示書を備える。ここで、上記指示書は、脱細胞化組織、グラフトおよび／または医薬の適切な投与方法を指示する文言が記載されている。この指示書は、本発明が実施される国の監督官庁（例えば、日本であれば厚生労働省、米国であれば食品医薬品局（ＦＤＡ）など）が規定した様式に従って作成され、その監督官庁により承認を受けた旨が明記される。指示書は、いわゆる添付文書（package  insert）であり、通常は紙媒体で提供されるが、それに限定されず、例えば、電子媒体（例えば、インターネットで提供されるホームページ、電子メール）のような形態でも提供され得る。【０１９０】
本発明の脱細胞化組織、組織グラフトおよび医薬は、当該分野において周知の技術を用いて移植することができる（外科手術に関しては、標準外科学第９版（医学書院）基本的外科手術手技（ｐ４１−ｐ６６）、心臓（ｐ３４９−ｐ３９８）、血管（ｐ３９９−４２８）などを参照のこと）。本発明の脱細胞化組織は、血管吻合、パッチ閉鎖術、人工血管置換術、人工弁置換術などに使用され得る。したがって、当業者は、処置する状況に応じて、本明細書の開示に従って、本発明の脱細胞化組織、組織グラフトおよび医薬を、適宜適用することができる。【０１９１】
本発明において、本発明の医薬が適用される部位は、身体中のどのような部位であってもよい。従って、医薬が由来する身体の部分に再度適用されてもよく、あるいは、他の部分に適用されてもよい。実施例などで示されているように、「元に戻す」かどうかに拘わりなく、いずれの部分に医薬を適用しても、本発明は所望の効果（例えば、再生、自己組織化）を達成することが証明された。従って、本発明は、原理的にはどのような移植手術、再生手術にも使用することができるという多大なる有用性を有する。本発明の医薬が適用され得る部位としては、例えば、皮膚、血管、角膜、腎臓、心臓、肝臓、臍帯、腸、神経、肺、胎盤、膵臓、脳、四肢末梢、網膜、弁、上皮組織、結合組織、筋肉組織、神経組織などが挙げられるがそれらに限定されない。【０１９２】
以下に、実施例に基づいて本発明を説明するが、以下の実施例は、例示の目的のみに提供される。従って、本発明の範囲は、上記発明の詳細な説明にも下記実施例にも限定されるものではなく、特許請求の範囲によってのみ限定される。
【実施例】
【０１９３】
以下に実施例を示して本発明をさらに詳しく説明するが、この発明は以下の例に限定されるものではない。以下の実施例において用いられる試薬などは、例外を除き、Ｓｉｇｍａ（Ｓｔ．Ｌｏｕｉｓ，ＵＳＡ）、和光純薬（大阪、日本）などから市販されるものを用いた。また、動物実験は、大阪大学に規定される規準を遵守して行った。【０１９４】
（実施例１）
（材料および方法）
（ＰＥＧによる脱細胞化）
ブタ大動脈、大動脈弁、心膜をHybrid(混合種)（Labo Products Co.Ltd., Osaka, Japan）から、およびラット大動脈をSDラット（雄性、5週齢、日本動物,Osaka,Japan）から減菌条件下で調製した。動物使用の倫理に関しては，大阪大学の動物実験の倫理に関する規定に従って行った。【０１９５】
新鮮に収集したブタ頚動脈およびラット大動脈を、抗生物質（Ｇｉｂｃｏ  ＢＲＬ，Ｌｉｆｅ  Ｔｅｃｈｎｏｌｏｇｉｅｓ  Ｉｎｃ．Ｒｏｃｋｖｉｌｌｅ，ＭＤ，ＵＳＡ）を含む生理食塩水またはＰＢＳ（これを本実施例においてＰＢＳ（−）とする。Ｇｉｂｃｏ  ＢＲＬ，Ｌｉｆｅ  Ｔｅｃｈｎｏｌｏｇｉｅｓ  Ｉｎｃ．Ｒｏｃｋｖｉｌｌｅ，ＭＤ，ＵＳＡ）に入れ、血液成分を洗浄除去した。次いで、血管を、ポリエチレングリコール（１ｇ／ｍｌ、ナカライテスク（ＮａｃａｌａｉＴｅｓｑｕｅ  Ｉｎｃ）、京都、日本）（平均分子量１０００、平均分子量２００、平均分子量６００、平均分子量２０００のものを試験した）を含む脱細胞化水溶液に入れ、０．５時間放置した。溶液の粘性が高いため、血管に穏やかに何回か、室温でガラス棒で圧力をかけた。室温で、ローター機器（Ｔｕｂｅ  ｒｏｔａｔｏｒ  ＴＲ−１１８：Ｉｕｃｈｉ  Ｃｏ．Ｌｔｄ、大阪、日本）において、抗生物質（１００ユニットのペニシリン、０．１ｍｇのストレプトマイシン、０．２５μｇ／ｍｌのアムホテリシンＢ；すべてＧｉｂｃｏ  ＢＲＬ，Ｌｉｆｅ  Ｔｅｃｈｎｏｌｏｇｉｅｓ  Ｉｎｃ．Ｒｏｃｋｖｉｌｌｅ，ＭＤ，ＵＳＡ）を含む生理食塩水またはＰＢＳ（−）に血管を入れた。洗浄溶液を、７２時間にわたり２４時間おきに交換した。リンスした後、血管を、ＤＮａｓｅＩ（寶酒造、滋賀、日本）を含む（生理食塩水またはＰＢＳ（−）に５ｍＭ  ＭｇＣｌ２を添加したもの）に３７℃で１時間浸した。血管を、室温でローター機器に配置した上述の抗生物質を含む生理食塩水またはＰＢＳ（−）にいれた。洗浄溶液を、７２時間にわたり２４時間おきに交換した。リンスした後、血管を、４℃で抗生物質を含む生理食塩水またはＰＢＳ（−）中で保存した。【０１９６】
（コラーゲン構造）
コラーゲン構造には、ｐＨ、イオン強度、溶剤の極性、陰イオン界面活性剤などが影響を与え得ることが示されている（Ｒｉｐａｍｏｎｔｉ  Ａ，ｅｔ  ａｌ．，１９８０，Ｂｉｏｐｏｌｙｍｅｒｓ  １９：９６５−９７５；およびＸｉａｏ  ＷＨ，Ｋｎｉｇｈｔ  ＤＰ，Ｃｈａｐｍａｎ  ＪＡ．，１９９７，Ｂｉｏｃｈｉｍｉｃａ  ｅｔ  Ｂｉｏｐｈｙｓｉｃａ  Ａｃｔａ．１１３４：３２７−３３７）。コラーゲン構造が変化すると生体工学的特性が変化することも知られている。このような問題を回避するために、この実施例では、脱細胞化プロセスを、マトリクスに影響がないように設計した。コラーゲン構造の組織学的試験および張力強度測定によりマトリクスが全く損なわれていないことを以下の実験で実証した。【０１９７】
（組織学的検査）
血管移植片のパラフィン切片（厚さ３μｍ）を調製し、そしてヘマトキシリン−エオシン染色を行って、細胞外マトリクスの同定を行った。基底膜の成分であるＩ／ＩＶ型コラーゲンを同定するために、免疫組織化学的染色法を用いた。ＳＤラット（雄性、５週齢、Ｎｉｐｐｏｎ  Ａｎｉｍａｌ  Ｃｏ．Ｌｔｄ．東京、日本）の大動脈を４％パラホルムアルデヒドで固定し、凍結保護した。凍結切片（５μｍ厚）を調製し、生理食塩水またはＰＢＳ（−）で３時間透過性にし、そして生理食塩水またはＰＢＳ（−）中の１％ＢＳＡで１時間室温でブロッキングした。ついで、この切片を一次抗体（抗ラットコラーゲン抗体、コスモバイオ、東京、日本）とともにインキュベートし、そしてＦＩＴＣと結合体化した二次抗体（抗ヒツジＩｇ抗体；コスモバイオ、東京、日本）とインキュベートした。画像は、Ｚｅｉｓｓ  ＬＳＭ５１０共焦点顕微鏡を用いて得た。【０１９８】
（結果）
平均分子量１０００、２０００、２００および６００のＰＥＧを用いて試験したが、脱細胞化処理には、どの分子量のものも使用することができた。脱細胞化処理には平均分子量が２０００のものがよりよい結果を与えるようであったが、脱細胞化処理の取り扱いは平均分子量１０００のものがより容易であった。【０１９９】
脱細胞化の様子は、図１に代表的に示す。【０２００】
（攪拌の有無）
次に、攪拌の有無が脱細胞化効率に与える影響について検討した。ここでは、平均分子量が１０００のＰＥＧを用いてその効果を確かめた。攪拌条件は、３００ＲＰＭを採用し、攪拌は７日間行った。対照として攪拌なしの脱細胞化を上述と同じ条件を用いて行った。結果を図２に示す。図２から明らかなように、攪拌の有無は、脱細胞化の効率にはそれほど影響せず、組織強度にも影響しなかった。【０２０１】
（超音波の併用）
次に、ラジカル反応の例示として超音波処理を併用した。上述と同様に平均分子量１０００のＰＥＧを用い、使用機器として、BRANSONIC(R) model3510；発振周波数 42kHz（http://www.branson-jp.com/products/bransonic/3510.htmlを参照；卓上型洗浄器）により超音波処理した。この容器中（水中）に、洗浄と同様の要領で弁を入れ、ソニケーションを行った。処理時間は24時間であった。【０２０２】
その結果を、図３に示す。超音波併用により、ＰＥＧ単独の処理に比べて脱細胞化が進捗していることがわかる。【０２０３】
（ＤＮａｓｅ処理の有無）
次に、上記実験条件のもと、ＰＥＧ（平均分子量２０００）を用いて、ＤＮａｓｅの有無での脱細胞化効率の上昇について検討した。その結果を図４に示す。図４からも明らかなように、ＤＮａｓｅの処理があるほうが、脱細胞化が促進されるようであることが明らかになった。【０２０４】
次に、別の脱細胞化プロセスに基づいて脱細胞化組織を調製した。その手順を以下に示す
（SDSによる脱細胞方法の一）
１）（洗浄）組織を、生理食塩水で、１時間４℃にて洗浄した。【０２０５】
２）（第一回界面活性剤処理）組織を、生理食塩水中１％ＳＤＳ（ドデシル硫酸ナトリウム、Ｓｏｄｉｕｍ  Ｌａｕｒｅｌ  Ｓｕｌｆａｔｅ，ＳＩＧＭＡ  Ｌ−４５０９）中に入れ、室温で４８時間放置した。【０２０６】
３）（洗浄）組織を取り出し、再び生理食塩水中に入れ２４時間室温で放置した。【０２０７】
４）（第二回界面活性剤処理）組織を、生理食塩水中１％ＮＰ−４０（ＳＩＧＭＡ  Ｉ−３０２１）中に入れ、室温で４８時間放置した。【０２０８】
５）（洗浄）組織を取り出し、再び生理食塩水中に入れ２４時間室温で放置した。【０２０９】
６）（滅菌）２０％イソプロパノール（ＳＩＧＭＡ  Ｉ−０３９８）中に組織を入れ、使用または実験時まで滅菌保存した。【０２１０】
（SDSによる脱細胞方法の二）
１）（洗浄）組織を、プロテアーゼ阻害剤（ＰＲＯＴＥＡＳＥ  ＩＮＨＩＢＩＴＯＲ  ＣＯＣＫＴＡＩＬ；ＳＩＧＭＡ  Ｐ２７１４）および２０ｍＭ  ＥＤＴＡを含む生理食塩水に入れ、２４時間３７℃にて洗浄した。【０２１１】
２）（第一回界面活性剤処理）組織を、生理食塩水中１％ＳＤＳ（ドデシル硫酸ナトリウム、Ｓｏｄｉｕｍ  Ｌａｕｒｅｌ  Ｓｕｌｆａｔｅ，ＳＩＧＭＡ  Ｌ−４５０９）中に入れ、室温で７２時間放置した。【０２１２】
３）（洗浄）組織を取り出し、生理食塩水中に入れ４８時間以上３７℃で放置した。【０２１３】
４）（第二回界面活性剤処理）組織を、生理食塩水中１％ＮＰ−４０（ＳＩＧＭＡ  Ｉ−３０２１）中に入れ、室温で４８時間以上放置した。【０２１４】
５）（洗浄）組織を取り出し、再び生理食塩水中に入れ４８時間３７℃で放置した。【０２１５】
６）（低温化学プロセス）定法に従い低温化学プロセスをおこなった。【０２１６】
７）（滅菌）０．０５％アジ化ナトリウム中に組織を入れ、使用または実験時まで滅菌保存した。【０２１７】
これらの方法は、従来のものに準じている。【０２１８】
（Ｔｒｉｔｏｎ処理）
１）（洗浄）組織を、生理食塩水で、１時間４℃にて洗浄した。【０２１９】
２）（界面活性剤処理）組織を、生理食塩水中１％Ｔｒｉｔｏｎ（登録商標）Ｘ−１００（ＩＣＮ  Ｂｉｏｍｅｄｉｃａｌｓ，Ｉｎｃ．ＣＡ，ＵＳＡ）＋０．１％  水酸化アンモニウム（ａｍｍｏｎｉｕｍ  ｈｙｄｒｏｘｉｄｅ）（Ｗａｋｏ  Ｐｕｒｅ  Ｃｈｅｍｉｃａｌ  Ｉｎｄｕｓｔｒｉｅｓ  Ｌｔｄ．，大阪、日本）の脱細胞処理液中に組織（例えば、血管）を浸し、４℃にてシェーカーにて、２４時間ごとに処理液を交換して処理した。
３）（洗浄）その後、４℃にてシェーカーにて２４時間ごとに３回ＰＢＳを交換することによって洗浄した。【０２２０】
（SDSによる脱細胞方法の三）
１）組織洗浄: 0.3% NaCl, プロテアーゼ阻害剤（ＰＲＯＴＥＡＳＥ  ＩＮＨＩＢＩＴＯＲ  ＣＯＣＫＴＡＩＬ；ＳＩＧＭＡ  Ｐ２７１４）, 20 mM EDTA, 20o C, 24 hrs
２）界面活性剤処理: 0.5% SDS （ドデシル硫酸ナトリウム、Ｓｏｄｉｕｍ  Ｌａｕｒｅｌ  Ｓｕｌｆａｔｅ，ＳＩＧＭＡ  Ｌ−４５０９）+ 0.5% Triton X-100(ICN Biomedicals Inc.CA.USA) in 0.3% NaCl + 0.05% NaN3,室温,
３）洗浄: 0.3% 生理食塩水+ 0.05% NaN3,室温, 最低120時間。【０２２１】
４）滅菌および保存: 冷化学処理３時間、 0.05% NaN3を含む生理食塩水溶液に移す。【０２２２】
このように、界面活性剤による組織の処理において、ＳＤＳおよびＴｒｉｔｏｎが望ましい物理的特性を得るために好ましいことが知られている。ＳＤＳおよびＴｒｉｔｏｎのような界面活性剤は、ミセル化している場合は強度などの点で所望の特性を有しないようである。逆に、ミセル化していない場合は、このような薬剤（ａｇｅｎｔ）であっても本発明の目的を達成することがわかった。界面活性剤は、ミセル化してタンパク質、脂質などの物質を除去するが、ここで使用する両親媒性分子（例えば、ＰＥＧ）はミセル化していない状態で使用されており、したがってミセル化していない状態両親媒性溶液として細胞成分の抽出に準じた細胞成分の除去を行っている。このように、本実施例においてミセル化していない状態両親媒性溶液が界面活性剤のようなミセル化した状態の分子の溶液よりもはるかに優れた脱細胞化処理を行うことが明らかになった。このことから、本発明の脱細胞化処理には他のミセル化していない状態両親媒性分子も使用することができると考えられる。【０２２３】
したがって、このような両親媒性溶液を用いて脱細胞化したものは、いずれも、下記のようなラジカル反応に供することができる。【０２２４】
（ラジカル反応）
本実施例では、ラジカル反応は、γ線照射にて実施した。当業者は、本発明が、γ線照射以外のラジカル暴露でも同様に実施することができることを理解する。【０２２５】
γ線照射は、以下のように実施した。その手順を簡単に示す。【０２２６】
PEG処理後の脱細胞組織（脱細胞化心臓弁など）をプラスチック蓋付きのガラス製サンプル瓶（径５ｃｍ×高さ８ｃｍ程度）に入れ、蓋を閉めた状態（内部には組織＋空気）でコバルト６０線源によりγ線照射を行った。温度は常温（室温）にて行ったが照射により生じる熱量にて温度がやや上昇し、照射時には２５℃から４０℃の間であったようである。脱細胞化の後にγ線照射する前に洗浄は行ってもよく、行わなくても良い。【０２２７】
理論の束縛されることは望まないが、γ線の効果としては、例えば、γ線により直接的細胞障害作用、γ線の採用によって発生するフリーラジカルの細胞障害作用の両方が考えられる。この場合ＰＥＧがスカベンジャーとして作用することが考えられる。【０２２８】
次に、γ線照射の種々の条件について検討した。【０２２９】
（ＰＥＧ）
上述のように、平均分子量として、２００、６００、１０００または２０００を用いた。【０２３０】
（γ線照射量）
γ線照射量として、なし、２０ｋＧｙ、４０ｋＧｙ、５０ｋＧｙ、８０ｋＧｙ、１００ｋＧｙ、１３０ｋＧｙ、２５０ｋＧｙを用いた。【０２３１】
（攪拌処理）
上述の条件での攪拌の有無を組み合わせた。【０２３２】
（ＤＮａｓｅ処理）
上述の条件でのＤＮａｓｅ処理の有無を組み合わせた。【０２３３】
（周囲条件）
大気中の他、水中、ＰＥＧ（平均分子量１０００の脱細胞化処理溶液と同様）のものを用いた。【０２３４】
（対照実験）
対照として、生体弁への照射結果を含めた。【０２３５】
（結果）
（照射量）
照射量の違いを、２０ｋＧｙ、５０ｋＧｙ、１００ｋＧｙ、１３０ｋＧｙについて図５〜２２に示す。示される写真から明らかなように、この範囲すべてで効率よい脱細胞化が見られた。細胞強度という点からは４０ｋＧｙ〜１００ｋＧｙが好ましく、より好ましくは５０ｋＧｙ〜８０ｋＧｙが有利であるようであるが、試験した範囲のすべてにおいて移植組織として十分な強度を保持していることが明らかになった。また、この好ましい範囲では、再細胞化が認められるようである。【０２３６】
（周囲条件）
周囲条件について検討した比較結果は、図５〜２２に含められている。図から明らかなように、大気中でのγ線照射が効率よい脱細胞化を達成するようであるが、いずれでも脱細胞化が促進されることが見出される。【０２３７】
（好ましい組み合わせの検討）
さらに、種々の条件を検討した結果を以下の表にまとめる。【０２３８】
【表１】
2005063314.tif 000002
上記表からも明らかなように、図５はコントロール（ＤＮａｓｅ処理有）であり、図６〜９は、水中／ＰＥＧ１０００を固定し、γ線強度およびＤＮａｓｅの有無における最適化を行ったものである。図１０〜１３は、γ線、ＤＮａｓｅなしでのＰＥＧ分子量最適化を行った結果である。図１４〜図１５は、ＰＥＧなし、ＤＮａｓｅなし、γ線１００ｋＧｙを固定して、γ線のみの効果を示したものである（水中／大気）。図１６〜１９では、γ線を１００ｋＧｙに固定し、ＰＥＧ１０００も固定した後、最終条件（図２９など）とは逆の順序で、すなわち、γ線照射後ＰＥＧ処理を行った。ガンマ線照射後のＰＥＧ処理の効果を見たものである（大気中／水中）。図２０〜２５は、大気中およびＰＥＧ１０００でのγ線強度およびＤＮａｓｅの有無の効果を見たものである。図２６〜２８は、大気中およびＰＥＧ２０００でのγ線強度およびＤＮａｓｅの有無の効果を見たものである。図２９は、本実施例における最終条件を示したものである。【０２３９】
（形状による比較実験）
次に、種々の形状でも脱細胞化効果が認められることを実証するために、弁および弁尖での脱細胞化効果を確認した。その結果を、図３０Ａ（弁）および図３０Ｂ（弁尖）に示す。弁でも弁尖でも脱細胞化効果は目視レベルではっきり確認される。【０２４０】
（Ｐ−Ｄ関係）
圧力−直径（Ｐ−Ｄ）関係の測定を、Ｈｉｒｏｍｉｃｈｉ  ＳｏｎｏｄａおよびＫｅｉｉｃｈｉ  Ｔａｋａｍｉｚａｗａ（Ｈｉｒｏｍｉｃｈｉ  Ｓｏｎｏｄａ  ｅｔ  ａｌ．，Ｊ  Ｂｉｏｍｅｄ  Ｍａｔｅｒ  Ｒｅｓ  ２００１；５５：２６６−２７６））の方法に従って実施した。動脈切片の一端を固定されたステンレス鋼コネクタにカニューレ接続し、他端をスライディングコネクタにカニューレ接続した。血管切片を加圧腔内Ｋｒｅｂｓ−Ｒｉｎｇｅｒ溶液で徐々に膨潤させた。血管の中部で血管の外径をテレビシステム（Ｃ１０００−１６；Ｈａｍａｍａｔｓｕ  Ｐｈｏｔｏｎｉｃｓ）および幅分析器（ＨＴＶ−Ｃ１１７０；Ｈａｍａｍａｔｓｕ  Ｐｈｏｔｏｎｉｃｓ）を用いてモニターした。腔内圧力を、圧力トランス（６Ｍ９２；ＮＥＣＳａｎｅｉ，Ｔｏｋｙｏ，Ｊａｐａｎ）を用いて同時に記録した。【０２４１】
（結果）
本実施例の方法により、天然の組織の細胞質成分は、８０％ＰＥＧ（平均分子量２００〜２０００）の水溶液により取り除かれていた。好ましくは、６０〜１００％のＰＥＧを用いると良いことが明らかになる。細胞膜の流動性は、高密度のＰＥＧ水溶液により顕著に改善された。細胞膜およびＤＮＡ成分以外の細胞質成分の除去が観察された。ＤＮＡ成分の沈降が確認されたからである。これらの成分が凝集することは、ＰＥＧ水溶液がＤＮＡにアクセス可能であることによって説明される。このことは、細胞膜および細胞質ゾルの抽出が容易となる要因である。組織移植片において生じる恒常的なＤＮＡ成分の分解物および溶解物は、ＤＮａｓｅＩによって容易に除去され得る。このことは、ＨＥ染色画像によって明らかに観察される。細胞成分が除去されたことに起因して、空洞形成が、弾力性プレートの間に観察された。この空洞形成が細胞外マトリクスの分解を抑えるようである。特に、この処理は、コラーゲン成分に対する効果が見かけ上低い。【０２４２】
（細胞残存率）
細胞残存率を、１００μｍ×１００μｍの面積中にある核数を顕微鏡を使用して計数することによって算出した。具体的には、処理前に同じサンプル中の上記面積中にある核数を顕微鏡を使用して計数し、処理後にも同様に計数し、処理後のサンプル中の核数を処理前の核数で除し１００倍することにより、細胞残存率（％）を算出した。結果を以下の表２に示す。【０２４３】
（組織損傷率）
組織損傷率は、一視野を１００μｍ×１００μｍごとのユニットに区切り、ユニットを単位としてエラスチン断裂部位がある場合にカウントして算出した。一視野あたり２４ユニットが存在した。エラスチン断裂は、ｘ／２４で表した。ｘは、ユニット中に断列がある場合に計数氏、例えば、全く断列が確認できない場合（未処理のコントロールなど）、０／２４として算出して０％とした。結果を以下の表２にまとめる。【０２４４】
【表２】
2005063314.tif 000003
。【０２４５】
1)100μm x 100μmの面積中にある核数の平均から算出。
2)一視野を100μm x 100μmごとのユニットに区切り、ユニットを単位としてエラスチン断裂部位がある場合にカウントし算出（一視野24ユニット）。【０２４６】
以上の結果より、γ線照射により、少なくとも５％未満の細胞残存度が達成され、好ましい条件（例えば、１００ｋＧｙなど）では、１％未満の細胞残存度が確認された。ここでは、細胞残存度は、ヘマトキシリンおよびエオシン染色（Ｈ＆Ｅ染色）による顕微鏡による計数法により確認した。ヘマトキシリンおよびエオシン染色の手順は以下のとおりである。必要に応じて脱パラフィン（例えば、純エタノールにて）、水洗を行い、オムニのヘマトキシリンでサンプルを１０分浸した。その後流水水洗し、アンモニア水で色出しを３０秒間行った。その後、流水水洗を５分行い、塩酸エオジン１０倍希釈液で２分間染色し、脱水し、透徹し、封入する。【０２４７】
（組織強度）
引張り強度、弾性率および伸びを、引張り試験により観察した。その概要を以下に示す。【０２４８】
本実施例では、引張試験機（TENSILLON ORIENTEC）で強度測定した。具体的には、  本明細書では、（１）検体を５×３０mmの短冊状に切る。（基本的に大動脈基部のwallの部分を長軸方向に長くなるように切る。）；（２）引っ張り試験器の固定部分に検体の両端約５mmを固定する。（ORIENTEC社製TENSILON万能試験機RTC-1150Aを使用）；および（３）引っ張り開始し破断点まで１cm/minの速度で引っ張る。という作業を行うことによって、破断点負荷および弾性率を測定した（Shinoka T,Mayer JE.Tissue engineering heart valve leaflets.Circulation.1997;96(suppl II):II-102-II-107;Shum-Tim D,Mayer JE.Tissue engineering of autologus aorta using a new biodegradable polymer.Ann Thorac Surg.1999;68:2298-2304）。【０２４９】
その結果を図３１〜３３および表３に示す。【０２５０】
【表３】
2005063314.tif 000004
。【０２５１】
このようなＰＥＧ処理の脱細胞化組織にγ線照射を施すことによって、細胞質成分がほとんど取り除かれていた。表２に示されるように、細胞残存度は、γ線照射によって３％以下、場合によっては１％未満にまで低下させることができ、実質的に無細胞の組織を完成させることができた。【０２５２】
細胞成分の除去による機械的特性の減少が想定されるものの、本発明の脱細胞化組織の伸展特性は維持されていた（図３１〜３３および表３）。【０２５３】
以上のように、本発明のγ線処理によって、従来の脱細胞化組織で達成できていた組織強度をはるかに上回る組織強度を達成したことが明らかになった。【０２５４】
以上の結果から、代表的なＰＥＧ＋γ線照射プロトコールとして以下を挙げる。
１）ＰＥＧ溶液（濃度８０％、分子量１０００）中にブタ大動脈基部を入れて、攪拌する。（攪拌条件：期間７日間、３００ＲＰＭ）
２）γ線照射（条件：大気中室温、１００ｋＧｙ）
３）生理食塩水＋抗生剤にて洗浄攪拌（２４時間）
４）ＤＮａｓｅ処理（条件：濃度７０単位／ｍｌ、室温、４８時間うち最初の１２時間は加圧５００Ｋｐａ，後の３６時間は攪拌１５０ＲＰＭ）
５）生理食塩水＋抗生剤にて洗浄攪拌。【０２５５】
（実施例２：生体組織内での反応実験）
（方法）
（免疫学的応答）
ＳＤラットの背部皮下に実施例１で作製したγ線照射脱細胞化処理ブタ大動脈弁およびＳＤＳ処理脱細胞組織（SDSによる脱細胞方法の三により調製した人工弁）弁の大動脈壁部分（１ｘ１ｃｍ）を移植し，１週間および２ヶ月後屠殺して、炎症細胞浸潤の程度をスコア化し評価した。本実施例においてコントロールとしてブタ生弁と比較検討する。【０２５６】
（石灰化）
ラット皮下に移植した検体を１週間後および２ヵ月後に採収し、ｖｏｎ  Ｋｏｓｓａ染色で石灰沈着を評価した。また、原子吸光分光計（Atomic  absorption  spectrometry）で組織内Ｃａ濃度を測定した。Ｃａ濃度は、濃塩酸（または濃酸）に組織を入れて、加熱および溶解させる。その後、原子吸光測定を行う。その溶液を希釈し、高温プラズマ中に噴霧し、燃焼時に発生するスペクトルの元素特異的吸収波長（Ｃａは３９３．３６６ｎｍ）より定量測定を行う。【０２５７】
ｖｏｎ  Ｋｏｓｓａ染色は以下のとおり行う。必要に応じて脱パラフィン（例えば、純エタノールにて）、水洗（蒸留水）を行い、25% 硝酸銀液(間接光下)に２時間浸す。その後、蒸留水水洗し、42% 2% チオ硫酸ナトリウム（ハイポ） に５分浸す。その後、流水水洗を５分行い、次いでケルンエヒテロートに５分浸す。その後、 流水水洗を５分行い、脱水し、透徹し、封入する。【０２５８】
ＳＤラット（２５０ｇ）の背部皮下に脱細胞化処理ブタ大動脈弁の大動脈壁部分（１０×１０ｍｍ）を移植し１週間後２ヵ月後に検体を採収し、Atomic absorption spectorometry(SPS7800:Seiko Instrument Inc.)で組織内Ca濃度(dry weightあたりのCa含量)を測定した(Ozaki S. Pathophysiology of calcification of bioprosthetic heart valves.Acta Biomedical Lovaniensia.2001を参照のこと）。【０２５９】
（移植）
本発明の脱細胞化プロセスで得られた大動脈壁組織の一部をイヌ下行大動脈に移植する。【０２６０】
（結果）
皮下移植の結果の１週間後の結果を図３４に示す。図３４からも明らかなように、炎症細胞の浸潤は認められなかった。他方、ブタ生弁は複数層の炎症細胞浸潤を認め，ＳＤＳ処理弁では移植片内への細胞浸潤はほとんどなく、軽い拒絶反応のみであり、全体的な組織構造は損なわれていないことが分かった。【０２６１】
次に、石灰化についても本発明の脱細胞化組織を評価することができる。【０２６２】
原子吸光分光計で測定した組織内Ｃａ濃度を調べることによって、本発明の脱細胞化組織を評価することができる。【０２６３】
さらに上述のＳＤＳ、またはＮＰ−４０処理弁の大動脈壁組織の一部をイヌ下行大動脈に移植した実験では１匹が移植後２週間で移植片穿破により死亡した。もう１匹は剖検が行われるまで生存した。本発明のγ線照射のＰＥＧ／ＤＮａｓｅｌ処理弁での実験を施行したところ、すべて１ヶ月を超えて生存していた。この実験を同じように行い、移植後二週間で弁標本を摘出して観察することができる。【０２６４】
（実施例３）細胞置換の確認
各弁の生体組織での反応の比較
イヌ大腿大動脈に、実施例１で作製した脱細胞化処理ブタの前腕の動脈を移植し，１０日後そのブタを屠殺して，炎症細胞浸潤の程度を比較検討する。【０２６５】
（結果）
本発明の脱細胞化組織は、拒絶反応はほとんど見られず、全体的な組織構造は損なわれていないことが分かる。さらに、移植組織を観察することによって、脱細胞化された組織が自己細胞に置換されることを確認することができる。【０２６６】
（実施例４：心膜の脱細胞化）
次に、ブタから心膜を取り出し、実施例１に記載のように界面活性剤およびポリエチレングリコール溶液で処理し、同様のγ線照射することができる。処理した心膜について細胞残存率および組織損傷率を測定したところ、組織損傷率が３０％未満でかつ細胞残存率が５％未満の脱細胞化心膜が得られる。【０２６７】
この心膜を、実施例２に記載のように、ＳＤラットに移植し、炎症細胞の浸潤および石灰化について調べる。脱細胞化組織およびコントロール組織を生後３週間のラットに移植して６０日間観察した。摘出時に組織学的評価のために標本を取る。ヘマトキシン−エオジン（Ｈ＆Ｅ）法で染色して全体構造を評価することができる。【０２６８】
次にこの脱細胞心膜をラット梗塞心に移植する。【０２６９】
（心筋梗塞ラットモデル）
雄性Ｌｅｗｉｓ系統ラットを本実施例において用いた。National Society for Medical Researchが作成した「Principles of Laboratory Animal Care」、およびInstitute of Laboratory Animal Resourceが作成しNational Intitute of Healthが公表した「Guide for the Care and Use of Laboratory Animals」（NIH Publication  No.86-23,1985改訂）に遵って、動物愛護精神に則った世話を動物に対して行う。【０２７０】
急性心筋梗塞を文献（Weisman HF, Bush DE, Mannisi JA et al. Cellular mechanism of myocardial infarct expansion. Circulation. 1988;78:186-201）に記載されるように誘導した。簡潔には、ラット（３００ｇ、８週齢）をペントバルビタールナトリウムで麻酔をし、陽圧式呼吸を行う。ラットの心筋梗塞モデルを作製するために、左第四肋間で胸郭を開き左冠動脈を根元から３ｍｍの距離で、８−０ポリプロピレン糸で完全に結紮する。【０２７１】
（移植）
レシピエントラットを麻酔し、左第五肋間で胸郭を開いて心臓を露出させる。このラットを心筋梗塞領域に投与した物質に従って2群に分ける。Ｃ群（無治療群、ｎ＝5）とS群（脱細胞心膜移植群、ｎ＝5）。脱細胞心膜は左前下降枝結紮2週後に梗塞部位に直接移植する。【０２７２】
（ラット心臓の心機能の測定）
梗塞モデル作成2週後、移植後4週、8週後に、心臓超音波（SONOS 5500, Agilent Technologies社製）にて心機能を測定する。12-MHzのtransducerを用い、左側方より、左室が最大径を示す位置で、短軸像を描出する。B-modeにて、左室収縮末期面積(end systolic area)、M-modeにて、左室拡張末期径(LVDd)、左室収縮末期径(LVDs)、左室前壁厚(LVAWTh)を測定し、LVEF、LVFSを算出する。【０２７３】
（組織学的分析）
心筋細胞移植後、8W後に心臓を摘出し、短軸にて切断し、10％ホルムアルデヒド溶液につけ、パラフィン固定を行う。切片を作成し、ヘマトキシリンーエオジン染色、マッソン-トリクローム染色を行う。また同時期の凍結切片を作製し、FactorＶＩＩＩ免疫染色を行う。【０２７４】
このように、本発明の脱細胞化組織は、処理前の組織が由来する部位以外の部分にも充分に適用できることが明らかになる。【０２７５】
（実施例５：硬膜の脱細胞化）
次に、ブタから硬膜を取り出し、実施例１に記載のように界面活性剤およびポリエチレングリコール溶液で処理し、γ線照射することができる。処理した硬膜について細胞残存率および組織損傷率を測定したところ、組織損傷率が３０％未満でかつ細胞残存率が５％未満の脱細胞化硬膜が得られる。【０２７６】
この硬膜を、実施例２に記載のように、Ｌｅｗｉｓラットに移植し、炎症細胞の浸潤および石灰化について調べたることができる
このように、本発明の方法は、どのような組織を用いても同様の優れた特性を示す脱細胞化処理を行うことができることがわかる。【０２７７】
（実施例６）
次に、同様の効果が、血管、腸管、心膜腸間膜、角膜、網膜、骨、尿管の脱細胞化組織にも現れるかどうかを確認する。実施例１と同様の脱細胞化実験を行う。この強化脱細胞化組織について、実施例２〜５と同様の実験を行うことによって、同様の脱細胞化組織の強化効果を確認することができる。【０２７８】
（実施例７：ブタ弁を用いたさらなる解析）
次に、種々のプロトコールをブタ弁の調製に適用して、種々の条件でも、本発明の脱細胞化組織を調製でき、その効果が奏されることを確認した。【０２７９】
ブタ大動脈弁基部を用いて、両親媒性化合物のポリエチレングリコール（ＰＥＧ）による脱細胞化処理とγ線照射（100kGy）の併用による脱細胞化処理を行った。移植方法はHBD犬20kgを全身麻酔下に開胸を行い、下行大動脈に移植を行った。【０２８０】
全9例において術直後の回復が見られた。うち5例についてそれぞれ術後８日目、９日目、11日目、11日目及び30日目に組織学的検討をおこなった。【０２８１】
（組織染色方法）
Ａ．HE染色
必要に応じて脱パラフィン（例えば、純エタノールにて）、水洗を行い、オムニのヘマトキシリンでサンプルを１０分浸した。その後流水水洗し、アンモニア水で色出しを３０秒間行った。その後、流水水洗を５分行い、塩酸エオジン１０倍希釈液で２分間染色し、脱水し、透徹し、封入した。【０２８２】
Ｂ．フォンビルブラント（vWF）抗体染色
抗体：ポリクローナル抗体（抗von Willebrand factor）(factor VIII-related antigen; rabbit, N1505) (DAKO(Kyoto, Japan))
方法：DAKO LSAB2/HRPキット (DAKO(Kyoto, Japan))のプロトコールに基づく。【０２８３】
（１）内因性パーオキシダーゼのブロッキング反応
（２）一次抗体の反応
（３）ビオチン標識二次抗体の反応
（４）パーオキシダーゼ標識ストレプトアビジンの反応
（５）DABの発色
（６）核の染色。【０２８４】
Ｃ．筋肉特異的アクチン抗体染色
抗体：Muscle actin, HHF35 (M0635) (DAKO(Kyoto, Japan)
方法：DAKO LSAB2/HRP kit (DAKO(Kyoto, Japan))のプロトコールに基づく（同上）。【０２８５】
Ｄ．ビメンチン抗体染色
抗体：vimentin, V9 (N1521) (DAKO(Kyoto, Japan)
方法：DAKO ENVISION/HRP kit (DAKO(Kyoto, Japan))のプロトコールに基づく。
（１）内因性パーオキシダーゼのブロッキング反応
（２）一次抗体の反応
（３）ENVISIONポリマーの反応
（４）DABの発色
（５）核の染色。【０２８６】
その結果を、図３５以降に示す。図は、移植後、長期間経過（８、９、１１及び３０日）に係る組織染色データ（ＨＥ染色、ｖＷＦ抗体染色、筋肉特異的アクチン抗体染色及びビメンチン抗体染色）を示す。【０２８７】
図３５には、処理法：PEG+γ線（100kGy)、移植対象：HBD（HB犬）(20kg)（下行大動脈）での、11日後の結果が示されている。細胞質をＨＥ染色により染色したところ、細胞を認めず、繊維走行の異常認めず、拒絶反応認めなかった。従って、早期拒絶反応は発生しなかったといえる。この被検体について、図３６に示すように、vWF抗体染色により血管内皮細胞を染色したところ、血管内皮細胞が一層認められた。従って、再細胞化に伴う内皮化が認められたことになる。【０２８８】
図３７には、別の被検体での、処理法：PEG+γ線（100kGy)、移植対象：HBD（HB犬）(20kg)（下行大動脈）での、８日後の結果が示されている。図３８には、別の被検体での、処理法：PEG+γ線（100kGy)、移植対象：HBD（HB犬）(20kg)（下行大動脈）での、９日後の結果が示されている。それぞれ細胞質をＨＥ染色により染色したところ、細胞を認めず、繊維走行の異常認めず、拒絶反応認めなかった。従って、早期拒絶反応は発生しなかったといえる。【０２８９】
図３９には、別の被検体での、処理法：PEG+γ線（100kGy)、移植対象：HBD（HB犬）(20kg)（下行大動脈）での、３０日後の結果が示されている。細胞質をＨＥ染色により染色したところ、細胞を認めず、繊維走行の異常認めず、拒絶反応認めなかった。また、一部組織に再細胞化を示唆する所見が認められた。この被検体について、図４０に示すように、vWF抗体染色により血管内皮細胞を染色したところ、均一な内皮細胞が一層認められた。従って、再細胞化に伴う内皮化が認められたことになる。この被検体について、図４１に示すように、筋肉特異的アクチン抗体の反応性を見たところ、陰性であった。さらに、この被検体について、ビメンチンを染色（図４２）したところ、ビメンチン抗体に陽性であった。従って、平滑筋細胞等に成熟した高分化細胞ではなく、間葉系未分化細胞（将来的には平滑筋や線維芽細胞に成り得る細胞）による再細胞化が起こっているのではないかと考えられる。【０２９０】
図から明らかなように、移植後３０日の時点で、本脱細胞弁において（１）繊維走行の異常は認められず、（２）炎症反応は認められず、また（３）再細胞化が一部認められた。【０２９１】
再細胞化の形態としては、（Ａ）血管内皮細胞による外層の内皮化及び（Ｂ）平滑筋細胞等に成熟した高分化細胞ではなく、間葉系未分化細胞（将来的には平滑筋や線維芽細胞に成り得る細胞）による再細胞化が示唆された。【０２９２】
（実施例８：ウシ心膜を用いたさらなる解析）
次に、別の組織として、ウシ心膜を用いて本発明の脱細胞化技術に汎用性があることを確認した。以下にその処理方法を示す。【０２９３】
Ａ．脱細胞化処理
（１）ＤＮａｓｅ処理
処理液Ａ５０ｍｌに浸漬し、回転を、３７℃、２４時間、１５０回転／分でＢｉｏ−Ｓｈａｋｅｒ  ＢＲ−３００ＬＦ（ＴＡＩＴＥＣ）（図４３）で行った。【０２９４】
処理液Ａ：ＰＢＳに以下に溶解することによって調製した。
・ＤＮａｓｅＩ  ７０Ｕ／ｍｌ（寶酒造）
・１００Ｕ／ｍｌペニシリン  １００μｇ／ｍｌストレプトマイシン（ＧＩＢＣＯ）
・１．２５μｇ／ｍｌアムホテリシンＢ  （ＳＩＧＭＡ）
・５ｍＭ  ＭｇＣｌ２・６Ｈ２Ｏ  
・カナマイシン  １００ｍｇ／ｌ  （ＳＩＧＭＡ）。【０２９５】
（２）γ線照射は、上記実施例と同様のプロトコルを用いて、５ｋＧｙ、１５ｋＧｙ、２５ｋＧｙおよび５０ｋＧｙの照射量を試験した。【０２９６】
（３）ＰＥＧ処理：処理液Ｃ５００ｍｌに浸漬し、回転を、２５℃、１週間、２００回転／分でＢｉｏ−Ｓｈａｋｅｒ  ＢＲ−３００ＬＦ  （ＴＡＩＴＥＣ）（図４３）で行った。【０２９７】
処理液Ｃ：ＰＢＳに以下を溶解して調製した。
・８０重量％  Ｐｏｌｙｅｔｈｙｌｅｎｅ  Ｇｌｙｃｏｌ（ＰＥＧ）  ：分子量１０００  （ナカライテスク）
・１００Ｕ／ｍｌペニシリン  １００μｇ／ｍｌストレプトマイシン  （ＧＩＢＣＯ）
・１．２５μｇ／ｍｌアムホテリシンＢ  （ＳＩＧＭＡ）
・カナマイシン  １００ｍｇ／ｌ  （ＳＩＧＭＡ）。【０２９８】
（４）洗浄
処理液Ｄ５００ｍｌに浸漬し、回転を、２５℃、２４時間或いは５時間、２００回転／分でＢｉｏ−Ｓｈａｋｅｒ  ＢＲ−３００ＬＦ  （ＴＡＩＴＥＣ）（図４３）で行った。【０２９９】
処理液Ｄ：ＰＢＳに以下を溶解して調製した。
・１００Ｕ／ｍｌペニシリン  １００μｇ／ｍｌストレプトマイシン  （ＧＩＢＣＯ）
・１．２５μｇ／ｍｌ  アムホテリシンＢ  （ＳＩＧＭＡ）
・カナマイシン  １００ｍｇ／ｌ  （ＳＩＧＭＡ）。【０３００】
Ｂ．残存ＤＮＡ量の定量
使用機器：ｂｉｏｌｕｍｉｎ９６０（Ｍｏｌｅｃｕｌａｒ  Ｄｙｎａｍｉｃｓ）
試薬調製：
（ａ）パパイン溶液：・・・５５ｍＭ  クエン酸ナトリウム、１５０ｍＭ  塩化ナトリウム、５ｍＭ  塩化システイン、５ｍＭ  ＥＤＴＡをｍｉｌｌｉＱ水を用いて調製した。【０３０１】
↓
使用直前（０．５６Ｕ／ｍｌパパイン溶液）にパパインを加えた。
（ｂ）  ＴＮＥ溶液：・・・１０ｍＭ  Ｔｒｉｓ、２Ｍ  ＮａＣｌ、１ｍＭ  ＥＤＴＡをミリＱにて調製しｐＨを７．４にあわせた。
（ｃ）  Ｈｏｅｃｈｓｔ  ３３２５８溶液・・・１μｇ／ｍｌにＴＮＥ溶液を用いて調製した。
（ｄ）  ヒトゲノムＤＮＡ溶液・・・１μｇ／ｍｌにＴＮＥ溶液を用いて調製した。【０３０２】
方法：
１．凍結乾燥したサンプルを１０ｍｇを量り取り、エッペンドルフチューブに入れた。
２．パパイン溶液を１ｍｌ加え、６０℃にて２４ｈ処理を行った。
３．ピペッティングを行い、１０００ｒｐｍにて５分間遠心分離した。
４．ＴＮＥ溶液で８０倍希釈した。
５．希釈した溶液５００μｌに、Ｈｏｅｃｈｓｔ（１μｇ／ｍｌ）５００μｌを混ぜた後、軽く遠心分離した。
６．蛍光用９６プレートに３００μｌずつアプライした。
７．蛍光３４０〜４５０ｎｍで測定した（ヒトゲノムＤＮＡ溶液を用いて作成した検量線より理論値を計算）。【０３０３】
Ｃ．残存タンパク質量の定量
使用機器：
Ｍｉｘｅｒ  Ｍｉｌｌ  ＭＭ  ３００多検体細胞破砕装置（ＱＩＡＧＥＮ）
試薬：
（ａ）  タンパク抽出液
Ｗａｋｏ  トリス（ヒドロキシメチル）アミノメタン  ２０４−０７８８５  ２５ｍＭ
Ｗａｋｏ  グリシン  ０７７−００７３５  １９２ｍＭ
Ｗａｋｏ  ドデシル硫酸ナトリウム  １９１−０７１４５  ０．１％
ＳＩＧＭＡ  プロテアーゼインヒビターカクテル  Ｐ２７１４。【０３０４】
方法：
１．サンプルを軽くミンシングし、凍結乾燥した。
２．組織を２０ｍｇ量り、エッペンに入れた。
３．タンパク抽出液５００μｌをエッペンに入れ、ステンレス鋼ビーズを入れて高速振動（５分  ３０／ｓ）で、Ｍｉｘｅｒ  Ｍｉｌｌ  ＭＭ  ３００を用いて組織粉砕した。
４．軽く遠心し、４℃  ７２時間静置した。
５．９６ウェルプレートに、抽出されたタンパク溶液２０μｌ、２００μｌのＢｉｏ−ＲＡＤ  Ｐｒｏｔｅｉｎ  ａｓｓａｙ（５倍希釈したもの）を加え、吸光度（５９５ｎｍ）を測定した（ウシ血清アルブミン（ＳＩＧＭＡ））用いて作成した検量線より理論値を計算）。【０３０５】
Ｄ．カルシウムの定量
１．サンプル  （１０  ｍｇ）を量りとった。
２．６Ｎ  ＨＣｌをサンプルｍｇあたり５０  μｌ加えた。
３．８５℃，  ４８ｈ  インキュベートした。
４．等量の６Ｎ  ＮａＯＨ  ５００  μｌを加えた。
５．原子吸光光度計でカルシウム濃度を測定した。【０３０６】
Ｅ．α−Ｇａｌエピトープの検出
試薬：
（ａ）  Ｐｒｏｔｅｉｎ  Ｂｌｏｃｋ：Ｐｒｏｔｅｉｎ  Ｂｌｏｃｋ  Ｓｅｒｕｍ−Ｆｒｅｅ  （ＤａｋｏＣｙｔｏｍａｔｉｏｎ）
（ｂ）  水溶性封入剤：ＧＥＬ／ＭＯＵＮＴ（ｂｉｏｍｅｄａ）
（ｃ）  ＧＳＬ１Ｂ４：１００倍希釈で使用
（品名）Ｇｒｉｆｆｏｎｉａ  ｓｉｍｐｌｉｃｉｆｏｌｉａ  Ｉｓｏｌｅｃｔｉｎ  ＧＳ−ＩＢ４−Ｓａｐｏｒｉｎ  
＜Ｂ４  Ｌｅｃｔｉｎ−Ｓａｐｏｒｉｎ＞＜ＩＢ４−ＳＡＰ＞
（メーカー名）Ａｄｖａｎｃｅｄ  Ｔａｒｇｅｔｉｎｇ  Ｓｙｓｔｅｍｓ。【０３０７】
方法：
１．５μmで切片を作製し、乾燥した。
２．アセトンとともに室温10分インキュベートした。
３．乾燥は5分間行った。
４．Protein  Blockと10分インキュベートした。
５．Protein  Blockを洗浄した後、GSL１B4に浸漬した。37℃  60分インキュベートした。
６．PBS洗浄（-)１０回×３行った。
７．水溶性封入剤で封入し、遮光保存した。【０３０８】
（γ処理条件の検討）
以下それぞれの検討項目が最終プロダクトにどの程度の影響を与えるかを検討した。
（ｉ）    γ線照射量（５、１５、２５および５０ｋＧｙ）
（ｉｉ）    γ線照射のタイミング（ＰＥＧ処理の前後）
なお評価指標は以下の通り。【０３０９】
（ａ）  残存細胞のチェック
（ｂ）  残存ＤＮＡのチェック
（ｃ）  残存タンパク質のチェック
（ｄ）  ＴＥＭによるチェック
（ｅ）  引張り試験によるチェック
（ｆ）  移植後の免疫反応のチェック
（ｇ）  移植後の石灰化反応のチェック。【０３１０】
ここで、（ａ）〜（ｃ）は、脱細胞化のチェックであり、（ｄ）は顕微鏡によるチェックであり、（ｅ）は強度のチェックであり、（ｆ）〜（ｇ）は、移植による性能チェックである。従って、（ａ）〜（ｅ）は、インビトロであり、（ｆ）〜（ｇ）は、インビボである。【０３１１】
（２）γ線照射によるα−Ｇａｌエピトープ除去能の評価
拒絶反応の主要異種抗原とされるα−Ｇａｌエピトープを、γ線照射（２５，  １００ｋＧｙ）によって破壊、除去することができないか検討した。【０３１２】
（結果）
（γ処理条件の検討）
（ｉ）    γ線照射量（５、１５、２５および５０ｋＧｙ）および（ｉｉ）    γ線照射のタイミング（ＰＥＧ処理の前後）の条件を検討した。【０３１３】
残存細胞のチェックの結果を図４４に示す。図４４は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。図から明らかなように、ＰＥＧ＋ＤＮａｓｅ処理を行ったものおよびＰＥＧ＋ＤＮａｓｅ＋γ線処理を行ったもののいずれにおいても残存細胞は認められなかった。【０３１４】
図４５Ａに、残存ＤＮＡのチェックの結果を示す。図４５Ａは、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。ＰＥＧ＋ＤＮａｓｅ処理を行ったものおよびＰＥＧ＋ＤＮａｓｅ＋γ線処理を行ったもののいずれにおいても残存ＤＮＡの大幅な減少が認められた。【０３１５】
図４５Ｂに、実施例８において使用した本発明の脱細胞化組織の、残存ＤＮＡのチェックの結果を示す。図４５Ｂは、左から、ネイティブ（処理無し）、γ線照射についでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。γ線＋ＤＮａｓｅ処理を行ったものではＤＮＡが残存しているが、ＰＥＧ＋ＤＮａｓｅ＋γ線処理を行ったものでは残存ＤＮＡの大幅な減少が認められ、ガンマ線のみではＤＮＡが残存するものの、ＰＥＧと併用すると残存度が劇的に減少することが明らかとなった。【０３１６】
図４６に、残存タンパク質のチェックの結果を示す。図４６は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。ＰＥＧ＋ＤＮａｓｅ処理を行ったものでは残存タンパク質が認められるが、加えてγ線処理を行ったものでは残存タンパク質が認められなかった。【０３１７】
図４７に、ＴＥＭ（透過電子顕微鏡）によるチェックを行った結果を示す。図４７は、左から、ネイティブ（処理無し）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。上段は、×３０００倍を示し、下段は、×３万倍を示す。いずれの処理を行ったものにおいても繊維の破壊等は認められなかった。【０３１８】
図４８は、強度の試験を、引っ張り強さを測定することによって行った結果を示す。図４８は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。いずれの処理を行ったものにおいても強度の低下は認められなかった。【０３１９】
図４９に、免疫拒絶反応のチェックを行った結果を示す。γ線照射１５ｋＧｙのものについて、移植後１週間でのＨＥ染色により確認した。図４９は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。移植後１週間の時点においては、ＰＥＧ＋ＤＮａｓｅ処理を行ったものおよびＰＥＧ＋ＤＮａｓｅ＋γ線処理を行ったもののいずれにおいても免疫拒絶反応は認められなかった。【０３２０】
図５０は、長期移植での免疫拒絶反応のチェックを行った結果を示す。γ線照射１５ｋＧｙのものについて、移植後2ヶ月でのＨＥ染色により確認した。図５０は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。移植後２ヶ月の時点においては、ＰＥＧ＋ＤＮａｓｅ処理を行ったものおよびＰＥＧ＋ＤＮａｓｅ＋γ線処理を行ったもののいずれにおいても免疫拒絶反応は認められなかった。【０３２１】
図５１には、石灰化反応の試験結果を示す。フォンコッサ染色を、１５ｋGy照射したサンプルの移植後2ヶ月に行った結果を示す。図５１は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。移植後２ヶ月の時点においては、ＰＥＧ＋ＤＮａｓｅ処理を行ったものおよびＰＥＧ＋ＤＮａｓｅ＋γ線処理を行ったもののいずれにおいても石灰化反応は認められなかった。【０３２２】
図５２には、石灰化反応についてカルシウム含量測定により評価した結果を示す。１５ｋＧｙ照射したサンプルの移植後２ヶ月に行った結果（カルシウム/サンプル (mg/mg), ）を示す。図５２は、左から、ネイティブ（処理無し）、グルタルアルデヒド処理（ウマ心膜）、ＰＥＧについでＤＮａｓｅ処理、γ線照射をＰＥＧおよびＤＮａｓｅ処理の前に行う例、およびγ線照射をＰＥＧ処理の後およびＤＮａｓｅ処理の前に行った結果を示す。移植後２ヶ月の時点においては、ＰＥＧ＋ＤＮａｓｅ処理を行ったものおよびＰＥＧ＋ＤＮａｓｅ＋γ線処理を行ったもののいずれにおいても石灰化反応は認められなかった。【０３２３】
以上から、ＰＥＧ＋ＤＮａｓｅ処理を行ったものに比べ、ＰＥＧ＋ＤＮａｓｅ＋a線処理を行ったもののほうが有利な効果を示す。γ線の照射のタイミングについてはＰＥＧの前後で特に差は見られなかった。反応をまとめると、以下のような表で概観される。【０３２４】
【表４】
2005063314.tif 000005
次に、γ線照射の線量を変動させて測定した結果を以下に示す。【０３２５】
【表５】
2005063314.tif 000006
ＰＥＧ＋ＤＮａｓｅ＋γ線処理を行ったものにおいて、γ線の照射量の違いが及ぼす影響はあまり見られなかった。従って、使用した任意の線量が本発明の実施において有用であることが理解される。強度が望まれる組織では、好ましい線量は、５〜２５ｋＧｙであるといえる。ＤＮＡ残存が望ましくない場合は、１５ｋＧｙ以上の線量を投与することが好ましくあり得る。【０３２６】
（３）γ線によるα−Ｇａｌエピトープ除去能の評価
移植手術を必要とする心、肝、腎機能不全患者の多くは、移植臓器を提供するドナー不足のため手術を受けられないでいる。同種移植（ａｌｌｏｇｒａｆｔ）におけるこの様な臓器不足のため、ブタの臓器をヒトに移植する異種移植（ｐｉｇ  ｘｅｎｏｇｒａｆｔ）の実用化に向けて研究が進められている。近年、ヒトに存在する自然抗体、抗α−ｇａｌ  抗体（ａｎｔｉ−Ｇａｌ  ａｎｔｉｂｏｄｙ）とブタ移植片細胞表面に大量に発現しているα−ｇａｌ  抗原（α−ｇａｌ  エピトープ）とが認識、反応することが異種移植片生着の大きな障壁になっていることがわかってきた。このα−ｇａｌ  エピトープはブタおよびその他の哺乳類では発現しているが、ヒトでは発現していない。なぜなら、このエピトープを生合成するα１，  ３ガラクトース転移酵素遺伝子は、霊長類では進化過程において不活化されているからである（Ｔｒｅｎｄｓ  ｉｎ  Ｇｌｙｃｏｓｃｉｅｎｃｅ  ａｎｄ  Ｇｌｙｃｏｔｅｃｈｎｏｌｏｇｙ  Ｖｏｌ．１１  Ｎｏ．６２  （Ｎｏｖ．１９９９）  ｐｐ．３１７−３２７）。【０３２７】
γ線照射によりα−Ｇａｌエピトープが除去されているかどうかを調べた結果を図５３に示す。PＥＧ＋ＤＮａｓｅ処理に加えてγ線照射（１００ｋＧｙ）を行うと、α−ｇａｌエピトープが除去されていた。比較対照として、アカゲサルの例を示す。検出は、GS1B4（α１，３Gal)エピトープを、レクチンを用いて検出した。【０３２８】
さらに、より少ない照射量（２５ｋＧｙ）でも、図５４に示すように、ＰＥＧ＋ＤＮａｓｅ処理に加えてγ線照射（２５ｋＧｙ）を行うと、α−ｇａｌエピトープが除去されていた。この実験では、γ線照射の順序を入れ替えて観察したが、いずれの場合でも顕著にα−Galエピトープが除去されていることが分かった。従って、α−ｇａｌエピトープの除去効果は、どのような照射条件でも発揮されることが示唆される。【０３２９】
以上より、本発明において、ＰＥＧ＋ＤＮａｓｅ処理を行ったものに比べ、ＰＥＧ＋ＤＮａｓｅ＋γ線処理を行ったもののほうが有利な効果を示すことが実証された。【０３３０】
また、ＰＥＧ＋ＤＮａｓｅ＋γ線処理を行ったものにおいて、γ線の照射のタイミング（ＰＥＧの前後）の違いが及ぼす影響はあまり見られなかった。【０３３１】
ＰＥＧ＋ＤＮａｓｅ＋γ線処理を行ったものにおいて、γ線の照射量の違いが及ぼす影響はあまり見られなかった。【０３３２】
ＰＥＧ＋ＤＮａｓｅ処理のみではα−ｇａｌエピトープは除去されないが、さらにγ線照射（２５ｋＧｙ，１００ｋＧｙ）を行うと、α−ｇａｌエピトープが除去されていた。【０３３３】
理論に束縛されることをのぞまないが、上記実施例から、γ線照射などのラジカル反応を受けさせることによって、照射された各種ポリマー（例えば、タンパク質、核酸、糖鎖、ＰＥＧなど）が架橋、分解およびその両方を行い、脱細胞化が促進され、α−ｇａｌエピトープが除去され、生体組織が補綴され、そして滅菌効果が促進されると考えられる。【０３３４】
本発明では、好ましくは、脱細胞化として、ＰＥＧなどを用い、脱ＤＮＡ化としてＤＮａｓｅ処理を用い、その促進因子としてγ線照射などのラジカル反応をすべて適宜組み合わせて実施することによって、望ましい性質を有する脱細胞化組織が提供される。この場合、細胞外マトリクスは、ほとんど影響を受けないことから、生体適合性に問題はなく、むしろ、再細胞化が確認されたことから、その効果は顕著であるといえる。【０３３５】
（実施例９：ブタ弁におけるＰＥＲＶ除去効果）
ブタ大動脈弁基部を用いて、両親媒性化合物のポリエチレングリコール（ＰＥＧ）による脱細胞化処理とγ線照射（100kGy）の併用による脱細胞化処理を行った。移植方法はHBD犬20kgを全身麻酔下に開胸を行い、下行大動脈に移植を行った。【０３３６】
PERVの検出は以下（１）〜（４）からそれぞれＤＮＡを抽出し、ＲＴ−ＰＣＲによって行った。
（１）未処理ブタ弁
（２）脱細胞化ブタ弁
（３）移植後３０日目に摘出した脱細胞化ブタ弁
（４）移植後５６日目に摘出した脱細胞化ブタ弁。【０３３７】
Ａ．ＤＮＡの抽出方法
ＤＮｅａｓｙ  Ｔｉｓｓｕｅ  Ｋｉｔ  （ＱＩＡＧＥＮ）を用いて、所定のプロトコールに従って行った。【０３３８】
Ｂ．ＲＴ−ＰＣＲ方法
１．以下の表のように記載されるＰＣＲ反応混合物を調製した。【０３３９】
１０×ＰＣＲ緩衝液                    ２μｌ
ＮＴＰｓ                              ２μｌ
ＭｇＣｌ２                            １μｌ
プライマー（１０μＭ）フォワード              １μｌ
プライマー（１０μＭ）リバース                １μｌ
組み換えＴａｑ（ＴａＫａＲａ）                ０．２μｌ
ｄＨ２Ｏ                              １０．８μｌ
テンプレート（ｃＤＮＡまたはＤＮＡ）  ２．０μｌ
２．ＰＣＲを、ＧｅｎｅＡｍｐ９７００配列検出システムを用いて行った。【０３４０】
＜＊プライマーセット＞
・ＰＥＲＶ検出用
フォワードプライマー：  ａｃｔ  ａｃａ  ａｃａ  ｃｇｇ  ｃｔｇ  ａａｇ  ｇｔａ  ｇ（配列番号１）
リバースプライマー：  ｔｔｇ  ｔｃｇ  ａｇｔ  ｇｇｇ  ｇｔｃ  ｃｔａ  ｔｔｇ（配列番号２）
・コントロール
・ｐｉｇＧＡＰＤＨ検出用
フォワードプライマー：  ｃｔｇ  ｃａｃ  ｃａｃ  ｃａａ  ａｔｇ  ｃｔｔ  ａｇｃ（配列番号３）
リバースプライマー：  ｇｃｃ  ａｔｇ  ｃｃａ  ｇｔｇ  ａｇｃ  ｔｔｃ  ｃ（配列番号４）
・ｄｏｇＧＡＰＤＨ検出用
フォワードプライマー：  ｇｔｇ  ａｔｇ  ｃｔｇ  ｇｔｇ  ｃｔｇ  ａｇｔ  ａｔｇ  ｔｔｇ（配列番号５）
リバースプライマー：  ｔｇｇ  ｃｔａ  ｇａｇ  ｇａｇ  ｃｃａ  ａｇｃ  ａｇｔ  ｔ（配列番号６）
＜熱サイクルパラメータ＞
ステージ１ ９５℃／５〜１０分
ステージ２   ９５℃／１５秒
ステージ３   ５８℃／１５秒
ステージ４   ７２℃／１分
以上を反復（４０〜４５サイクル）
７２℃／７分
４℃（終了）。【０３４１】
（結果）
ＰＥＧ処理とγ線（１００ｋＧｙ）処理との併用処理を施したブタ弁において、ヒトに感染するおそれがあるとされるブタ由来のウイルス（ＰＥＲＶ）が除去されていることが実証された。【０３４２】
図５５は、未処理のブタ弁を５例、ＰＥＲＶに関するＲＴ−ＰＣＲ解析にかけた結果を示す。示されるように、未処理ブタ弁においてはＰＥＲＶが検出された。【０３４３】
図５６は、γ線照射処理のブタ弁を５例、およびポジティブコントロールをＰＥＲＶに関するＲＴ−ＰＣＲ解析にかけた結果を示す。示されるように、脱細胞化ブタ弁においてはＰＥＲＶが検出されなかった。【０３４４】
図５７は、γ線照射処理のブタ弁について移植後３０日目（３）および５６日目（４）、およびポジティブコントロール（１；未処理ブタ弁）をＰＥＲＶに関するＲＴ−ＰＣＲ解析にかけた結果を示す。示されるように、移植後３０日目および５６日目に摘出した脱細胞化ブタ弁においてはＰＥＲＶが検出されなかった。他のウイルスについても、適切な観察方法によって検査すると、実質的に除去されていることが確認される。【０３４５】
（実施例１０）
上記実施例によるラジカル反応によって形成された共有結合の性質を確認する。その結果、カルボキシル基、ハイドロキシル基若しくはアミノ基を除く基（例えば、前記基は、スルフヒドリル基、アルデヒド基、カルボニル基、スルホ基およびニトロ基からなる群より選択される基を含む）の間で形成された共有結合、および炭素−炭素結合、エーテル結合およびエステル結合からなる群より選択される結合により形成される共有結合が観察される。【０３４６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０３４７】
本発明により、組織損傷率を臨床適用可能な程度に抑えつつ、細胞残存率を下げる脱細胞化技術の改良法が確立された。この技術によって調製された脱細胞化組織およびグラフトは、さらに強化されている。従って、このような組織は、産業上で有用である。
【図１】
2005063314.tif 000007
【図２】
2005063314.tif 000008
【図３】
2005063314.tif 000009
【図４】
2005063314.tif 000010
【図５】
2005063314.tif 000011
【図６】
2005063314.tif 000012
【図７】
2005063314.tif 000013
【図８】
2005063314.tif 000014
【図９】
2005063314.tif 000015
【図１０】
2005063314.tif 000016
【図１１】
2005063314.tif 000017
【図１２】
2005063314.tif 000018
【図１３】
2005063314.tif 000019
【図１４】
2005063314.tif 000020
【図１５】
2005063314.tif 000021
【図１６】
2005063314.tif 000022
【図１７】
2005063314.tif 000023
【図１８】
2005063314.tif 000024
【図１９】
2005063314.tif 000025
【図２０】
2005063314.tif 000026
【図２１】
2005063314.tif 000027
【図２２】
2005063314.tif 000028
【図２３】
2005063314.tif 000029
【図２４】
2005063314.tif 000030
【図２５】
2005063314.tif 000031
【図２６】
2005063314.tif 000032
【図２７】
2005063314.tif 000033
【図２８】
2005063314.tif 000034
【図２９】
2005063314.tif 000035
【図３０Ａ】
2005063314.tif 000036
【図３０Ｂ】
2005063314.tif 000037
【図３１】
2005063314.tif 000038
【図３２】
2005063314.tif 000039
【図３３】
2005063314.tif 000040
【図３４】
2005063314.tif 000041
【図３５】
2005063314.tif 000042
【図３６】
2005063314.tif 000043
【図３７】
2005063314.tif 000044
【図３８】
2005063314.tif 000045
【図３９】
2005063314.tif 000046
【図４０】
2005063314.tif 000047
【図４１】
2005063314.tif 000048
【図４２】
2005063314.tif 000049
【図４３】
2005063314.tif 000050
【図４４】
2005063314.tif 000051
【図４５Ａ】
2005063314.tif 000052
【図４５Ｂ】
2005063314.tif 000053
【図４６】
2005063314.tif 000054
【図４７】
2005063314.tif 000055
【図４８】
2005063314.tif 000056
【図４９】
2005063314.tif 000057
【図５０】
2005063314.tif 000058
【図５１】
2005063314.tif 000059
【図５２】
2005063314.tif 000060
【図５３】
2005063314.tif 000061
【図５４】
2005063314.tif 000062
【図５５】
2005063314.tif 000063
【図５６】
2005063314.tif 000064
【図５７】
2005063314.tif 000065
【配列表】
2005063314000001.app
【国際調査報告】
2005063314.tif 000066
2005063314.tif 000067
2005063314.tif 000068
2005063314.tif 000069
2005063314.tif 000070
2005063314.tif 000071
2005063314.tif 000072
2005063314.tif 000073